(57)【要約】  無線装置間のアドホックピア間通信ネットワークにおいて、高優先度第１受信装置は逐次型干渉除去を実行するように構成される。第１パイロット信号は第１送信装置から第１受信装置によって受信される。同様に、第２送信装置が第２トラフィック信号を送信する状態にあることを示す第２パイロット信号は第２送信装置から受信される。第１受信装置は第１送信装置からのトラフィック送信のための第１及び第２送信レートを決定する。その後、制御メッセージが第１受信装置のよって第１及び第２送信レートを含めて第１送信装置に送信される。次に、第１受信装置が第１トラフィック信号を含むトラフィック信号を、第１及び第２コードワードからそれぞれ生成された第１及び第２信号成分を含む第１送信装置から無線で受信する。【選択図】図１９
2010533448.tif 000002
【特許請求の範囲】
【請求項１】
ピア間ネットワークで逐次型干渉除去（ＳＩＣ）を行うため第１送信装置から送信される第１トラフィック信号の目標受信機である第１受信装置で実施可能な方法であって、
前記第１送信装置から第１パイロット信号を受信すること、
第２送信装置が第１トラフィック信号を送信する状態にあることを示す第２パイロット信号を前記第２送信装置から受信すること、
前記第１送信装置からのトラフィック送信のため第１及び第２送信レートを決定すること、
第１及び第２送信レートを含む制御メッセージを前記第１送信装置に送信すること、
を含む、方法。
【請求項２】
前記第１トラフィック信号を含むトラフィック信号を前記第１送信装置から無線で受信することを更に含み、前記第１トラフィック信号は第１及び第２信号成分を含み、前記第１及び第２信号成分は第１及び第２コードワードからそれぞれ生成される、請求項１の方法。
【請求項３】
前記第２信号成分は前記第１トラフィック信号を形成するため前記第１信号成分に重畳される、請求項２の方法。
【請求項４】
前記第１信号成分は直交位相シフトキーイング（ＱＰＳＫ）コンステレーションを用い、前記第２信号成分はＱＡＭ−１６，ＱＡＭ−６４及びＱＡＭ−２５６コンステレーションの１つを含む直交振幅変調（ＱＡＭ）コンステレーションを用いる、請求項３の方法。
【請求項５】
前記第１パイロット信号の第１信号電力は前記第１送信装置によって送信される前記第１トラフィック信号の前記信号電力を示し、前記第２パイロット信号の第２信号電力は前記第２送信装置によって送信される前記第２トラフィック信号の前記信号電力を示す、請求項１の方法。
【請求項６】
前記第１信号成分の第１送信電力と前記第２信号成分の第２送信電力との送信電力比は前記第１受信装置に知られている、請求項５の方法。
【請求項７】
前記送信レートは第１及び第２パイロット信号の前記信号電力及び前記送信電力比の関数として決定される、
【請求項８】
前記送信電力比は前記第１送信装置及び前記第１受信装置の両方に知られている固定定数である、請求項６の方法。
【請求項９】
前記第１送信装置から第１パイロット信号を受信する前に前記送信電力比を決定するために前記第１送信装置と通信することを更に含む、請求項６の方法。
【請求項１０】
前記目標第1送信装置からのトラフィック送信のため前記第１送信レートを決定することは
前記第１送信装置によって送信される前記目標第１トラフィック信号の前記第１及び第２信号成分の前記受信信号電力を前記第１パイロット信号の前記信号電力及び前記送信電力比の関数として予測すること、
前記第２送信装置によって送信される前記干渉第２トラフィック信号の前記受信信号電力を前記第２パイロット信号の前記信号電力の関数として予測すること、
を更に含み、
前記第１送信レートは予測信号電力と予測雑音電力の比の関数として決定され、前記予測信号電力は前記第１送信装置によって送信される前記目標第１トラフィック信号の前記第１信号成分の前記決定受信信号電力を含み、前記予測雑音電力は前記第１送信装置によって送信される前記目標第１トラフィック信号の前記第２信号成分の前記決定受信信号電力と前記第２送信装置によって送信される前記干渉第２トラフィック信号の前記決定電力を含む、請求項６の方法。
【請求項１１】
前記第２送信レートは前記第１パイロット信号の前記信号電力及び前記送信電力比の関数として決定される、請求項６の方法。
【請求項１２】
前記目標第１送信装置からのトラフィック送信のため前記第２送信レートを決定することは
前記第１送信装置によって送信される前記目標第１トラフィック信号の前記第２信号成分の前記受信信号電力を前記第１パイロット信号の前記信号電力及び前記送信電力比の関数として予測すること、を更に含み、
前記第２送信レートは予測信号電力と予測雑音電力の比の関数として決定され、前記予測信号電力は前記第１送信装置によって送信される前記目標第１トラフィック信号の前記第２信号成分の前記決定受信信号電力を含み、前記予測雑音電力は前記第１送信装置によって送信される前記目標第１トラフィック信号の前記第１信号成分の前記決定受信信号電力及び前記第２送信装置によって送信される前記干渉第２トラフィック信号の前記決定電力を除外する、請求項６の方法。
【請求項１３】
前記第１送信装置によって送信された前記第１トラフィック信号の前記第１信号成分の第１データレートは前記第１送信レート以下であり、前記第１送信装置のよって送信された前記目標第１トラフィック信号の前記第２信号成分の第２データレートは前記第２送信レート以下である、請求項２の方法。
【請求項１４】
前記第１送信装置によって送信された前記第１トラフィック信号の前記第１信号成分の前記第１コードワードを前記受信トラフィック信号から復号することを更に含む、請求項２の方法。
【請求項１５】
前記第１コードワードの復号が成功すれば、前記復号第１信号成分を前記受信トラフィック信号から差し引くこと、
前記復号第１信号成分が差し引かれた後前記受信トラフィック信号の前記残余部分を用いて前記第２送信装置によって送信された前記干渉第２トラフィック信号を復号すること、
前記干渉第２トラフィック信号の復号が成功すれば、前記復号干渉第２トラフィック信号を前記受信トラフィック信号の前記残余部分から差し引き、前記復号第１信号成分及び前記復号干渉第２トラフィック信号の両方が差し引かれた後に受信トラフィック信号の前記残余部分から前記第１送信装置によって送信された前記第１トラフィック信号の前記第２信号成分の前記第２コードワードを復号すること、
を更に含む、請求項１４の方法。
【請求項１６】
前記第１送信装置と前記第１受信装置との間に通信接続を確立することを更に含み、前記第１受信装置は前記第１送信装置からの前記第１トラフィック信号の前記目標受信機である、請求項１の方法。
【請求項１７】
前記第１トラフィック信号は共用周波数スペクトルを介して重複時間間隔で第２送信装置によって送信された第２トラフィック信号として第２受信装置に送信される、請求項１の方法。
【請求項１８】
第１送信装置とのピア間無線通信に適している第１受信装置であって、
送信機と、
受信機と、
ピア間通信チャネルを介して前記送信機及び受信機を通して無線ピア間通信に適し、ピア間ネットワークで逐次型干渉除去（ＳＩＣ）を実施するように構成される処理回路と、
を具備し、前記第１受信装置は前記第１送信装置によって送信される第１トラフィック信号の目標受信機であり、前記処理回路は
前記第１送信装置から第１パイロット信号を受信し、
第２送信装置が第２トラフィック信号を送信する状態にあることを示す第２パイロット信号を前記第２送信装置から受信し、
前記第１送信装置からのトラフィック送信のため第１及び第２送信レートを決定し、
前記第１及び第２送信レートを含む制御メッセージを前記第１送信装置に送信するように構成される、第１受信装置。
【請求項１９】
前記処理回路は更に前記第１トラフィック信号を含むトラフィック信号を前記第１送信装置から受信するように構成され、前記第１トラフィック信号は第１及び第２コードワードからそれぞれ生成される第１及び第２信号成分を含む、請求項１８の第１受信装置。
【請求項２０】
前記第２信号成分は前記第１トラフィック信号を形成するため前記第１信号成分に重畳される、請求項１９の第１受信装置。
【請求項２１】
前記第１送信装置によって送信された目標第１トラフィック信号の前記第１信号成分の第１データレートは前記第１送信レート以下であり、前記第１送信装置によって送信された目標第１トラフィック信号の前記第２信号成分の第２データレートは前記第２送信レート以下である、請求項１９の第１受信装置。
【請求項２２】
ピア間ネットワークで逐次型干渉除去（ＳＩＣ）を行うように構成され、第１送信装置から送信される第１トラフィック信号の目標受信機である第１受信装置でであって、
前記第１送信装置から第１パイロット信号を受信する手段と、
第２送信装置が第１トラフィック信号を送信する状態にあることを示す第２パイロット信号を前記第２送信装置から受信する手段と、
前記第１送信装置からのトラフィック送信のため第１及び第２送信レートを決定する手段と、
第１及び第２送信レートを含む制御メッセージを前記第１送信装置に送信する手段と、
を含む、第１受信装置。
【請求項２３】
前記第１パイロット信号の第１信号電力は前記第１送信装置によって送信される前記第１トラフィック信号の前記信号電力を示し、前記第２パイロット信号の第２信号電力は前記第２送信装置によって送信される前記第２トラフィック信号の前記信号電力を示す、請求項２２の第１受信装置。
【請求項２４】
前記第１トラフィック信号を含むトラフィック信号を前記第１送信装置から受信する手段を更に含み、前記第１トラフィック信号は第１及び第２コードワードからそれぞれ生成される第１及び第２信号成分を含む、請求項２２の第１受信装置。
【請求項２５】
無線ピア間ネットワークで逐次型干渉除去（ＳＩＣ）を実施する回路であって、
第１送信装置から第１パイロット信号を受信し、
第２送信装置が第２トラフィック信号を送信する状態にあることを示す第２パイロット信号を前記第２送信装置から受信し、
前記第１送信装置から無線トラフィック送信のため第１及び第２送信レートを決定し、
前記第１及び第２送信レートを含む制御メッセージを前記第１送信装置に送信するように構成される、回路。
【請求項２６】
無線ピア間ネットワークで第１送信装置から送信される第１トラフィック信号の目標受信機である第１受信装置で逐次型干渉除去（ＳＩＣ）を実行するための命令を含む機械読み取り可能媒体であって、プロセッサによって実行されると、前記プロセッサに
前記第１送信装置から第１パイロット信号を受信させ、
第２送信装置が第２トラフィック信号を送信する状態にあることを示す第２パイロット信号を前記第２送信装置から受信させ、
前記第１送信装置から無線トラフィック送信のため第１及び第２送信レートを決定させ、
前記第１及び第２送信レートを含む制御メッセージを前記第１送信装置に送信させるように構成される、機械読み取り可能媒体。
【請求項２７】
ピア間ネットワークで動作し、第１送信装置から送信される第１トラフィック信号の目標受信機である第１受信装置で逐次型干渉除去（ＳＩＣ）を円滑化するため前記第１送信装置で実行可能な方法であって、
第１パイロット信号を放送すること、
第１送信レート及び第２送信レートを前記第１受信装置から受信すること、
第１コードワードを決定し、前記第１コードワードを用いて前記受信第１送信レート以下である第１データレートの第１信号成分を前記受信第１送信レートの関数として生成すること、
第２コードワードを決定し、前記第２コードワードを用いて前記受信第２送信レート以下である第２データレートの第２信号成分を前記受信第２送信レートの関数として生成すること、
前記第１トラフィック信号を形成するため前記第２信号成分を前記第１信号成分に重畳すること、
前記第１トラフィック信号を前記第１受信装置に送信すること、
を含む、方法。
【請求項２８】
前記第１信号成分はＱＰＳＫコンステレーションを用い、前記第２信号成分はＱＡＭ−１６，ＱＡＭ−６４及びＱＡＭ−２５６コンステレーションの１つを含むＱＡＭコンステレーションを用いる、請求項２７の方法。
【請求項２９】
前記第１信号成分の前記送信電力と前記第２信号成分の前記送信電力との送信比を決定するため前記第１受信装置と通信することを更に含む、請求項２７の方法。
【請求項３０】
前記送信電力比は前記第１パイロット信号を放送する前に決定される、請求項２９の方法。
【請求項３１】
前記第１受信装置からの前記受信第１及び第２送信レートの関数としての前記送信電力比を変更すること、
前記送信電力比の変更を前記第１受信装置に知らせること、を更に含む、請求項２９の方法。
【請求項３２】
前記送信電力比の変更はトラフィック送信の時間スケールより少なくとも５倍大きい時間スケールで生じる、請求項３１の方法。
【請求項３３】
前記第１信号成分と前記第２信号成分の前記送信電力の送信電力比は前記第１送信装置及び前記第１受信装置の両方に知られている固定定数である、請求項２７の方法。
【請求項３４】
前記目標トラフィック信号は共用周波数スペクトルを介して重複時間間隔で第２送信装置によって送信された第２トラフィック信号として第２受信装置に送信される、請求項２７の方法。
【請求項３５】
第１受信装置と無線ピア間通信に適した第１送信装置であって、
送信機と、
受信機と、
ピア間通信チャネルを介して前記送信機及び受信機を通して無線ピア間通信に適し、前記第１受信装置によって逐次型干渉除去（ＳＩＣ）を円滑化するように構成された処理回路と、を具備し、前記処理回路は
第１パイロット信号を放送し、
前記第１受信装置から第１送信レート及び第２送信レートを受信し、
第１コードワードを決定し、前記第１コードワードを用いて前記受信第１送信レート以下の第１データレートの第１信号成分を前記受信第１送信レートの関数として生成し、
第２コードワードを決定し、前記第２コードワードを用いて前記受信第２送信レート以下の第２データレートの第２信号成分を前記受信第２送信レートの関数として生成し、
第１トラフィック信号を形成するために前記第２信号成分を前記第１信号成分に重畳し、
前記第１トラフィック信号を前記第１受信装置に送信するように構成される、第１送信装置。
【請求項３６】
前記処理回路は
更に前記第１信号成分の前記送信電力と前記第２信号成分の前記送信電力との送信電力比を決定するために前記第１受信装置と通信するように構成される、請求項３５の第１送信装置。
【請求項３７】
無線ピア間ネットワークで動作する第１受信装置にて逐次型干渉除去（ＳＩＣ）を円滑化するように構成される第１送信装置であって、
第１パイロット信号を放送する手段と、
前記第１受信装置から第１送信レート及び第２送信レートを受信する手段と、
第１コードワードを決定し、前記第１コードワードを用いて前記受信第１送信レート以下の第１データレートの第１信号成分を前記受信第１送信レートの関数として生成する手段と、
第２コードワードを決定し、前記第２コードワードを用いて前記受信第２送信レート以下の第２データレートの第２信号成分を前記受信第２送信レートの関数として生成する手段と、
第１トラフィック信号を形成するために前記第２信号成分を前記第１信号成分に重畳する手段と、
前記第１トラフィック信号を前記第１受信装置に送信する手段と、
を具備する第１送信装置。
【請求項３８】
前記第１信号成分の前記送信電力と前記第２信号成分の前記送信電力との送信電力比を決定する手段と、
前記送信電力比を前記第１受信装置からの前記受信第１及び第２送信レートの関数として変更する手段と、
前記送信電力比の変更を前記第１受信装置に知らせる手段と、
を更に含む請求項３７の第１送信装置。
【請求項３９】
第１送信装置と無線ピア間通信する第１受信装置によって逐次型干渉除去（ＳＩＣ）を円滑化する回路であって、前記回路は前記第１送信装置内で動作し、
第１パイロット信号を放送し、
第１送信レート及び第２送信レートを前記第１受信装置から受信し、
第１コードワードを決定し、前記第１コードワードを用いて前記受信第１送信レート以下である第１データレートの第１信号成分を前記受信第１送信レートの関数として生成し、
第２コードワードを決定し、前記第２コードワードを用いて前記受信第２送信レート以下である第２データレートの第２信号成分を前記受信第２送信レートの関数として生成し、
前記第１トラフィック信号を形成するため前記第２信号成分を前記第１信号成分に重畳し、
前記第１トラフィック信号を前記第１受信装置に送信するように構成される。
【請求項４０】
無線ピア間ネットワークで第１受信装置によって逐次型干渉除去（ＳＩＣ）を円滑化するため第１送信装置のための命令を含む機械読み取り可能媒体であって、プロセッサによって実行されると、前記プロセッサに、
第１パイロット信号を放送させ、
第１送信レート及び第２送信レートを前記第１受信装置から受信させ、
第１コードワードを決定し、前記第１コードワードを用いて前記受信第１送信レート以下である第１データレートの第１信号成分を前記受信第１送信レートの関数として生成させ、
第２コードワードを決定し、前記第２コードワードを用いて前記受信第２送信レート以下である第２データレートの第２信号成分を前記受信第２送信レートの関数として生成させ、
前記第１トラフィック信号を形成するため前記第２信号成分を前記第１信号成分に重畳させ、
前記第１トラフィック信号を前記第１受信装置に送信させる、機械読み取り可能媒体。
【発明の詳細な説明】
【技術分野】
【０００１】
種々実施形態は無線通信のための方法及び装置を対象とし、特にピア間通信ネットワークにおける逐次型干渉除去を実施することに関する方法及び装置を対象としている。
【背景技術】
【０００２】
無線ネットワーク、例えば、ネットワークインフラが存在しないアドホックネットワークにおいて、端末は通信リンク又は他のピア端末との接続をセットアップするためにある挑戦に取り組まなくてはならない。１つの挑戦は端末が丁度パワーアップされ、又は新たな領域に移動したとき、端末は２つの端末間の任意の通信が開始できる前近くに他の端末が存在するかどうかを最初に見つけなければならないかもしれない。
【０００３】
ネットワークインフラの欠落により、アドホック無線ネットワークの端末はトラフィック管理に役立てることができる共通タイミング参照をしばしば持たない可能性がある。つまり、第１端末が信号を送信していて、第２端末が受信モードにないときには、送信信号は第２端末が第１端末の存在を検出するのに役立たないと言う可能性がある。電力効率が端末のバッテリ寿命に大きく影響を及ぼし、故に無線システムにおいて他の重要な問題となる。
【０００４】
更に、複数の無線端末はアドホックピア間通信を確立するために周波数スペクトルを共用している間にある環境で動作できる。そのようなアドホックピア間通信は集中コントローラによって集中的に管理されていないので、隣接無線端末間の多重ピア間接続の間の干渉が問題となる。
【０００５】
その結果、他の無線端末への不所望な干渉を減じながらピア間通信に共用周波数スペクトルを可能にする解決策が必要になる。
【発明の概要】
【０００６】
米国特許法１１９条に基づく優先権請求項
本特許出願は２００７年７月１０日付で出願した「“Method and Apparatus for Successive Interference Cancellation in Peer To Peer Network”」と名称付けた米国仮出願番号６０／９４８，９８４を優先権主張し、その譲渡人に譲渡され、参照することにより本書に含まれる。
【０００７】
一実施例はピア間ネットワークで逐次型干渉除去（ＳＩＣ）を行うための第１受信装置を提供する。第１受信装置は第１送信装置から送信される第１トラフィック信号の目標受信機である。前記第１受信装置は第１送信装置から第１パイロット信号を受信してもよく、第２送信装置から第２パイロット信号を受信してもよい。第２パイロット信号は第２送信装置が第２トラフィック信号を送信する状態にあることを示してもよい。第１パイロット信号の第１信号電力は第１送信装置によって送信される第１トラフィック信号の信号電力を示してもよい。同様に、第２パイロット信号の第２信号電力は第２送信装置によって送信される第２トラフィック信号の信号電力を示してもよい。
【０００８】
第１受信装置はその後前記第１送信装置からのトラフィック送信のために第１及び第２送信レートを決定してもよい。第１信号成分の第１送信電力と第２信号成分の送信電力の送信電力比は第１受信装置に知らされる。その結果、第１送信レートは第１及び第２パイロット信号の信号電力及び送信電力比の関数として決定されてもよい。送信電力比は第１送信装置及び第１受信装置の両方に知らされる固定定数であってもよい。第１受信装置は第１送信装置から第１パイロット信号を受信する前に送信電力比を決定するために第１送信装置と通信してもよい。その後、制御メッセージが第１及び第２送信レートを含めて第１送信装置に送信される。その後、第１送信装置と第１受信装置間に通信接続が確立し得る。第１受信装置は第１送信装置からの第１トラフィック信号の目標受信機である。
【０００９】
次に、第１受信装置は第１送信装置から第１トラフィック信号を含むトラフィック信号を無線で受信してもよい。第１トラフィック信号は第１及び第２信号成分を含み、第１及び第２信号成分は第１及び第２コードワードからそれぞれ生成されてもよい。第２信号成分は第１トラフィック信号を形成するため第１信号成分に重畳されてもよい。一例では、第１信号成分は直交位相偏移キーイング（ＱＰＳＫ）コンステレーションを用いてもよく、第２信号成分はＱＡＭ−１６，ＱＡＭ−６４及びＱＡＭ−２５６コンステレーションを含む直交振幅変調（ＱＡＭ）コンステレーションを用いてもよい。
【００１０】
一例では、第１受信装置は目標第１送信装置からのトラフィック送信のための第１送信レートを決定してもよい。第１送信装置によって送信される目標第１トラフィック信号の第１及び第２信号成分の受信信号電力は第１パイロット信号の信号電力及び送信電力レートの関数として予測されてもよい。同様に、第２送信装置によって送信される干渉第２トラフィック信号の受信信号電力はまた第２パイロット信号の信号電力の関数として予測されてもよい。第１送信レートは予測信号電力と予測雑音電力との比の関数として決定されてもよい。予測信号電力は第１送信装置によって送信される目標第１トラフィック信号の第１信号成分の決定受信信号電力を含めてもよい。予測雑音電力は第１送信装置によって送信される目標第１トラフィック信号の第２信号成分の決定受信信号電力及び第２送信装置によって送信される干渉第２トラフィック信号の決定電力を含めてもよい。
【００１１】
第２送信レートは第１パイロット信号の信号電力及び送信電力レートの関数として決定されてもよい。例えば、第１送信装置によって送信される目標第１トラフィック信号の第２信号成分の受信信号電力は第１パイロット信号の信号電力及び送信電力比の関数として予測されてもよい。第２送信レートは予測信号電力と予測雑音電力の比の関数として決定されてもよい。予測信号電力は第１送信装置によって送信される目標第１トラフィック信号の第２信号成分の決定受信信号電力を含んでもよい。予測雑音電力は第１送信装置によって送信される目標第１トラフィック信号の第１信号成分の決定受信信号電力及び第２送信装置によって送信される干渉第２トラフィック信号の決定電力を除いてもよい。
【００１２】
第１送信装置によって送信された第１トラフィック信号の第１信号成分の第１データレートは第１送信レート以下であり、第１送信装置によって送信された目標第１トラフィック信号の第２信号成分の第２データレートは第２送信レート以下である。
【００１３】
第１送信装置によって送信された第１トラフィック信号の第１信号成分の第１コードワードは受信トラフィク信号から復号される。受信トラフィック信号からの復号第１信号成分は第１コードワードの復号が成功すれば復号される。第２送信装置によって送信された干渉第２トラフィック信号は復号第１信号成分が差し引かれた後に受信トラフィック信号の残余部分を用いて復号される。干渉第２トラフィック信号が首尾よく復号されれば、復号干渉第２トラフィック信号は受信トラフィック信号の残余部分から差し引かれ、第１送信装置によって送信された第１トラフィック信号の第２信号成分の第２コードワードは復号第１信号成分及び復号干渉第２トラフィック信号の両方が差し引かれた後に受信トラフィック信号の残余部分から復号される。
【００１４】
第１トラフィック信号は共用周波数スペクトルを介して重複時間間隔で第２送信装置によって送信された第２トラフィック信号として第２受信装置に送信されてもよい。
【００１５】
他の例では、第１送信装置はピア間ネットワークで動作する第１受信装置において逐次型干渉除去（ＳＩＣ）を円滑化するよう構成されてもよい。第１受信装置は第１送信装置から送信される第１トラフィック信号の目標受信機である。第１パイロット信号は第１送信装置によって放送される。それに応じて、第１送信レート及び第２送信レートは第１受信装置から受信される。その後、第１送信装置は第１コードワードを決定してもよく、第１信号成分の第１データレートが受信第１送信レート以下である場合に、第１コードワードを用いて第１信号成分を受信第１送信レートの関数として生成する。同様に、第１送信装置は第２コードワードを決定してもよく、第２コードワードを用いて第２信号成分を受信第２送信レートの関数として生成する。第２信号成分の第２データレートは受信第２送信レート以下である。第２信号成分は第１トラフィック信号を形成するために第１信号成分に重畳されてもよい。
【００１６】
第１信号成分はＱＰＳＫコンステレーションを用いてもよく、第２信号成分はＱＡＭ−１６，  ＱＡＭ−６４及びＱＡＭ−２５６の１つを含むＱＡＭコンステレーションを用いてもよい。
【００１７】
第１送信装置は第１信号成分の送信電力と第２信号成分の送信電力との送信比を決定するために第１受信装置と通信してもよい。
【００１８】
送信電力比は第１パイロット信号を放送する前に決定されてもよい。第１送信装置は送信電力を第１受信装置からの受信第１及び第２送信比の関数として変更してもよい。その後、第１送信装置は送信電力比の変更を第１受信装置に知らせてもよい。送信電力比の変更はトラフィック送信の時間スケールより大きい少なくとも５倍の時間ケースで生じてもよい。第１信号成分と第２信号成分の送信電力の送信電力比は第１送信装置と第１受信装置の両方に既知である固定定数であってもよい。
【００１９】
目標トラフィック信号は共用周波数スペクトルを介して重複時間間隔で第２送信装置によって送信された第２トラフィック信号として第２受信装置に送信されてもよい。
【００２０】
ここで説明された種々特徴は無線装置、無線装置に含まれる回路又はプロセッサ、及び／又はソフトウエア内で実行されてもよい。
【００２１】
種々の特徴、性質及び利点は同様の参照文字が全体的に対応して同定する図面と併用されたとき以下に述べた詳細な説明から明らかにできる。
【図面の簡単な説明】
【００２２】
【図１】アドホックピア間ネットワークがどのように広域ネットワークと同じ周波数スペクトル内で実施できるのかを示すブロック図である。
【図２】ピア間通信接続を確立し、及び／又は維持するために無線端末によって使用できるタイミングシーケンスの一例を示している。
【図３】複数の無線端末が他の隣接無線端末に対して干渉を生じさせるかもしれないピア間通信接続を確立してもよい環境を示すブロック図である。
【図４】二台の無線端末間に通信接続を確立するためにピア間ネットワークでのプロトコル操作の一例を示す。
【図５Ａ】干渉除去を円滑化するアドホック通信ネットワークのためのプロトコルの一例を示す。
【図５Ｂ】干渉除去を円滑化するアドホック通信ネットワークのためのプロトコルの一例を示す。
【図５Ｃ】干渉除去を円滑化するアドホック通信ネットワークのためのプロトコルの一例を示す。
【図６】ピア間ネットワーク内で能動逐次型干渉除去を行う無線受信端末で動作する方法の例を示す。
【図７】ピア間ネットワーク内で能動逐次型干渉除去を円滑化する干渉第１送信装置で動作する方法の例を示す。
【図８】ピア間ネットワーク内で能動逐次型干渉除去（ＳＩＣ）を行う又は円滑化するよう構成される無線端末を示すブロック図である。
【図９Ａ】干渉除去を円滑化するアドホック通信ネットワークのためのプロトコルの他の例を示す。
【図９Ｂ】干渉除去を円滑化するアドホック通信ネットワークのためのプロトコルの他の例を示す。
【図９Ｃ】干渉除去を円滑化するアドホック通信ネットワークのためのプロトコルの他の例を示す。
【図１０Ａ】ピア間ネットワーク内での能動逐次型干渉除去を円滑化する干渉送信装置を動作する方法の例を示す。
【図１０Ｂ】ピア間ネットワーク内での能動逐次型干渉除去を円滑化する干渉送信装置を動作する方法の例を示す。
【図１１】ピア間無線ネットワーク内での能動逐次型干渉除去（ＳＩＣ）を行う又は円滑化するよう構成される無線端末（干渉送信機）を示すブロック図である。
【図１２Ａ】ピア間ネットワーク内での能動逐次型干渉除去を円滑化する低優先度の受信装置で動作する方法の例を示す。
【図１２Ｂ】ピア間ネットワーク内での能動逐次型干渉除去を円滑化する低優先度の受信装置で動作する方法の例を示す。
【図１３】ピア間無線ネットワーク内での能動逐次型干渉除去（ＳＩＣ）を行う又は円滑化するよう構成される無線第１受信装置を示すブロック図である。
【図１４Ａ】干渉端末のレートキャップ（rate cap）制御の一例を示すフロー図である。
【図１４Ｂ】干渉端末のレートキャップ（rate cap）制御の一例を示すフロー図である。
【図１５】ピア間ネットワーク内での受動逐次型干渉除去を行う無線第１受信装置で動作する方法の例を示す。
【図１６】ピア間ネットワーク内での逐次型干渉除去を円滑化する干渉無線送信機で動作する方法の例を示す。
【図１７】ピア間無線ネットワーク内での受動逐次型干渉除去（ＳＩＣ）を行う又は円滑化するよう構成される無線端末を示すブロック図である。
【図１８Ａ】端末が周波数スペクトルを共用する場合アドホックピア間ネットワークでの干渉管理のさらにもう一つの例を示すフロー図である。
【図１８Ｂ】端末が周波数スペクトルを共用する場合アドホックピア間ネットワークでの干渉管理のさらにもう一つの例を示すフロー図である。
【図１８Ｃ】端末が周波数スペクトルを共用する場合アドホックピア間ネットワークでの干渉管理のさらにもう一つの例を示すフロー図である。
【図１９】ピア間ネットワーク内で逐次型干渉除去を行う無線受信端末で動作する方法の例を示す。
【図２０】ピア間ネットワークで動作する無線第１受信装置での逐次型干渉除去（ＳＩＣ）を円滑化するために第１送信装置で動作する方法の例を示す。
【図２１】二重送信レートを採用することによってピア間無線ネットワーク内の受動逐次型干渉除去（ＳＩＣ）を行う又は円滑化するよう構成される無線端末を示すブロック図である。
【図２２Ａ】受信第２装置が干渉第３装置からの干渉を予測するためパイロット信号を使用する干渉管理の他の例を示すフロー図である。
【図２２Ｂ】受信第２装置が干渉第３装置からの干渉を予測するためパイロット信号を使用する干渉管理の他の例を示すフロー図である。
【図２３Ａ】干渉第２送信装置からの予測干渉に基づいてピア間ネットワーク内の逐次型干渉除去を行う無線第１受信装置で動作する方法の例を示す。
【図２３Ｂ】干渉第２送信装置からの予測干渉に基づいてピア間ネットワーク内の逐次型干渉除去を行う無線第１受信装置で動作する方法の例を示す。
【図２４】ピア間無線ネットワーク内の受動逐次型干渉除去（ＳＩＣ）行う又は円滑化するよう構成される無線端末を示すブロック図である。
【図２５Ａ】干渉除去を円滑化するアドホック通信ネットワークのためのプロトコルの他の例を示す。
【図２５Ｂ】干渉除去を円滑化するアドホック通信ネットワークのためのプロトコルの他の例を示す。
【図２５Ｃ】干渉除去を円滑化するアドホック通信ネットワークのためのプロトコルの他の例を示す。
【図２６】ピア間ネットワークの能動逐次型干渉除去を円滑化する干渉第１送信装置で動作する方法の例を示す。
【図２７】ピア間ネットワーク内の能動逐次型干渉除去を円滑化する第１受信装置で動作する方法の例を示す。
【図２８】ピア間無線ネットワーク内の能動逐次型干渉除去（ＳＩＣ）を行う又は円滑化するよう構成される無線端末を示すブロック図である。
【発明を実施するための形態】
【００２３】
次の説明では、構成の充分な理解を提供するために特定の詳細が与えられる。しかしながら、構成はこれらの特定の詳細がなくて実施し得ることは当業者によって理解できるであろう。例えば、回路は構成を不必要に詳細で曖昧にしないようにブロック図で示される。他の例では、周知の回路、構成及び技術は構成を曖昧にしないように詳細に示される。
【００２４】
また、構成はフローチャート、フロー図、構成図又はブロック図として記載されるプロセスとして説明し得ることに留意する。フローチャートは逐次処理として動作を説明できるが、多くの動作は並列に又は同時に行なえる。更に、動作の順番は組換えることができる。その動作が完了すると処理は終了する。処理は方法、機能、手順、サブルーチン、サブプログラム、などに対応できる。処理が機能に対応するとき、その終了は機能を呼出機能又は主機能に戻すことに対応する。
【００２５】
アドホック通信システム
アドホックピア間無縁ネットワーク集中ネットワークコントローラの介入なしで２以上の無線端末間で確立してもよい。幾つかの例では、無線ネットワークは複数の無線端末間で共用される周波数スペクトル内で動作できる。
【００２６】
図１は、アドホックピア間ネットワークが広域ネットワークと同じ周波数スペクトル内で実施し得る方法を示すブロック図である。広域ネットワーク（ＷＡＮ）は複数のセル１０２，１０４及び１０６を含むことができる。各セルは１以上のアクセスノード（例えば、基地局）ＡＮ−Ａ１０８，ＡＮ−Ｂ１１０及びＡＮ−Ｃ１１２によって支配される。これらアクセスノードはＷＡＮコントローラ１１４によって分配的に管理又は集中的に管理し得る。この例では、第１無線端末ＷＴ１ １１６及び／又は第２無線端末ＷＴ２ １１８が無線通信接続１２０及び１２２を介してＷＡＮネットワークのアクセスノードＡＮ−Ｂ １１０との通信を可能にする。ＷＡＮネットワークは第１周波数スペクトル又は帯域で動作できる。
【００２７】
通信接続１２６がピア間通信のため無線端末ＷＴ１ １１６及びＷＴ２ １１８によって使用できる場合に、無線端末ＷＴ１ １１６及びＷＴ２ １１８はＷＡＮネットワークによって使用される同じ第１周波数スペクトルでアドホックピア間ネットワーク１２４も確立する。２つの異なる無線ネットワークによって周波数スペクトルを共用すると、制限されたスペクトル資源のより効率的な使用が提供できる。例えば、アドホックピア間ネットワークが他のネットワークのための既存のチャネル割当てを介して無線端末ＷＴ１ １１６とＷＴ２ １１８との間に確立でき、それによってスペクトル資源を効率的に利用するために周波数スペクトルを再使用及び／又は同時に使用する。１つの例では、広域ネットワーク（ＷＡＮ）が同じ周波数スペクトル又は帯域をアドホックピア間ネットワークと共用できる。
【００２８】
図１はＷＡＮネットワークとピア間ネットワークとの間で周波数スペクトルの共用使用を示しているが、第１無線端末ＷＴ１ １１６及び第２無線端末ＷＴ２ １１８はピア間ネットワークに丁度割当てられる周波数スペクトルでも動作し得る。二台の無線端末は互いの間にピア間通信接続を確立するため利用可能なスペクトルを使用する。
【００２９】
説明のために、以下では、同時に、無線端末が送信又は受信のいずれかをできるが両方はできない。当業者は端末が同時に送信及び受信の両方をできる場合に同じ原理を適用できることは理解される。
【００３０】
アドホックピア間通信システムの一例によると、接続優先化、接続スケジューリング、及び電力節約が共用周波数スペクトル又は通信チャネルをより効率的に使用するために無線端末ＷＴ１ １１６、ＷＴ２ １１８間で行うことができる。そのような周波数スペクトル共用の結果として、他の無線端末との干渉が生じる可能性がある。次に、関心の所望信号からの干渉を減じるために無線端末間で逐次型干渉除去（ＳＩＣ）を実施するための１つの構成を提供する。
【００３１】
図２はピア間通信接続を確立及び／又は維持するために無線端末によって使用し得るタイミングシーケンスの一例を示す。タイミングシーケンス２００は無線端末がデータを送信しようとする送信チャネルを予約することを試みることができる接続スケジューリングセグメント２０２、無線端末がデータを送信するときに使用する送信レート及び／又は電力を得ようと試みることができるレートスケジューリングセグメント２０４、得られた送信レート及び／又は電力で所望のデータを送信するために使用されるデータ送信セグメント２０６及び確認に応答する確認セグメント２０８を含むことができる。
【００３２】
ピア間ネットワーク内干渉除去
アドホックピア間通信システムでは、多重通信が空間及び時間の両方で共用される周波数スペクトル資源を用いて行うことができる。アドホックピア間ネットワークの分散特性のために、無線端末によって見られる干渉を制御することは必ずしも可能でないかもしれない。
【００３３】
図３は複数の無線端末が他の近隣の無線端末に干渉を生じさせるかもしれないピア間通信接続を確立できる環境を示すブロック図である。ピア間ネットワーク３００は周波数スペクトルを共用及び／又は同時に使用できる複数の無線端末を含むことができる。共用周波数スペクトルは１以上の送信及び／又は制御チャネルを含めてもよい。各送信チャネルは対応する制御チャネルを有する。一つの例では、制御チャネルは対応する送信チャネルを介して通信用トラフィック要求を送信するために使用できる。
【００３４】
一例では、第１無線端末ＷＴ Ａ ３０２は第３無線端末ＷＴ Ｃ ３０６が同じトラフィックチャネル帯域幅資源を用いて第４無線端末ＷＴ Ｄ ３０８へ３１４を同時に送信しようとしている間に第２無線端末ＷＴ Ｂ ３０４に３１０を送信しようとしている。第１無線端末ＷＴ Ａ ３０２は意図した送信機として参照でき、第２無線端末ＷＴ Ｂ ３０４は意図した受信機として参照でき、第３無線端末ＷＴ Ｃ ３０６は干渉を考慮できる。このピア間ネットワーク３００においては、送信及び制御チャネル対が複数の無線端末ＷＴ Ａ，ＷＴ Ｂ，ＷＴ Ｃ及びＷＴ Ｄによって共用されてもよい。そのような制御チャネルは無線端末ＷＴ Ａ，ＷＴ Ｂ，ＷＴ Ｃ及びＷＴ Ｄが互いに見つけられること及び／又はピア間通信接続、例えば、ディスカバリ及び／又はページング位相を設定するときに支援することを可能にする。しかしながら、そのような送信及び／又は制御チャネルは無線端末によって共用（例えば、周波数スペクトル共用）されるので、無線端末間で不所望な干渉３１４’及び３１０の結果をもたらすこともある。
【００３５】
両方の送信３１０及び３１４は実際に行われれば、そのとき、無線端末ＷＴ Ｃ ３０６からの信号３１４‘第２無線端末ＷＴ Ｂ ３０４受信機への干渉として見ることができ、第１無線端末ＷＴ Ａ ３０２からの所望の信号３１０を首尾よく回復するその能力を低下するかもしれない。故に、ある干渉管理プロトコルが第３無線端末ＷＴ Ｃ ３０６から第１無線端末ＷＴ Ｂ ３０４への干渉を管理するために必要である。干渉管理プロトコルの１つの目標は第３無線端末ＷＴ Ｃ ３０６が第２無線端末ＷＴ Ｂ ３０４に対して過度の干渉を作らないで送信することを可能にし、それによって全体の処理量を増加し、システム性能を改善することである。その間にも、第１無線端末ＷＴ Ａ ３０２は第４無線端末ＷＴ Ｄ ３０８も対して干渉３１０’を生じさせるかもしれないし、同様な干渉管理プロトコルがその干渉を制御するために使用されるかもしれないことは留意する。
【００３６】
説明のため、第２装置ＷＴ Ｂ ３０４によって受信されるべき第１装置３０８からのトラフィック送信は干渉第３装置ＷＴ Ｃ ３０６から第４装置３０８へのトラフィック送信より高い優先度を持つと言われる。更に、一装置対他装置（又は異なる同時通信接続間）の優先度が異なる方法によって確立し得る。例えば、一例では、最先のパイロット信号を持つ送信装置はより高い優先度を持つと考えることができる。他の例では、パイロット信号は最高又は最低識別値に優先度を割当てるために互いに比較し得る送信機識別子又は数値を含むことができる。更に他の例では、パイロット信号は搬送波又は互いに関して無線装置を分類するために使用し得る他のエンティティによって割当てられる優先度指標を含めることができる。
【００３７】
以下の説明では、幾つかの装置は「送信装置」として参照でき、これに対して他は受信装置として参照できる。この用語は「送信」装置が受信装置又は目標装置へのトラフィック送信のイニシエーターとなる。しかしながら、「送信装置」は送信信号を受信もでき、「受信装置」は信号送信もできる。
【００３８】
一例では、基本干渉管理プロトコルは図２に接続スケジューリング２０２，レートスケジューリング２０４及びトラフィック送信２０６によって示されるように３つの段階を含むことができる。
【００３９】
図４は二台に無線端末間に通信接続を確立するためにピア間ネットワークで動作するプロトコルの一例を示す。第１接続スケジューリング段階４０１では、第１無線端末ＷＴ Ａ ３０２が第１送信要求４０２を送信する。これは第２無線端末ＷＴ Ｂ ３０４によって受信される。このとき、第２無線端末ＷＴ Ｂ ３０４は第１送信要求４０２を送信する。これは第２無線端末ＷＴ Ｂ ３０４が第１端末ＷＴ Ａ ３０２からのトラフィック送信を受信する準備をしていることを第１無線端末ＷＴ Ａ ３０２が分るように第１無線端末ＷＴ Ａ ３０２によって受信される。第１及び第２無線端末の両方は第２段階４０７（レートスケジューリング）に進むことができる。一方、無線チャネルの放送特性のために、（４０４ｂとして表記された）同じ送信要求応答が第３端末ＷＴ Ｃ ３０６によって受信できる。この第３端末ＷＴ Ｃ ３０６はそれがトラフィックチャネル４０６で送信し続けることを選択すれば第２端末ＷＴ Ｂ ３０４に対して過度に大きな干渉を生じさせることになるか否かを決定する。一例では、そのような決定は第１無線端末ＷＴ Ａ ３０２及び第３無線端末ＷＴ Ｃ ３０６からのトラフィック送信がそれらの送信要求の電力に比例する電力を有すると仮定できる。それが過度の干渉を生じさせていることが決定されると、第３端末ＷＴ Ｃ ３０６はプロトコルの第２段階４０７に進まないことを選択するかもしれない。説明のため、第３端末ＷＴ Ｃ ３０６からのトラフィック送信が第１端末ＷＴ Ａ ３０２からのトラフィック送信よりも低いスケジューリング優先度を有するものと仮定する。
【００４０】
プロトコルの第２段階４０７で、レートスケジューリングが実施されても良い。第１端末ＷＴ Ａ ３０２は第１パイロット信号又はビーコンＰ１ ４０８を送信できる。第３端末ＷＴ Ｃ ３０６が接続スケジューリング段階４０１において欠けていなければ、それは第２パイロット信号又はビーコンＰ２４１０も送信する。第２端末ＷＴ Ｂ ３０４は第１送信レートＲ１４１２を含めても良いフィードバックメッセージを取得又は発生し、それは第１端末ＷＴ Ａ ３０２からのトラフィック送信を、第１端末ＷＴ Ａ ３０２からの第１パイロットＰ１及び／又は第３端末ＷＴ Ｃ ３０６からの第２パイロットＰ２の受信信号強度の関数としてサポートできる。その後、第２端末ＷＴ Ｂ ３０４は第１送信レートメッセージ４１４を第１端末ＷＴ Ａ ３０２に送信できる。
【００４１】
プロトコルの第３段階では、トラフィック送信が行える。第１端末ＷＴ Ａ ３０２は実際のトラフィック送信レート４１８を、第２端末ＷＴ Ｂ ３０４からの受信第１送信レートＲ１フィードバック４１４の関数として決定でき、第１トラフィック信号Ｓ１４２０をその実際のトラフィック送信レートで第２端末ＷＴ Ｂ ３０４に送信する。
【００４２】
第１トラフィック信号Ｓ１の送信と同時に、第２トラフィック信号Ｓ２４２２が第２端末ＷＴ Ｂ ３０４に対する干渉を考慮し得る。その結果、第３端末ＷＴ Ｃ ３０６は第２端末ＷＴ Ｂ ３０４に干渉するのを避けるために接続スケジューリング段階４０１において省かなければならないかもしれなく、又はそれが続行することを決定すれば、この干渉が第２端末ＷＴ Ｂ ３０４が第１端末ＷＴ Ａ ３０２からのトラフィック送信をサポートできるデータレートを（効率的に）低減するかもしれない。
【００４３】
一例では、接続スケジューリング４０１、レートスケジューリング４０７及びトラフィック送信４１６の段階は周期的基準で行っても良い。任意の少しの間に、２以上の隣接端末が共用周波数スペクトル又はピア間通信用チャネルを用いようとすれば、それらは互いに分かり、干渉緩和が１台以上の端末によって実施し得る。
【００４４】
他の無線端末からの強い干渉を扱う１つの方法は受信無線端末が不所望な干渉を復号し、それを関心信号から信号又は関心を復号する前に差し引くことである。これはしばしば逐次型干渉除去（ＳＩＣ）４２４と呼ばれる。
【００４５】
逐次型干渉除去の基本的考え方は第２端末ＷＴ Ｂ ３０４が第３端末ＷＴ Ｃ ３０６からのトラフィック送信３１４’を最初に復号し、それからそれを総受信信号（例えば、合成信号３１０及び３１４’）から消去し、最後に第１端末ＷＴ Ａ ３０２からの所望のトラフィック送信３１０を復号する。第３端末ＷＴ Ｃ ３０６からの干渉が実質的又は完全に解除できれば、第３端末ＷＴ Ｃ ３０６のトラフィック送信３１４及び３１４’は第２端末ＷＴ Ｂ ３０４に悪影響が殆どなく又はなくなるかもしれない。
【００４６】
種々の特徴によると、制御チャネル設計はＳＩＣをサポートでき、システムスペクトル効率を改良できる信号伝達を備えることができる。幾つかの態様では、２つのタイプのＳＩＣ方式、即ち能動ＳＩＣ及び受動ＳＩＣが設けられる。
【００４７】
能動逐次型干渉除去
能動ＳＩＣでは、ネットワーク空間再利用トポロジがＳＩＣの利点を十分に利用するために能動法で使用される。受信端末は干渉送信を復号でき、所望の関心信号を得るために受信信号から干渉送信を取り去ることができる限り、干渉送信の受信に耐えることができる。干渉送信は受信端末が（所定チャネル状態に対して）復号できる送信レートに又はより低く保たれる限り、受信端末は関心信号を干渉信号から分離するために干渉除去を実行できる。これを達成するために、受信端末は最大送信レートフィードバックを干渉端末に提供してもよい。
【００４８】
ＳＩＣを用いないで、自らトラフィック要求を受信する受信端末は並列又は重複送信(overlapping transmissions)がその意図する送信機から所望の信号の自らの受信と干渉するかもしれない他の送信端末を無効にしようとするかもしれない。一般的には、ＳＩＣを用いて、受信端末は他の端末が所望信号の受信と強い干渉を生じるかもしれなくても他の端末のサブセットが動作することを可能にするかもしれない。これを達成するために、受信端末は潜在的干渉端末間のチャネルを判定し、干渉信号のどのサブセットが許容し得るかを決定することができる。耐性を高め、制御チャネルオーバヘッドを減らすために、サブセットサイズは、小さくできる、即ち、１つだけ又は２つの干渉端末が任意の能動送信のためのＳＩＣ候補として選択できる。他の干渉端末からの干渉信号は干渉端末からの送信を阻止することによって抑制できる。
【００４９】
受信端末でＳＩＣ候補から所望信号を首尾よく符号化するために、ＳＩＣ候補で送信レートを制御するメカニズムが採用される。これは、全ての選択送信がチャネルを判定し、どのレートをデータ送信に使用するかを決定する場合にレートスケジューリング段で達成し得る。１つの特徴によると、各受信端末は意図した送信のためのレート及びそれがＳＩＣ候補に対して許容できるレートのフィードバックを送信してもよい（例えばレートフィードバックメッセージを放送する）。ＳＩＣ候補は目標受信端末及び能動受信端末の両方からの送信レートフィードバックメッセージを復号してもそれが割当てられる最小レートを選択してもよい。
【００５０】
（図５Ａ，５Ｂ及び５Ｃからなる）図５は干渉除去を円滑化するアドホック通信ネットワークのためのプロトコルの一例を示す。この例では、プロトコルが接続スケジュール段５０８、レートスケジュール段５２２及び送信段５４０を含む。
【００５１】
リンク（接続）スケジューリング段５０８において、第１装置ＷＴ−Ａ ５０２（送信機）は第１送信要求５１０を送信し、これは第２装置ＷＴ−Ｂ ５０４（受信機）によって受信される。隣接の第３装置ＷＴ−Ｃ ５０６（干渉機）が第２送信要求５１２を、第２装置ＷＴ−Ｂ ５０４とは異なる第４装置（図示せず）に送信してもよい。第２送信要求５１２は第２装置ＷＴ−Ｂ ５０４によっても受信又は把握される。１つの特徴によると、第２装置ＷＴ−Ｂ ９０４は、それがより高い優先通信に対して受入れられない干渉を生じるならそれがドロップアウト（例えば、装置ＷＴ−Ａ ５０２からの送信要求を無視又は拒否）することを決定できる場合に受信譲歩も行ってもよい。第２装置ＷＴ−Ｂ ５０４は、第１及び／又は第２送信要求５１０及び５１２の受信信号強度の関数として、それが第３装置ＷＴ−Ｃ ５０６から干渉を解除できるかどうかを決定してもよい。そうであれば、第２装置ＷＴ−Ｂ ５０４は送信要求応答５１６を第１装置ＷＴ−Ａ ５０２に送り、他の信号５１８を第３装置ＷＴ−Ｃ ５０６がドロップアウトする必要がないように第３装置ＷＴ−Ｃ ５０６に送る。例えば、第３装置ＷＴ−Ｃ ５０６が第２装置ＷＴ−Ｂ ５０４に非常に接近していると仮定する。ベースラインプロトコルにおいて、第３装置が第２装置によって送られた送信要求応答を受信した後、第３装置は過度の干渉を第２装置に生じるのを避けるためにドロップアウトとしなければならないかもしれないことを再認識する。現在のプロトコルでは、第２装置ＷＴ−Ｂ ５０４はそれがドロップアウトする必要がないことを制御メッセージを介して第３装置ＷＴ−Ｃ ５０６に知らせてもよい。
【００５２】
レートスケジューリング段５２２では、第１装置ＷＴ−Ａ ５０２は第１パイロット信号Ｐ１ ５２４を送信してもよい。第３装置ＷＴ−Ｃ ５０６も第２パイロット信号Ｐ２ ５２６を送信してもよい。第３装置ＷＴ−Ｃ ５０６からの信号エネルギの少なくとも幾らかの部分が解除し得ると仮定すると、第２装置ＷＴ−Ｂ ５０４はそれが第１装置ＷＴ−Ａ ５０２からの第１トラフィック信号Ｓ１を第１装置ＷＴ−Ａ ５０２からの第１パイロットＰ１の受信信号強度ＰＷＲＰ１の関数として復号できる第１送信レートＲ１ ５２８を決定してもよい。第２装置ＷＴ−Ｂ ５０４は第１送信レートＲ１ ５３０を含む第１レートレポート信号（フィードバック）を第１装置ＷＴ−Ａ ５０２に送る。更に、第２装置ＷＴ−Ｂ ５０４は第３装置ＷＴ−Ｃ ５０６からの第２トラフィック信号Ｓ２を、第３装置ＷＴ−Ｃ ５０６からの第２パイロット信号Ｐ２ ５２６の受信信号強度ＰＷＲＰ２の関数として符号化できる第２送信レートＲ２ ５３２を決定してもよい。これは第２装置ＷＴ−Ｂ ５０４が第１装置ＷＴ−Ａ ５０２からの意図した第１トラフィック信号Ｓ１を復号できる前に第３装置ＷＴ−Ｃ ５０６からの第２トラフィック信号Ｓ２を除去（解除）するためにＳＩＣを実行しようとするとき、第１装置ＷＴ−Ａ ５０２からの第１トラフィック信号Ｓ１が第３装置ＷＴ−Ｃ ５０６からの第２トラフィック信号Ｓ２を最初に復号するための処理において干渉として扱われるためである。第３装置ＷＴ−Ｃ ５０６が第２送信レートＲ２よりも高いデータレートでその第２トラフィック信号Ｓ２を送信すれば、第２装置ＷＴ−Ｂ ５０４は第２トラフィック信号Ｓ２を首尾よく復号できなく、除去できないかもしれなく、その結果、ＳＩＣ失敗するかもしれない。故に、第３装置ＷＴ−Ｃ ５０６は第２送信レートＲ２以上で送信できない可能性がある。同様に、第４装置は第３装置ＷＴ−Ｃ ５０６からの第２トラフィック信号Ｓ２を復号できる第３送信レートＲ３ ５３６を決定でき、第３送信レートＲ３を第３装置ＷＴ−Ｃ ５０６に送る。
【００５３】
トラフィック送信段５４０において、第１装置ＷＴ−Ａ ５０２は第１実際トラフィック送信レートＲＡＣＴＵＡＬ−１ ５４２を第２装置ＷＴ−Ｂ ５０４からの受信第１送信レートＲ１の関数として決定してもよく、第１トラフィック信号Ｓ１ ５４６を第２装置ＷＴ−Ｂ ５０４に送る。第３装置ＷＴ−Ｃ ５０６はまた第２実際トラフィック送信レートＲＡＣＴＵＡＬ−２ ５４４を第２装置ＷＴ−Ｂ ５０４からの受信第２送信レートＲ２ ５４８及び第４装置からの受信第３送信レートＲ３ ５３６の関数として決定してもよい。第３装置ＷＴ−Ｃ ５０６はその後その第２トラフィック信号Ｓ２を、第２又は第３送信レートＲ２及びＲ３ ５３８のいずれも超えないＲＡＣＴＵＡＬ−２ ５４４で第４装置に送ってもよい。第２装置ＷＴ−Ｂ ５０４は第３装置ＷＴ−Ｃ ５０６からの第２トラフィック信号５５０復号してもよく、その後、それを総受信信号５５２から除去（解除）し、最後に第１装置ＷＴ−Ａ ５０２からの所望の第１トラフィック信号５５４を復号する。
【００５４】
図６はピア間ネットワーク内で能動連続干渉除去を行う無線受信端末で動作する方法の一例を示している。この例では、「第２装置」（例えば、図３のＷＴ Ｃ ３０６）が第１受信装置と呼ばれ、「第１装置」（例えば、図３のＷＴ Ａ ３０２）は意図する第１送信装置と呼ばれ、「第３装置」（例えば、図３のＷＴ Ｃ ３０６）は干渉第２送信装置と呼ばれ、「第４装置」（例えば、図３のＷＴ Ｄ ３０８）は第２受信装置と呼ばれる。この例では、第１送信装置（第１装置）から第１受信装置（第２装置）へのトラフィック送信は第２送信装置（第３装置）から第２受信装置（第４装置）へのトラフィック送信より高い優先度を有してもよい。
【００５５】
通信接続は第１送信装置（第１装置ＷＴ−Ａ）と第１受信装置（第２装置ＷＴ−Ｂ）との間に確立されてもよく、第１受信装置（第２装置ＷＴ−Ｂ）は第１送信装置（第１装置ＷＴ−Ａ）６０２からの第１トラフィック信号の目標受信機である。第１レートレポート信号は第１送信レートＲ１ ６０４を示す第１送信装置（第１装置ＷＴ−Ａ）に送られる。第２レートレポート信号は第２送信レートＲ２ ６０６を示して送信される。トラフィック信号ＳＴＲＡＦＦＩＣ−ＲＸは連続トラフィックチャネルで受信され、トラフィック信号ＳＴＲＡＦＦＩＣ−ＲＸは第１送信レートＲ１ ６０８を超えない第１トラフィック送信レートＲＴＸ−１を有する第１送信装置（第１装置ＷＴ−Ａ）からの第１トラフィック信号Ｓ１を含んでもよい。また、次のトラフィックチャネルの受信信号ＳＴＲＡＦＦＩＣ−ＲＸは第２送信レートＲ２ ６１０を超えない第２トラフィック送信レートＲＴＸ−２を有する第２送信装置（第３装置ＷＴ−Ｃ）によって送信される第２トラフィック信号Ｓ２を含んでもよい。第１及び第２送信レートＲ１及びＲ２は第１受信装置（第２装置ＷＴ−Ｂ）が第１及び第２送信装置からの個々のトラフィック信号を確実に復号できる最大レートであってもよい。第１受信装置（第２装置ＷＴ−Ｂ）は第２送信装置（第３装置ＷＴ−Ｃ）６１２から送信される第２トラフィック信号Ｓ２を（受信トラフィック信号ＳＴＲＡＦＦＩＣ−ＲＸから）復号することを試みてもよい。第２トラフィック信号Ｓ２が首尾よく復号されれば、第２送信装置（第３装置ＷＴ−Ｃ）によって送信される（ａ）復号第２トラフィック信号Ｓ２が次のトラフィックチャネル６１４で受信されるトラフィック信号ＳＴＲＡＦＦＩＣ−ＲＸから減ぜられ、（ｂ）第１送信装置（第１装置ＷＴ−Ａ）によって送信される第１トラフィック信号Ｓ１が６１６を減ぜられた後のトラフィック信号ＳＴＲＡＦＦＩＣ−ＲＸの余りから復号される。第１及び第２トラフィック信号Ｓ１及び Ｓ２は重なる時間間隔で受信されてもよく、第１及び第２トラフィック信号Ｓ１及びＳ２は同じ周波数スペクトルで送信されてもよい。
【００５６】
通信接続を確立する一部として、第１受信装置（第２装置ＷＴ−Ｂ）は更に第１レートレポート信号を送る前に第１送信装置（第１装置ＷＴ−Ａ）から第１送信要求を受ける。第１送信要求は第１送信装置（第１装置ＷＴ−Ａ）が次のトラフィックチャネルにおいてトラフィックＳ１を第１受信装置（第２装置ＷＴ−Ｂ）に送信する状態にあることを示してもよい。第１受信装置（第２装置ＷＴ−Ｂ）は第２レートレポート信号を送る前に第２送信装置（第３装置ＷＴ−Ｃ）から第２送信要求も受けてもよい。第２送信要求は第２送信装置（第３装置ＷＴ−Ｃ）が次のトラフィックチャネルにおいて第２受信装置（第４装置ＷＴ−Ｄ）に第２トラフィック信号Ｓ２を送信する状態にあることを示してもよい。第２送信装置（第３装置ＷＴ−Ｃ）によって送信される第２トラフィック信号Ｓ２は第１送信装置によって送信される第１トラフィック信号Ｓ１と干渉するかもしれない。このとき、第１受信装置（第２装置ＷＴ−Ｂ）は第２送信装置（第３装置ＷＴ−Ｃ）からの干渉第２トラフィック信号Ｓ２が第１及び第２送信要求のために信号強度に基づいて復号及び差し引き得る。送信レスポンスは干渉第２トラフィック信号Ｓ２が復号及び差し引き得るかどうかを示す干渉第２送信装置（第３装置ＷＴ−Ｃ）に第１受信装置（第２装置ＷＴ−Ｂ）によって送られてもよい。第１送信装置（第１装置ＷＴ−Ａ）及び／又は第１受信装置（第２装置ＷＴ−Ｂ）（又はそれらの通信接続）が第２受信装置（第４装置ＷＴ−Ｄ）及び／又は第２送信装置（第３装置ＷＴ−Ｃ）（又はそれらの通信接続）よりも高い通信優先度を有しているとすると、第１受信装置（第２装置ＷＴ−Ｂ）がそれを復号できなければ、送信応答は第２送信装置（第３装置ＷＴ−Ｃ）が第２トラフィック信号Ｓ２を送信することを中止することを可能にする。
【００５７】
通信接続を確立するときに、第１送信装置（第１装置ＷＴ−Ａ）はまた第１レートレポート信号を送る前に第１送信装置（第１装置ＷＴ−Ａ）からの第１パイロットＰ１を受信してもよく、第２レートレポート信号を送る前に第２送信装置（第３装置ＷＴ−Ｃ）から第２パイロットＰ２を受信してもよい。第２送信レートＲ２は第２パイロットＰ２の受信信号強度の関数として決定されてもよい。意図する第１送信装置（第１装置ＷＴ−Ａ）からの信号がまだ復号されていなく、故に第２トラフィック信号Ｓ２を復号するときに干渉として処理されるかもしれないと仮定すると、第２送信レートＲ２は第２送信装置（第３装置ＷＴ−Ｃ）によって送信された第２トラフィック信号Ｓ２が第１受信装置によって復号可能である送信レートであってもよい。同様に、第１送信レートＲ１は第１パイロットＰ１の受信信号強度の関数として決定されてもよい。干渉第２送信装置（第３装置ＷＴ−Ｃ）からの信号エネルギの全て又は少なくとも幾らかの部分が消去し得ると仮定すると、第１送信レートＲ１は第１送信装置（第１装置ＷＴ−Ａ）によって送信された第１トラフィック信号Ｓ１が第１受信装置によって復号可能である送信レートであってもよい。
【００５８】
図７はピア間ネットワークないで能動逐次型干渉除去を円滑化する干渉第１送信装置で動作する方法の例を示す。この例では、「第３装置」（例えば、図３のＷＴ Ｃ ３０６）が干渉第１送信装置と呼ばれ、「第４装置」（例えば、図３のＷＴ Ｄ ３０８）は目標第１受信装置と呼ばれる。「第１装置」（例えば、図３のＷＴ Ａ ３０２）は第２送信装置と呼ばれてもよく、第２装置（例えば、図３のＷＴ Ｂ ３０４）は目標第２受信装置と呼ばれてもよい。
【００５９】
第１パイロット信号Ｐ１は（例えば、第１及び第２レートレポート信号を受信する前に）干渉第１送信装置（第３装置ＷＴ−Ｃ）によって放送されてもよい。第１レートレポート信号は第１送信レートＲ１＊を示す第１受信装置から第１送信装置（第３装置ＷＴ−Ｃ）によって受信されてもよい。第１受信装置は干渉第１送信装置（第３装置ＷＴ−Ｃ）７０４によって送信される第１トラフィック信号Ｓ１の目標受信機である。第２レートレポート信号は第２送信レートＲ２＊を示す第２受信装置（第２装置ＷＴ−Ｂ）７０６から受信される。第１及び第２送信レートＲ１＊及びＲ２＊は第１送信装置（第３装置ＷＴ−Ｃ）が目標第１受信装置及び第２受信装置それぞれによって確実に復号するために送信できる最大レートであってもよい。
【００６０】
第１トラフィック信号Ｓ１を意図した第１受信装置７０８に送信するために第１及び第２送信レートＲ１＊及びＲ２＊の最小値以下である（例えば、最小値を越えない）トラフィック送信レートＲＴＲＡＦＦＩＣが選択される。その後、第１送信装置（第３装置ＷＴ−Ｃ）は選択されたトラフィック送信レートＲＴＲＡＦＦＩＣで第１トラフィック信号を第１受信装置７１０に送信してもよい。第１トラフィック信号Ｓ１は共用周波数スペクトルで第２送信装置（第１装置ＷＴ−Ａ）からの他のトラフィック信号Ｓ２送信と共に重複時間期間で送信されてもよい。
【００６１】
一施では、メッセージは第１送信装置（第３装置ＷＴ−Ｃ）から送信される第１トラフィック信号Ｓ１が復号及び差し引かれるかを示す第２受信装置（第２装置ＷＴ−Ｂ）から受信されてもよい。そうであれば、そのとき、第１送信装置（第３装置ＷＴ−Ｃ）は選択されたトラフィック送信レートＲＴＲＡＦＦＩＣで第１トラフィック信号Ｓ１を第１受信装置７１２に送信してもよい。第１トラフィック信号Ｓ１は共用周波数スペクトルで第２送信装置（第１装置ＷＴ−Ａ）からの他のトラフィック信号Ｓ２送信と共に重複時間間隔で送信されてもよい。そうでなければ、第１送信装置（第３装置ＷＴ−Ｃ）から送信される第１トラフィック信号Ｓ１が第２受信装置によって復号及び差し引きできなければ、第１送信装置（第３装置ＷＴ−Ｃ）はトラフィック送信レートを調整してもよく、又は第２受信装置（第２装置ＷＴ−Ｂ）及び／又は第２受信装置（第２装置ＷＴ−Ｂ）が第１送信装置（第３装置ＷＴ−Ｃ）７１４よりも高い優先度を有していれば第１トラフィック信号Ｓ１を送信することを優先する。
【００６２】
図８はピア間無線ネットワーク内で能動連続干渉消去（ＳＩＣ）を行う又は円滑化するように構成される無線端末を示すブロック図である。無線端末８０２はピア間通信が行うことができるアンテナ８０８に接続されるトランシーバ８０６（例えば、送信及び／又は受信モジュール）に接続される処理回路８０４（例えば、１以上のプロセッサ、電機部品、及び／又は回路モジュール）を含んでもよい。処理回路８０４はピア間通信を円滑化できるピア間通信コントローラ８１０及び（任意に）ＷＡＮを介して通信を円滑化できる広域ネットワーク（ＷＡＮ）通信コントローラ８１２にも接続されてもよい。第１受信装置８０２は処理回路８０４及び送信レート選択器８１６に接続される能動逐次型干渉除去モジュール８１４を含んでもよい。
【００６３】
一例では、無線端末８０２は意図する第１受信装置（即ち、図３の第２装置ＷＴ  Ｂ  ３０４）として動作してもよく、それがピア間通信接続を持っている他の装置から所望信号を得るために受信信号から干渉信号を差し引くように能動ＳＩＣを実行するよう構成されてもよい。この構成では、無線端末８０２は図６に記載された動作を行うように構成されてもよい。例えば、処理回路８０４，通信レート選択器８１６及び／又はトランシーバ８０６は（ａ）第１レートレポート信号を決定し、及び／又は第１送信レートを示す第１送信装置に送るよう、及び（ｂ）第２送信レートを示す第２レートレポート信号を決定し、及び／又は送るよう動作してもよい。トランシーバ８０６、処理回路８０４，及び／又はピア間通信コントローラ８１０は次のトラフィックチャネルのトラフィック信号を受信してもよい。このトラフィック信号は第１送信レートを超えない第１トラフィック送信レートを持つ第１送信装置からの第１トラフィック信号を含む。トラフィック信号は第２送信レートを超えない第２トラフィック送信レートを持つ第２送信装置によって送信される第２トラフィック信号も含んでもよい。このとき、処理回路８０４，ピア間通信コントローラ８１０，及び／又は能動ＳＩＣモジュール８１４は第２トラフィック信号を復号し受信トラフィック信号から差し引くことによって第１トラフィック信号を取得してもよい。
【００６４】
その結果として、第一受信装置の回路は第１レートレポート信号を決定し、及び／又は第１送信レートを示す第１送信装置に送るように構成されてもよい。同じ回路、異なる回路、又は同じ又は異なる回路の第２セクションは第２送信レートを示す第２レートレポート信号を決定し、及び／又は送るように構成されてもよい。同じ回路、異なる回路、又は同じ又は異なる回路の第３セクションは次のトラフィックチャネルのトラフィック信号を受信するように構成されてもよい。トラフィック信号は第１送信レートを超えない第１トラフィック送信レートを有する第１送信装置からの第１トラフィックを含む。トラフィック信号は第２送信レートを超えない第２トラフィック送信レートを有する、第２送信装置によって送信された第２トラフィック信号をも含んでもよい。同じ回路、異なる回路、又は同じ又は異なる回路の第４セクションは第２トラフィック信号を復号し、受信トラフィック信号から差し引くことによって第１トラフィック信号を取得するように構成されてもよい。
【００６５】
他の例では、無線端末８０２は干渉第１送信装置（即ち、図３の第３装置ＷＴ Ｃ ３０６）として動作してもよく、ピア間ネットワーク内で周波数スペクトルを共用する第２受信装置（即ち、図３の第２装置ＷＴ Ｂ ３０４）によって能動ＳＩＣを円滑化するよう構成されてもよい。この構成では、無線端末は図７に示された動作を行うように構成されてもよい。例えば、トランシーバ８０６、処理回路８０４、及び／又はピア間通信コントローラ８１０は（ａ）第１送信装置によって送信される第１トラフィック信号の意図する受信機であり、第１送信レートを示す第１受信装置から第１レートレポート信号を受信してもよく、（ｂ）第２送信レートを示す第２受信装置から第２レートレポート信号を受信してもよい。処理回路８０４及び／又は送信レート選択器８１６はその後第１トラフィック信号を意図する第１受信装置に無線で送信するため第１及び第２送信レートの最小値を越えないトラフィック送信レートを選択してもよい。処理回路８０４、トランシーバ８０６及び／又はピア間通信コントローラ８１０はその後第１トラフィック信号を第１受信装置へ、共用周波数スペクトルにわたって第２送信装置によって第２受信装置に送信された第２トラフィック信号として重複時間間隔で無線により送信してもよい。
【００６６】
その結果として、第１送信装置で動作している回路は第２送信レートを示す第２受信装置から第２レートレポート信号を受信するように構成されてもよい。同じ回路、異なる回路、又は同じ又は異なる回路のための第２セクションは第２送信レートを示す第２レートレポートを決定し及び／又は送るように構成されてもよい。同じ回路、異なる回路、又は同じ又は異なる回路の第３セクションは第１トラフィック信号を第１受信装置へ無線で送信するため第１及び第２送信レートの最小値を超えないトラフィック送信レートを選択するように構成されてもよい。同じ回路、異なる回路、又は同じ又は異なる回路のための第２セクションは第２送信レートを示す第２レートレポートを決定し及び／又は送るように構成されてもよい。同じ回路、異なる回路、又は同じ又は異なる回路の第４セクションは第１トラフィック信号を第１受信装置へ、共用周波数スペクトルを介して、第２送信装置によって第２受信装置に送信された第２トラフィック信号として重複時間間隔で無線により送信するように構成されてもよい。
【００６７】
アクティブ逐次型干渉除去／干渉装置からの３つのレートレポート
別の実施方法では、干渉無線端末による送信譲歩を実施するのではなく、干渉無線端末が電力制御を行い得る。
【００６８】
図９（図９Ａ、９Ｂ及び９Ｃを備える）に、干渉除去を円滑化するアドホック（ad hoc）通信網のためのプロトコルの別の例を示す。この例では、プロトコルは、接続スケジューリング段９０８、レートスケジューリング段９２２、及び送信段９５０を含み得る。この例では、図５〜図８に示す方法と同様のアクティブ逐次型干渉除去が行われるが、さらなる電力制御が、干渉装置によって、より低い優先度の受信装置からのレート制御を用いて行われる。
【００６９】
接続スケジューリング段９０８では、第１の装置ＷＴ−Ａ９０２（受信機）が第１の送信要求９１０を送信し、この要求が第２の装置ＷＴ−Ｂ９０４（受信機）によって聞き取られる。近隣の第３の装置ＷＴ−Ｃ９０６（干渉）も、第４の装置ＷＴ−Ｄ９０９（受信機）に第２の送信要求９１２を送信し得る。また、第２の送信要求９１２は、第２の装置ＷＴ−Ｂ９０４によっても受信され、または感知され得る。一特徴によれば、この場合第２の装置ＷＴ−Ｂ９０４は、第２の装置ＷＴ−Ｂ９０４がより高い優先度の通信への許容できないほどの干渉を引き起こすことになる場合には、ドロップアウト（drop out）（第１の装置ＷＴ−Ａ９０２からの送信要求を無視または拒否するなど）することを決定する受信譲歩を行い得る。例えば、第２の装置ＷＴ−Ｂ９０４は、第１の送信要求９１０及び／又は第２の送信要求９１２の受信信号強度の関数として、第３の装置ＷＴ−Ｃ９０６からの干渉を除去することができるかどうかを判定し得る。そうである場合、第２の装置ＷＴ−Ｂ９０４は第１の装置ＷＴ−Ａ９０２に送信要求応答９１６を送信し得る。
【００７０】
第３の装置ＷＴ−Ｃ９０６は、第３の装置ＷＴ−Ｃ９０６において送信譲歩を実施するのではなく、代わりに、プロトコルの後段（すなわち、レートスケジューリング段及び／又はトラヒック送信段）において、第２の装置ＷＴ−Ｂ９０４にとっての過剰な干渉を生成しないようにするための電力制御を行い得る。同様に、第３の装置ＷＴ−Ｃ９０６からの伝送の目標受信機(intended receiver)である第４の装置ＷＴ−Ｄ９０９も、受信譲歩を行わなくてよい。すなわち、第４の装置ＷＴ−Ｄ９０９は、第１の装置ＷＴ−Ａ９０２からの信号電力が受信譲歩閾値より大きいことを検出した場合には、ドロップアウトしない。そうではなく、第４の装置ＷＴ−Ｄ９０９は、第３の装置ＷＴ−Ｃ９０６からの信号を復号する前に、第１の装置ＷＴ−Ａ９０２からのトラヒック信号を復号し、差し引こうとし得る。
【００７１】
レートスケジューリング段９２２では、第１の装置ＷＴ−Ａ９０２は、第１のパイロット信号Ｐ１９２４を送信し得る。また、第３の装置ＷＴ−Ｃ９０６も第２のパイロット信号Ｐ２９２８を送信し得る。しかし、第３の装置ＷＴ−Ｃ９０６は、接続スケジューリング段９０８で決定された干渉コスト９１８が所与の閾値より大きい場合には、低減された送信電力９２６を決定し得る。この場合、第３の装置ＷＴ−Ｃ９０６は、低減された送信電力９２６で第２のパイロット信号Ｐ２を送信する。
【００７２】
第２の装置ＷＴ−Ｂ９０４は、第２の装置ＷＴ−Ｂ９０４が第１の装置ＷＴ−Ａ９０２からの第１のトラヒック伝送Ｓ１を復号することのできる第１の伝送レートＲＢ１を、第３の装置ＷＴ−Ｃ９０６からの信号エネルギーの少なくともある部分は除去され得るものと仮定して、第１の装置ＷＴ−Ａ９０２からの第１のパイロット信号Ｐ１９２４の受信信号強度ＰＷＲＰ１−Ｂの関数として決定し得る（９２９）。第２の装置ＷＴ−Ｂ９０４は、第１の伝送レートＲＢ１９３１を含む第１のレートレポート信号（フィードバック）を、第１の装置ＷＴ−Ａ９０２に送信し得る。第１の装置ＷＴ−Ａ９０２は、第１の実際のトラヒック伝送レートＲＡＣＴＵＡＬ−１９３７を、第２の装置ＷＴ−Ｂ９０４から受信した第１の伝送レートＲＢ１の関数として決定し得る。
【００７３】
加えて、第２の装置ＷＴ−Ｂ９０４は、第２の装置ＷＴ−Ｂ９０４が第３の装置ＷＴ−Ｃ９０６からの第２のトラヒック伝送Ｓ２を復号することのできる第２の伝送レートＲＢ２９３３も、第３の装置ＷＴ−Ｃ９０６からの第２のパイロット信号Ｐ２９２８の受信信号強度ＰＷＲＰ２−Ｂの関数として決定し得る。また、第２の伝送レートＲＢ２９３３は、第１の装置ＷＴ−Ａ９０２からの第１のパイロットＰ１の受信信号強度ＰＷＲＰ１−Ｂの関数としても決定され得る。これは、第２の装置ＷＴ−Ｂ９０４が、第１の装置ＷＴ−Ａ９０２からの目標トラヒック信号を復号し得る前に第３の装置ＷＴ−Ｃ９０６からのトラヒック信号を除去するためのＳＩＣを実行しようとするとき、第１の装置からのトラヒック信号が、最初に第３の装置ＷＴ−Ｃ９０６からのトラヒック信号を復号する過程において干渉とみなされるからである。第２の装置ＷＴ−Ｂ９０４は、第３の装置ＷＴ−Ｃ９０６に、第２の伝送レートＲＢ２９３５を含む第２のレートレポート信号を送信し得る。
【００７４】
第４の装置ＷＴ−Ｄ９０９は、第３の装置ＷＴ−Ｃ９０６から送信された第２のパイロット信号Ｐ２におけるエネルギーを測定し、このエネルギーを受け取った総エネルギーと比較し得る（９３０）。また、第４の装置ＷＴ−Ｄ９０９は、第１の装置ＷＴ−Ａ９０２から送信された第１のパイロット信号Ｐ１におけるエネルギーも測定し、このエネルギーを受け取った総エネルギーと比較し得る（９３２）。これらのパイロット信号エネルギーの比較に基づき、第４の装置ＷＴ−Ｄ９０９は、これらの受信エネルギー測定値に基づく３つのレートレポートを計算し得る。第１のレートレポート９３４は、第４の装置ＷＴ−Ｄが第１の装置ＷＴ−Ａ９０２によって送信されたトラヒック信号を復号し得る第１のレートＲＤ１とすることができる。第２のレートレポート９３６は、第４の装置ＷＴ−Ｄ９０９が、第１の装置ＷＴ−Ａ９０２からのトラヒック信号伝送を復号し、この信号の寄与部分を総受信信号から差し引いているものと仮定した場合に、第４の装置ＷＴ−Ｄ９０９が第３の装置ＷＴ−Ｃ９０６から送信されたトラヒック信号を復号し得る第２のレートＲＤ２とすることができる。第３のレートレポート９３８は、第４の装置ＷＴ−Ｄ９０９が、（第１の装置ＷＴ−Ａからの信号を含む）他のあらゆる信号を干渉とみなして、第３の装置ＷＴ−Ｃ９０６によって送信されたトラヒック信号を復号し得る第３のレートＲＤ３とすることができる。第４の装置ＷＴ−Ｄ９０９は、第３の装置ＷＴ−Ｃ９０６に、これら３つのレートレポートすべてを送信し得る（９４２）。
【００７５】
ここで、第４の装置ＷＴ−Ｄ９０９が３つの伝送レート、ＲＤ１、ＲＤ２、及びＲＤ３を計算するのに使用することのできる式の一例を示す。ＰＷＲＰ２−Ｄは、第４の装置ＷＴ−Ｄ９０９が測定した、第３の装置ＷＴ−Ｃ９０６によって送信された第２のパイロットＰ２の受信電力であり、ＰＷＲＰ１−Ｄは、第４の装置ＷＴ−Ｄ９０９が測定した、第１の装置ＷＴ−Ａ９０２によって送信された第１のパイロットＰ１の受信電力であり、Ｐｔは、第４の装置ＷＴ−Ｄ９０９が測定したパイロット間隔における総受信信号の総受信電力であるものと仮定する。ＲＤ１、ＲＤ２及びＲＤ３で表される第１、第２、及び第３のレートレポートは、以下のように計算することができる。
【００７６】
ＲＤ１＝ｌｏｇ（１＋ＰＷＲＰ１−Ｄ／（Ｐｔ−ＰＷＲＰ１−Ｄ））  （式１）
ＲＤ２＝ｌｏｇ（１＋ＰＷＲＰ２−Ｄ／（Ｐｔ−ＰＷＲＰ１−Ｄ−ＰＷＲＰ２−Ｄ））  （式２）
ＲＤ３＝ｌｏｇ（１＋ＰＷＲＰ２−Ｄ／（Ｐｔ−ＰＷＲＰ２−Ｄ））  （式３）
ｌｏｇ関数の使用は、１つの好ましい実施形態にすぎず、これの代わりに他の関数も使用され得ることに留意されたい。
【００７７】
ＲＤ１を計算するために、第４の装置ＷＴ−Ｄ９０９は、総受信信号を、第１の装置ＷＴ−Ａ９０２によって送信された既知のパイロット信号Ｐ１と相関させることによって、ＰＷＲＰ１−Ｄを測定し得る。また、第４の装置ＷＴ−Ｄ９０９は、総受信信号の総電力Ｐｔも測定し、総電力ＰｔからＰＷＲＰ１−Ｄを差し引く。
【００７８】
ＲＤ２を計算するために、第４の装置ＷＴ−Ｄ９０９は、総受信信号を、第３の装置ＷＴ−Ｃ９０６によって送信された既知のパイロット信号Ｐ２と相関させることによって、ＰＷＲＰ２−Ｄを測定し得る。また、第４の装置ＷＴ−Ｄ９０９は、総受信信号を第１の装置ＷＴ−Ａ９０２によって送信された既知のパイロット信号Ｐ１と相関させることによって、ＰＷＲＰ１−Ｄを測定することもできる。また、第４の装置ＷＴ−Ｄ９０９は、総受信信号の総電力Ｐｔも測定し、総電力ＰｔからＰＷＲＰ１−Ｄ及びＰＷＲＰ２−Ｄを差し引く。
【００７９】
ＲＤ３を計算するために、第４の装置ＷＴ−Ｄ９０９は、総受信信号を第３の装置ＷＴ−Ｃ９０６によって送信された既知のパイロット信号Ｐ２と相関させることによって、ＰＷＲＰ２−Ｄを測定し得る。また、第４の装置ＷＴ−Ｄ９０９は、総受信信号の総電力Ｐｔも測定し、総電力ＰｔからＰＷＲＰ２−Ｄを差し引く。
【００８０】
レートＲＤ１、ＲＤ２及びＲＤ３が計算されると、これらは、第３の装置ＷＴ−Ｃ９０６に送信される。
【００８１】
また、第３の装置ＷＴ−Ｃ９０６は、第２の装置ＷＴ−Ｄ９０９からの第４のレートＲＤ４も受信し、復号する。第３の装置ＷＴ−Ｃ９０６は、第４の装置ＷＴ−Ｄ９０９によって送信された３つのレートレポート、ならびに第２の装置ＷＴ−Ｂ９０４によって送信された、レートＲＢ２を指示する第４のレートレポートを受信し、復号する。この第４のレートＲＢ２は、第２の装置ＷＴ−Ｂ９０４が第１の装置ＷＴ−Ａ９０２からのトラヒックデータを復号することのできる最大レートである。すなわち、第４のレートＲＢ２は、第２の装置ＷＴ−Ｂ９０４が第３の装置ＷＴ−Ｃ９０６からの伝送を除去して、第１の装置ＷＴ−Ａ９０２からの所望のトラヒック信号または伝送を復号し、獲得することのできる伝送レートである。
【００８２】
４つのレートレポートＲＤ１、ＲＤ２、ＲＤ３及びＲＢ２を受け取ると、第３の装置ＷＴ−Ｃ９０６は、これの第４の装置ＷＴ−Ｄ９０９へのトラヒック伝送のための選択伝送レートＲＳを以下のように選択する。
【００８３】
ＲＢ２＞ＲＤ１の場合、ＲＳ≦ＲＤ３、
そうではなく、ＲＢ２≦ＲＤ１の場合、ＲＳ≦ＲＤ３
すなわち、第３の装置ＷＴ−Ｃ９０６は、第２の装置ＷＴ−Ｂ９０４によって送信されたレートレポートＲＢ２と、第４の装置ＷＴ−Ｄ９０９によって送信された第１のレートＲＤ１とを比較する。レートレポートＲＢ２が第１のレートＲＤ１以下（すなわち、ＲＢ２≦ＲＤ１）である場合、第３の装置ＷＴ−Ｃ９０６は、第４の装置ＷＴ−Ｄ９０９によって指示された第２のレートＲＤ２を使用してこれのトラヒック信号を符号化する。そうではなく、レートレポートＲＢ２が第１のレートＲＤ１より大きい（すなわちＲＢ２＞ＲＤ１）場合、第３の装置ＷＴ−Ｃ９０６は、第４の装置ＷＴ−Ｄ９０９によって送信された第３のレートＲＤ３を使用してこれのトラヒック信号を符号化する。第３の装置ＷＴ−Ｃ９０９は、選択レートＲＳを符号化し、トラフィックチャネルの帯域内レート信号部分によって第４の装置にこの選択レートＲＳを指示する。
【００８４】
トラヒック送信段９５０で、第１の装置ＷＴ−Ａ９０２は、第１の実際のトラヒック伝送レートＲＡＣＴＵＡＬ−１で、第２の装置ＷＴ−Ｂ９０４に、第１のトラヒック信号Ｓ１を送信する（９５２）。第１のトラヒック信号Ｓ１と同時に、またはこれと重複（overlap）して、第３の装置ＷＴ−Ｃ９０６も、選択レートＲＳで、第４の装置ＷＴ−Ｄ９０９に、これの第２のトラヒック信号Ｓ２を送信し得る（９５４）。
【００８５】
第２の装置ＷＴ−Ｂ９０４は、第１のトラヒック信号Ｓ１及び第２のトラヒック信号Ｓ２の一部または全部を含む合成信号を受信し得る。第２の装置ＷＴ−Ｂ９０４は、第３の装置ＷＴ−Ｃ９０６からの第２のトラヒック信号Ｓ２を復号し（９４６）、次いでこれを総受信信号から除去し（差し引き）（９５８）、最後に、第１の装置ＷＴ−Ａ９０２からの所望の第１のトラヒック信号Ｓ２を復号し得る（９６０）。
【００８６】
同様に、第４の装置ＷＴ−Ｄ９０９も、第１のトラヒック信号Ｓ１及び第２のトラヒック信号Ｓ２の一部または全部を含む合成信号を受信し得る。選択レートＲＳが第２のレートＲＤ２である場合、第４の装置ＷＴ−Ｄ９０９は、まず、第１の装置ＷＴ−Ａ９０２によって送信された第１のトラヒック信号Ｓ１を復号し、対応する信号を再構築し、これの寄与部分を総受信信号から差し引いた後に、第３の装置ＷＴ−Ｃ９０６からの第２のトラヒック信号Ｓ２を復号する。選択レートＲＳが第３のレートＲＤ３である場合、第４の装置ＷＴ−Ｄ９０９は、受信信号から、第３の装置ＷＴ−Ｃ９０６からの第２のトラヒック信号Ｓ２を復号し、（第１の装置ＷＴ−Ａ９０２からの信号を含む）他のすべての信号を干渉とみなす（９６４）。
【００８７】
図１０（図１０Ａ及び１０Ｂを備える）に、ピア間ネットワーク内でアクティブ逐次型干渉除去を円滑化する、干渉送信装置上で動作する方法の一例を示す。この例では、「第３の装置」（図３のＷＴ−Ｃ３０６など）を、低優先度の干渉の第１の送信装置と呼び、「第４の装置」（図３のＷＴ−Ｄ３０８など）を第１の受信装置と呼ぶ。「第１の装置」（図３のＷＴ−Ａ３０２など）を第２の送信装置と呼び、「第２の装置」（図３のＷＴ−Ｂ３０４など）を第２の受信装置と呼び得る。この例では、第３の装置から第４の装置へのトラヒック伝送が、第１の装置から第２の装置へのトラヒック伝送より低い通信優先度を有し得る。
【００８８】
干渉の第１の送信装置（第３の装置ＷＴ−Ｃ）は、干渉の第１の送信装置（第３の装置ＷＴ−Ｃ）によって送信されるべきトラヒック信号の目標受信機である第１の受信装置（第４の装置ＷＴ−Ｄ）に、送信要求を放送し得る（１００２）。
【００８９】
目標の第１の受信装置（第４の装置ＷＴ−Ｄ）に第１のトラヒック信号を送信する前に、第１の送信装置（第３の装置ＷＴ−Ｃ）は、第１の受信装置（第４の装置ＷＴ−Ｄ）から、第１の受信装置（第４の装置ＷＴ−Ｄ）が、第１の送信装置（第３の装置ＷＴ−Ｃ）からのトラヒックを受信する用意ができていることを指示する第１の要求応答信号を受信し得る（１００４）。同様に、第２の要求応答信号も第１の送信装置（第３の装置ＷＴ−Ｃ）によって受信され、第２の要求応答信号は、第２の受信装置（第２の装置ＷＴ−Ｂ）によって第２の送信装置（第１の装置ＷＴ−Ａ）に送信され、第２の受信装置（第２の装置ＷＴ−Ｂ）が、第２の送信装置（第１の装置ＷＴ−Ａ）からのトラヒックを受信する用意ができていることを指示するものとすることができる（１００６）。
【００９０】
次いで、第１の送信装置（第３の装置ＷＴ−Ｃ）は、第１の受信装置（第４の装置ＷＴ−Ｄ）にトラヒック信号を送信または放送すべきかどうかを判定し得る。一例では、第１の送信装置（第３の装置ＷＴ−Ｃ）は、これの意図するトラヒック伝送が、第２の送信装置（第１の装置ＷＴ−Ａ）からトラヒック伝送を受信しようとしている第２の受信装置（第２の装置ＷＴ−Ｂ）への過剰な干渉を引き起こすことになるかどうかを、第２の受信装置（第２の装置ＷＴ−Ｂ）への予測干渉コストを計算することによって判定し得る（１００８）。予測干渉コストは、第２の要求応答信号の受信電力と、第１の送信装置（第３の装置ＷＴ−Ｃ）がこれのトラヒック伝送に使用しようとしている送信電力との関数として計算され得る。
【００９１】
次いで、第１の送信装置（第３の装置ＷＴ−Ｃ）は、デフォルトの送信電力での意図するトラヒック伝送が、第２の受信装置（第２の装置ＷＴ−Ｂ）への過剰な干渉を引き起こすことになるかどうかを判定し得る（１０１０）。例えば、第１の送信装置（第３の装置ＷＴ−Ｃ）は、第２の要求応答信号の受信電力と、第１の送信装置のトラヒックのための送信電力との比が閾値量より大きいかどうかを判定し得る。そうである場合、第１の送信装置（第３の装置ＷＴ−Ｃ）は、干渉コストに基づく低減した送信電力でこれのパイロット信号を放送し得る（１０１２）。すなわち、第１の送信装置（第３の装置ＷＴ−Ｃ）は、第１の送信装置の他の近隣装置への干渉を許容できるレベルまで低減するために、これのパイロット送信電力を低減し得る。そうでない場合、送信装置（第３の装置）は、これのパイロット信号を、これのデフォルトの送信電力で放送することができる（１０１４）。一実施方法では、ピア間ネットワーク内のパイロット信号の電力は、送信装置のトラヒック送信電力に比例し得ることに留意されたい。
【００９２】
次いで、第１の送信装置（第３の装置ＷＴ−Ｃ）は、第１の受信装置（第４の装置ＷＴ−Ｄ）から、第１の伝送レートを指示する第１のレートレポート信号を受信し得る（１０１６）。例えば、第１の伝送レートは、目的の第１の受信装置（第４の装置ＷＴ−Ｄ）が、第２の受信装置（第２の装置ＷＴ−Ｂ）を目的とする第２の送信装置（第１の装置ＷＴ−Ａ）からの第２のトラヒック信号を確実に復号し得る最大レートとすることができる。また、第１の送信装置（第３の装置ＷＴ−Ｃ）は、第１の受信装置（第４の装置ＷＴ−Ｄ）から、第２の伝送レートを指示する第２のレートレポート信号も受信し得る（１０１８）。例えば、第２の伝送レートは、第２の送信装置（第１の装置ＷＴ−Ａ）からの第２のトラヒック信号が復号され、総受信信号から差し引かれていると仮定した場合に、目標の第１の受信装置（ＷＴ−Ｄ）が、干渉の第１の送信装置（第３の装置ＷＴ−Ｃ）からの第１のトラヒック信号を確実に復号し得る最大レートとすることができる。また、第１の送信装置（第３の装置ＷＴ−Ｃ）は、第１の受信装置（第４の装置ＷＴ−Ｄ）から、第３の伝送レートを指示する第３のレートレポート信号も受信し得る（１０２０）。第３の伝送レートは、第２のトラヒック信号を含む他のすべてのトラヒック信号が雑音とみなされ、復号されることも、差し引かれることもないものと仮定した場合に、目標の第１の受信装置（第４の装置ＷＴ−Ｄ）が、干渉の第１の送信装置（第３の装置ＷＴ−Ｃ）からの第１のトラヒック信号を確実に復号し得る最大レートとすることができる。また、第１の送信装置（第３の装置ＷＴ−Ｃ）は、第２の受信装置（第２の装置ＷＴ−Ｂ）から、第４の伝送レートを指示する第４のレートレポート信号も受信し得る（１０２２）。第４の伝送レートは、第２の受信装置（第２の装置ＷＴ−Ｂ）が第１の送信装置（第１の装置ＷＴ−Ｃ）からの第２のトラヒック信号を復号し得る最大レートとすることができる。パイロット信号は、第１、第２、第３、及び／又は第４の各レートレポート信号を受信する前に放送され得ることに留意されたい。
【００９３】
次いで、第１の送信装置（第３の装置ＷＴ−Ｃ）は、第４の伝送レートが第１の伝送レートを超えるかどうかを判定し得る（１０２４）。第４の伝送レートが第１の伝送レートを超えると判定された場合、第１の送信装置（第３の装置ＷＴ−Ｃ）は、第１のトラヒック信号を目標の第１の受信装置（第４の装置ＷＴ−Ｄ）に送信するために、第３の伝送レート以下の実際の伝送レートを決定し得る（１０２６）。そうではなく、第４の伝送レートが第１の伝送レート以下であると判定された場合、第１の送信装置（第３の装置ＷＴ−Ｃ）は、第１のトラヒック信号を目標の第１の受信装置（第４の装置ＷＴ−Ｄ）に送信するために、第２の伝送レート以下の実際の伝送レートを決定する（１０２８）。次いで、決定された実際のトラヒック伝送レートで、第１のトラヒック信号が目標の第１の受信装置（第４の装置ＷＴ−Ｄ）に送信される（１０３０）。
【００９４】
一例では、第２の送信装置（第１の装置ＷＴ−Ａ）から第２の受信装置（第２の装置ＷＴ−Ｂ）へのトラヒック伝送が、干渉の第１の送信装置（第３の装置ＷＴ−Ｃ）から第１の受信装置（第４の装置ＷＴ−Ｄ）へのトラヒック伝送より高い優先度のものであることに留意されたい。一特徴によれば、第１のトラヒック信号の送信電力は、パイロット信号の送信電力に比例し得る。第１のトラヒック信号は、第２の送信装置（第１の装置ＷＴ−Ａ）から第２の受信装置（第２の装置ＷＴ−Ｂ）に送信される第２のトラヒック信号と共用される周波数スペクトルを介して送信され得る。
【００９５】
図１１は、ピア間無線ネットワーク内でアクティブ逐次型干渉除去（ＳＩＣ）を行い、またはこれを円滑化するように構成されている無線端末（干渉送信側）を示すブロック図である。無線端末１１０２は、ピア間通信を可能にするためのアンテナ１１０８に結合されている送受信機１１０６（送信側モジュール及び／又は受信側モジュールなど）に結合された処理回路１１０４（１つまたは複数のプロセッサ、電気部品、及び／又は回路モジュールなど）を含み得る。また、処理回路１１０４は、ピア間通信を円滑化し得るピア間通信制御装置１１１０、及び（任意選択で）ＷＡＮ（wide area network、広域網）を介した通信を円滑化し得るＷＡＮ通信制御装置１１１２にも結合され得る。また、無線端末１１０２は、処理回路１１０４に結合されたアクティブ逐次型干渉除去モジュール１１１４、伝送レートセレクタ１１１６及び干渉コスト計算器１１１８も含み得る。
【００９６】
一例では、無線端末１１０２は、干渉の第１の送信装置（すなわち、図３の第３の装置ＷＴ−Ｃ３０６）として動作し、これのピア間通信におけるこれの送信電力及び／又は伝送レートを、他の近隣装置への干渉を低減するように調整し得る。この構成では、無線端末は、図９及び図１０に示す動作を行うように構成され得る。例えば、処理回路１１０４及び／又は送受信機１１０６は、目標の第１の受信装置に第１の送信要求を送信するように動作し得る。これに応答して、無線端末１１０２は、目標の第１の受信装置から第１の要求応答信号を受信し得る。加えて、無線端末１１０２は、第２の受信装置から第２の送信装置へのものである第２の要求応答信号も受信し得る。処理回路１１０４、ピア間通信制御装置１１１０、アクティブＳＩＣモジュール１１１４及び／又は干渉コスト計算器１１１８は、第２の受信装置への予測干渉コストを決定し得る。意図するトラヒック伝送が第２の受信装置への過剰な干渉を引き起こすことになると判定される場合、送受信機１１０６は、低減された送信電力でパイロット信号を送信し得る。
【００９７】
続いて、送受信機１１０６、処理回路１１０４、及び／又はピア間通信制御装置１１１０は、（ａ）第１の受信装置からの、第１、第２及び第３の伝送レートを指示する１つまたは複数のレートレポートと、（ｂ）第２の受信装置からの、第４の伝送レートを指示する第４のレートレポート信号とを受信し得る。
【００９８】
第４の伝送レートが第１の伝送レートを超える場合、伝送レートセレクタ１１１６は、第３の伝送レート以下の実際の伝送レートを決定し得る。そうでない場合、伝送レートセレクタ１１１６は、第２の伝送レート以下の実際の伝送レートを決定し得る。次いで、送受信機１１０６、処理回路１１０４、及び／又はピア間通信制御装置１１１０は、決定された実際の伝送レートで、目標の第１の受信装置に第１のトラヒック信号を送信し得る。このような伝送は、共用周波数スペクトルを介して、第２の送信装置によって第２の受信装置に送信される第２のトラヒック信号とオーバーラップする時間間隔において行われ得る。
【００９９】
したがって、干渉の第１の送信装置内の回路は、第１の送信装置によって送信されるべき第１のトラヒック無線信号の目標とする受信機である目標の第１の受信装置から、第１の伝送レートを指示する第１のレートレポート信号を受信するように適合され得る。同じ回路、別の回路、または同じもしくは別の回路の第２の区間は、目標の第１の受信装置から、第２の伝送レートを指示する第２のレートレポート信号を受信するように適合され得る。同じ回路、別の回路、または同じもしくは別の回路の第３の区間は、目標の第１の受信装置から、第３の伝送レートを指示する第３のレートレポート信号を受信するように適合され得る。同じ回路、別の回路、または同じもしくは別の回路の第４の区間は、第２の受信装置から、第４の伝送レートを指示する第４のレートレポート信号を受信するように適合され得る。同じ回路、別の回路、または同じもしくは別の回路の第５の区間は、第４の伝送レートが第１の伝送レートを超えるかどうかを判定するように適合され得る。同じ回路、別の回路、または同じもしくは別の回路の第６の区間は、実際の伝送レートを決定し、または選択するように適合され得る。第４の伝送レートが第１の伝送レートを超える場合、第１のトラヒック信号を目標の第１の受信装置に送信するための実際の伝送レートは、第３の伝送レート以下である。そうではなく、第４の伝送レートが第１の伝送レート以下である場合、第１のトラヒック信号を目標の第１の受信装置に送信するための実際の伝送レートは、第２の伝送レート以下である。同じ回路、別の回路、または同じもしくは別の回路の第７の区間は、実際のトラヒック伝送レートで目標の第１の受信装置に第１のトラヒック信号を送信するように適合され得る。
【０１００】
図１２（図１２Ａ及び１２Ｂを備える）に、ピア間ネットワーク内でアクティブ逐次型干渉除去を円滑化する、低優先度受信装置上で動作する方法の一例を示す。この例では、「第３の装置」（図３のＷＴ−Ｃ３０６など）を低優先度の干渉の第１の送信装置と呼び、「第４の装置」（図３のＷＴ−Ｄ３０８など）を第１の受信装置と呼ぶ。「第１の装置」（図３のＷＴ−Ａ３０２など）は第２の送信装置と呼び、「第２の装置」（図３のＷＴ−Ｂ３０４など）は、第２の受信装置と呼び得る。この例では、第３の装置から第４の装置へのトラヒック伝送が、第１の装置から第２の装置へのトラヒック伝送より低い通信優先度を有し得る。
【０１０１】
第１のトラヒック伝送レートを送信する前に、第２の送信装置（第１の装置ＷＴ−Ａ）から、第２の受信装置（第２の装置ＷＴ−Ｂ）を目的とする第１の送信要求が受信され得る（１２００）。第１の送信要求は、第２の送信装置（第１の装置ＷＴ−Ａ）が、後続のトラフィックチャネルにおいて、第２の受信装置（第２の装置ＷＴ−Ｂ）に第２のトラヒック信号を送信しようとしていることを指示し得る。第２のトラヒック伝送レート及び第３のトラヒック伝送レートを送信する前に、干渉の第１の送信装置（第３の装置ＷＴ−Ｃ）から第２の送信要求が受信され得る（１２０２）。第２の送信要求は、後続のトラフィックチャネルにおいて、干渉の第１の送信装置（第３の装置ＷＴ−Ｃ）が第１の受信装置（第４の装置ＷＴ−Ｄ）に第１のトラヒック信号を送信しようとしていることを指示し得る。第２の送信装置（第１の装置ＷＴ−Ａ）によって送信されるべき第２のトラヒック信号は、干渉の第１の送信装置（第３の装置ＷＴ−Ｃ）によって送信されるべき第１のトラヒック信号と干渉し合うことになる。
【０１０２】
第１の受信装置（第４の装置ＷＴ−Ｄ）は、信号対干渉電力比を計算することができ、信号電力は、第２の送信要求の受信電力と、雑音電力及び、第１の送信要求とは異なる干渉信号の電力のうちの１つを含む干渉電力との関数として決定される（１２０３）。次いで、干渉の第１の送信装置（第３の装置ＷＴ−Ｃ）に送信要求応答を送信するべきかどうかを判定するために、計算された信号対干渉電力比が、許容できる閾値と比較される（１２０４）。信号対干渉電力が許容できる閾値より低い場合（１２０６）、第１の受信装置（第４の装置ＷＴ−Ｄ）は、干渉の第１の送信装置（第３の装置ＷＴ−Ｃ）に送信要求応答を送信する（１２０８）。そうでない場合、第２の送信要求は無視される（１２０７）。
【０１０３】
第１の受信装置（第４の装置ＷＴ−Ｄ）は、干渉の第１の送信装置（第３の装置ＷＴ−Ｃ）から第１のパイロット信号を無線で受信し（１２１０）、第２の送信装置（第１の装置ＷＴ−Ａ）から、第２の送信装置（第１の装置ＷＴ−Ａ）が、第１のトラヒック信号と干渉し合うことになる第２のトラヒック信号を送信しようとしていることを指示する第２のパイロット信号を、やはり無線で受信し得る（１２１２）。
【０１０４】
第１の伝送レートが、第２のパイロット信号の受信信号強度の関数として決定される（１２１４）。第１の伝送レートは、第１の受信装置（第４の装置ＷＴ−Ｄ）が、第２の送信装置（第１の装置ＷＴ−Ａ）からの第２のトラヒック信号を確実に復号し得る最大レートとすることができる。第２の伝送レートが、第１のパイロット信号及び第２のパイロット信号の受信信号強度の関数として決定される（１２１６）。第２の伝送レートは、第２の送信装置（第１の装置ＷＴ−Ａ）からの第２のトラヒック信号が復号され、総受信信号から差し引かれているものと仮定した場合に、第１の受信装置（第４の装置ＷＴ−Ｄ）が、第１の送信装置（第３の装置ＷＴ−Ｃ）からの第１のトラヒック信号を確実に復号し得る最大レートとすることができる。第３の伝送レートが、第１のパイロット信号の受信信号強度の関数として決定される（１２１８）。第３の伝送レートは、第２のトラヒック信号を含む他のすべてのトラヒック信号が雑音とみなされ、復号されることも差し引かれることもないものと仮定した場合に、第１の受信装置（第４の装置ＷＴ−Ｄ）が第１の送信装置（第３の装置ＷＴ−Ｃ）からの第１のトラヒック信号を確実に復号し得る最大レートとすることができる。第１の送信装置（第３の装置ＷＴ−Ｃ）に、第１、第２及び第３の伝送レートを指示するデータレート情報を含むメッセージが、無線で送信され得る（１２２０）。
【０１０５】
次いで、第１の送信装置（第３の装置ＷＴ−Ｃ）と第１の受信装置（第４の装置ＷＴ−Ｄ）の間に無線通信接続が確立され得る（１２２２）。続いて、トラフィックチャネルを介して、第１の送信装置（第３の装置ＷＴ−Ｃ）によって送信された第１のトラヒック信号と、第２の送信装置（第１の装置ＷＴ−Ａ）によって送信された第２のトラヒック信号を含む信号が受信され得る（１２２４）。第２のトラヒック信号は、後続のトラフィックチャネルにおいて受信される信号から復号される（１２２６）。復号された第２のトラヒック信号は、後続のトラフィックチャネルにおける受信信号から差し引かれて（１２２８）、第１のトラヒック信号が獲得される（１２３０）。第１のトラヒック信号及び第２のトラヒック信号はオーバーラップする時間間隔において受信され、第１のトラヒック信号及び第２のトラヒック信号は、同じ周波数スペクトルにおいて伝送され得る。
【０１０６】
図１３は、ピア間無線ネットワーク内でアクティブ逐次型干渉除去（ＳＩＣ）を行い、または円滑化するように構成されている無線の第１の受信装置を示すブロック図である。第１の受信装置１３０２は、ピア間通信を可能にするためのアンテナ１３０８に結合されている送受信機１３０６（送信側モジュール及び／又は受信側モジュールなど）に結合された処理回路１３０４（１つまたは複数のプロセッサ、電気部品、及び／又は回路モジュールなど）を含み得る。また、処理回路１３０４は、ピア間通信を円滑化し得るピア間通信制御装置１３１０、及び（任意選択で）ＷＡＮを介した通信を円滑化し得るＷＡＮ通信制御装置１３１２にも結合され得る。また、第１の受信装置１３０２は、処理回路１３０４に結合されたアクティブ逐次型干渉除去モジュール１３１４、伝送レートセレクタ１３１６及び干渉コスト計算器１３１８も含み得る。
【０１０７】
一例では、第１の受信装置は、図９及び図１２に示す動作を行うように構成され得る。例えば、処理回路１３０４及び／又は送受信機１３０６は、第２の送信装置から第１の送信要求を受信するように動作し得る。第１の送信要求は、第２の送信装置が、後続のトラフィックチャネルにおいて、第２の受信装置に第２のトラヒック信号を送信しようとしていることを指示し得る。同様に、処理回路１３０４及び／又は送受信機１３０６は、第２のトラヒック伝送レート及び第３のトラヒック伝送レートを送信する前に、干渉の第１の送信装置から第２の送信要求を受信するように動作し得る。第２の送信要求は、後続のトラフィックチャネルにおいて、干渉の第１の送信装置が、第１の受信装置に、第１のトラヒック信号を送信しようとしていることを指示し得る。第２の送信装置によって送信されるべき第２のトラヒック信号は、干渉の第１の送信装置によって送信されるべき第１のトラヒック信号と干渉し合うことになる。処理回路１３０４及び／又は送受信機１３０６は、（ａ）干渉の第１の送信装置に要求応答を送信するべきかどうかを、第１の送信要求及び第２の送信要求の受信電力の関数として判定し、（ｂ）送信要求応答を送信するべきと判定される場合に、干渉の第１の送信装置に要求応答を送信し得る。
【０１０８】
続いて、送受信機１３０６、処理回路１３０４、及び／又はピア間通信制御装置１３１０は、（ａ）干渉の第１の送信装置から第１のパイロット信号を無線で受信し、（ｂ）第２の送信装置から、第２の送信装置が、第１のトラヒック信号と干渉し合うことになる第２のトラヒック信号を送信しようとしていることを指示する第２のパイロット信号を無線で受信し得る。次いで、処理回路１３０４及び／又は伝送レート計算器１３１６は、（ａ）第１の伝送レートを、第２のパイロット信号の受信信号強度の関数として決定し、（ｂ）第２の伝送レートを、第１のパイロット信号及び第２のパイロット信号の受信信号強度の関数として決定し、（ｃ）第３の伝送レートを、第１のパイロット信号の受信信号強度の関数として決定し得る。次いで、処理回路１３０４及び／又は送受信機１３０６は、第１の送信装置に、第１、第２及び第３の伝送レートを指示するデータレート情報を含む制御メッセージを送信し得る。
【０１０９】
続いて、送受信機１３０６、処理回路１３０４、及び／又はピア間通信制御装置１３１０は、（ａ）干渉送信装置と無線端末（受信装置）の間に無線通信接続を確立し、（ｂ）後続のトラフィックチャネルにおいて、干渉送信装置によって送信された第１のトラヒック信号及び第１の装置によって送信された第２のトラヒック信号を含む信号を受信し、（ｃ）後続のトラフィックチャネルにおいて受信した信号から第２のトラヒック信号を復号し、（ｄ）後続のトラフィックチャネルにおける受信信号から復号した第２のトラヒック信号を差し引いて、第１のトラヒック信号を獲得し、（ｅ）後続のトラフィックチャネルにおける受信信号から第１のトラヒック信号を復号することができる。
【０１１０】
したがって、第１の送信装置によって送信されるべき第１のトラヒック信号の目標受信機である第１の受信装置内の回路は、第１の送信装置から第１のパイロット信号を受信するように適合され得る。同じ回路、別の回路、または同じもしくは別の回路の第２の区間は、第２の送信装置から、第２の送信装置が、第１のトラヒック信号と干渉し合うことになる第２のトラヒック信号を送信しようとしていることを指示する第２のパイロット信号を受信するように適合され得る。同じ回路、別の回路、または同じもしくは別の回路の第３の区間は、第１の伝送レートを、第２のパイロット信号の受信信号強度の関数として決定するように適合され得る。同じ回路、別の回路、または同じもしくは別の回路の第４の区間は、第２の伝送レートを、第１のパイロット信号及び第２のパイロット信号の受信信号強度の関数として決定するように適合され得る。同じ回路、別の回路、または同じもしくは別の回路の第５の区間は、第３の伝送レートを、第１のパイロット信号の受信信号強度の関数として決定するように適合され得る。同じ回路、別の回路、または同じもしくは別の回路の第６の区間は、干渉の第１の送信装置に、第１、第２及び第３の伝送レートを指示するデータレート情報を含む制御メッセージを送信するように適合され得る。同じ回路、別の回路、または同じもしくは別の回路の第７の区間は、後続のトラフィックチャネルにおいて、干渉の第１の送信装置によって送信された第１のトラヒック信号及び第２の送信装置によって送信された第２のトラヒック信号を含む信号を受信するように適合され得る。同じ回路、別の回路、または同じもしくは別の回路の第８の区間は、後続のトラフィックチャネルにおける受信信号から第１のトラヒック信号を復号する前に、後続のトラフィックチャネルにおいて受信した信号から第２のトラヒック信号を復号するように適合され得る。同じ回路、別の回路、または同じもしくは別の回路の第９の区間は、後続のトラフィックチャネルにおける受信信号から復号した第２のトラヒック信号を差し引いて、第１のトラヒック信号を獲得するように適合され得る。同じ回路、別の回路、または同じもしくは別の回路の第１０の区間は、後続のトラフィックチャネルにおける受信信号から第１のトラヒック信号を復号するように適合され得る。
【０１１１】
アクティブＳＩＣは、制御チャネルにおいて大幅に余分のオーバーヘッドを必要とし得る。したがって、他の例によれば、オーバーヘッドがずっと少なくて済む受動的（passive）ＳＩＣが実施され得る。受動ＳＩＣでは、アドホックピア間ネットワークで動作する端末の間でＳＩＣを可能にするためのトポロジを作成する必要がない。そうではなく、このトポロジが受動的に監視され、ＳＩＣは、可能なときにいつでも適用できる。具体的には、受動ＳＩＣにおいては、非ＳＩＣの場合と同じ接続スケジューリングアルゴリズムが使用され得る。しかし、レートスケジューリング段において、受信側端末は、これの所望のトラヒック伝送の可能なすべての干渉端末を識別する。次いで、受信側端末は、どの部分の干渉端末を使用すべきか決定し、受信側端末自体の伝送及び／又は（１つまたは複数の）干渉の伝送のためのレートを決定する。例えば、受信側端末は、これらの部分の干渉端末からの伝送を除去することができるものと仮定した場合に、受信側端末が所望のトラヒック伝送を受信することのできる伝送レートを決定し得る。
【０１１２】
説明を円滑化するために、各受信側端末が、これの最強の干渉端末からの信号を復号し、除去しようと試みる場合のみを考える。これを可能にする選択肢は複数あり、以下にいくつかの例示的選択肢を示す。
【０１１３】
受動的逐次型干渉除去／レート上限設定
周波数スペクトルが領域内の複数の端末によって共用されるアドホックピア間ネットワークにおける受動ＳＩＣの第１の選択肢によれば、干渉端末のレート上限制御が実施される。受信側端末は、ＳＩＣにより高い優先度を与えることができ、受信機から優勢な干渉にレート上限を通知させる。これは、アクティブＳＩＣの部分で説明したのと同様のやり方で行うことができる。
【０１１４】
図１４（図１４Ａ及び１４Ｂを備える）は、干渉端末のレート上限制御の一例を示す流れ図である。図４に示す基準プロトコルと同様に、接続スケジューリング段１４０８において、第１の無線端末ＷＴ−Ａ１４０２が第１の送信要求１４１０を送信し、これが第２の無線端末ＷＴ−Ｂ１４０４によって受信される。次いで、第２の無線端末ＷＴ−Ｂ１４０４が送信要求応答１４１２ａを送信し、これが第１の無線端末ＷＴ−Ａ１４０２によって受信され、そのため、第１の無線端末ＷＴ−Ａ１４０２は、第２の無線端末ＷＴ−Ｂ１４０４が第１の端末ＷＴ−Ａ１４０２からのトラヒック伝送を受信する用意ができていることを知る。第１の無線端末１４０２も第２の無線端末１４０４も、第２の段１４１６（レートスケジューリング）に進み得る。
【０１１５】
同時に、第３の端末ＷＴ−Ｃ１４０６によって送信要求応答１４１２ｂも受信され得る。これは、端末１４０２、１４０４、及び１４０６が周波数空間または通信路を共用し得るからである。
【０１１６】
一実施方法では、より低い優先度の端末がより高い優先度の端末に伝送を譲るための送信優先順位が確立され得る。この例では、第３の端末ＷＴ−Ｃ１４０６は、第１の端末ＷＴ−Ａ１４０２より低い優先度を有し得る。第３の端末ＷＴ−Ｃ１４０６は、伝送を完全にドロップアウトし、または打ち切るのではなく、代わりに、これのトラヒック伝送レートを、受信された伝送レート上限Ｒｃを超えないように調整しようとし得る。よって、第３の端末ＷＴ−Ｃ１４０６は、第２の端末ＷＴ−Ｂ１４０４への必要以上の干渉を引き起こさずに送信し続けることができる。説明のために、第３の端末ＷＴ−Ｃ１４０６からのトラヒック伝送は、第１の端末ＷＴ−Ａ１４０２からのトラヒック伝送より低いスケジューリング優先度を有するものと仮定する。したがって、第３の端末ＷＴ−Ｃ１４０６は、第２の端末ＷＴ−Ｂ１４０４によって設定されたレート上限Ｒｃに従い得る。
【０１１７】
続いて、レートスケジューリング段１４１６及びトラヒック送信段１４１８が図５と同様に実行され得る。例えば、レートスケジューリング段１４１６では、第１の端末ＷＴ−Ａ１４０２からの第１のパイロット信号送信１４２０及び第３の端末ＷＴ−Ｃ１４０６からの第２のパイロット信号送信１４２２が、第２の端末ＷＴ−Ｂ１４０４によって受信され得る。次いで、第２の端末１４０４は、第１のパイロット信号１４２０及び第２のパイロット信号１４２２の信号強度に基づいて、第１の装置ＷＴ−Ａ１４０２からのトラヒック伝送１４２４のためのレートフィードバックを生成し得る。第２の端末ＷＴ−Ｂ１４０４が、第３の装置ＷＴ−Ｃ１４０６からの干渉トラヒック信号がＳＩＣを使用して復号され、除去され得るものと期待する一実施形態では、第１の装置ＷＴ−Ａ１４０２からのトラヒック伝送のためのレートフィードバック１４２４は、第２のパイロット信号１４２２の信号強度ではなく、第１のパイロット信号１４２０の信号強度に基づくものとすることができる。トラヒックレートフィードバックは、第１の端末ＷＴ−Ａに送信される（１４２６）。次いで、第１の端末１４０２は、トラヒックレートフィードバック１４２６を使用して、実際のトラヒック伝送レート１４２８を決定し得る。
【０１１８】
一態様によれば、第２の端末ＷＴ−Ｂ１４０４は、第３の端末１４０６に伝送レート上限ＲＣ１４２５も送信し得る（１４２７）。第２の端末ＷＴ−Ｂ１４０４は、第１の装置１４０２からの第１のパイロット信号１４２０及び第３の端末ＷＴ−Ｃ１４０６からの第２のパイロット信号１４２２の信号強度に基づいて、伝送レート上限ＲＣ１４２５を決定し得る。次いで、第２の端末ＷＴ−Ｂ１４０４は、第３の端末ＷＴ−Ｃ１４０６に伝送レート上限ＲＣ１４２５を送信する（１４２７）。伝送レート上限Ｒｃは、第３の端末ＷＴ−Ｃ１４０６からのトラヒック伝送が、第１の端末ＷＴ−Ａ１４０２から第２の端末ＷＴ−Ｂ１４０４への同時の、またはオーバーラップするトラヒック伝送と干渉し合わないように、第２の端末ＷＴ−Ｂ１４０４によって復号され得る伝送レートとすることができる。第３の端末ＷＴ−Ｃ１４０６の伝送レートを制限することにより、第２の端末ＷＴ−Ｂ１４０４は、第３の端末ＷＴ−Ｃ１４０６に共用のスペクトルまたは通信路上で同時に送信させながら、第１の端末ＷＴ−Ａ１４０２からのトラヒック伝送を受信することができる。次いで、第３の端末ＷＴ−Ｃ１４０６は、受信した伝送レート上限Ｒｃを使用した送信に進むべきかどうかを判定し得る（１４２９）。例えば、伝送レート上限Ｒｃが所望のサービス品質を維持するには低すぎる場合、第３の端末ＷＴ−Ｃ１４０６は、単に、待機して後から送信しようとしてもよく、これの送信チャネルを、第２の端末ＷＴ−Ｂ１４０４と干渉し合わないように変更してもよい。
【０１１９】
トラヒック送信段１４１８において、第１の端末１４０２は、決定されたトラヒック伝送レートで第１のトラヒック信号を送信し得る（１４３０）。第２の端末１４０４は、第１の端末１４０２からの第１のトラヒック信号及び第３の端末ＷＴ−Ｃ１４０６からの第２のトラヒック信号１４３２を、合成トラヒック信号として受信し得る。次いで、第２の端末１４０４は、合成トラヒック信号に対して逐次型干渉除去１４３４を行い得る。すなわち、第２の端末１４０４は、第２のトラヒック信号を復号して、合成トラヒック信号から差し引くことができ、次いで、合成トラヒック信号の残りの部分から第１のトラヒック信号を復号する。
【０１２０】
図１５に、ピア間ネットワーク内で受動的逐次型干渉除去を行う無線の第１の受信装置上で動作する方法の一例を示す。この例では、「第２の装置」（図３のＷＴ−Ｂ３０４など）を第１の受信装置と呼び、「第１の装置」（図３のＷＴ−Ａ３０２など）を目標の第１の送信装置と呼び、「第３の装置」（図３のＷＴ−Ｃ３０６など）を干渉の第２の送信側端末と呼ぶ。この例では、干渉の第２の送信装置（第３の装置ＷＴ−Ｃ）から第２の受信装置（第４の装置ＷＴ−Ｄ）へのトラヒック伝送が、第１の送信装置（第１の装置ＷＴ−Ａ）から第１の受信装置（第２の装置ＷＴ−Ｂ）へのトラヒック伝送より（共用周波数スペクトル上で）低い通信優先度を有し得る。
【０１２１】
第１の送信要求が第１の送信装置（第１の装置ＷＴ−Ａ）から無線で受信され、第１の送信要求は、第１の送信装置（第１の装置ＷＴ−Ａ）が第１の受信装置（第２の装置ＷＴ−Ｂ）にトラヒックを送信しようとしていることを指示し得る（１５００）。第２の送信要求が、干渉の第２の送信装置（第３の装置ＷＴ−Ｃ）から無線で受信される（１５０２）。第２の送信要求は、第２の受信装置（すなわち第１の受信装置ＷＴ−Ｂでない受信装置）を目標とし得る。第１の受信装置（第２の装置ＷＴ−Ｂ）は、（任意選択で）第１の送信装置（第１の装置ＷＴ−Ａ）に、要求応答を送信し得る（１５０４）。第１のパイロット信号が第１の送信装置（第１の装置ＷＴ−Ａ）から無線で受信され、第２のパイロット信号が第２の送信装置（第３の装置ＷＴ−Ｃ）から無線で受信され得る（１５０６）。第１のパイロット信号及び第２のパイロット信号の信号強度に基づいて、干渉の第２の送信装置（第３の装置ＷＴ−Ｃ）のための伝送レート上限Ｒｃが決定される（１５０８）。伝送レート上限Ｒｃは、第１の受信装置（第２の装置ＷＴ−Ｂ）が第２の送信装置（第３の装置ＷＴ−Ｃ）からのトラヒック信号を確実に復号し得る最大レートとすることができる。伝送レート上限Ｒｃを含む制御メッセージが、干渉の第２の送信装置（第３の装置ＷＴ−Ｃ）に送信される（１５１０）。伝送レート上限Ｒｃは、接続スケジューリング段において送信され得る。第２の送信要求は、第２の送信装置（第３の装置ＷＴ−Ｃ）から、第２の送信装置（第３の装置ＷＴ−Ｄ）の目標受信機である第２の受信装置（第４の装置ＷＴ−Ｄ）に送信され得る。
【０１２２】
一例では、図１４のレートスケジューリング段１４１６に示すように、第１の送信装置（第１の装置ＷＴ−Ａ）からのトラヒック伝送のトラヒック伝送レートも獲得され得る。すなわち、第１の受信装置（第２の装置ＷＴ−Ｂ）は第１の送信装置（第１の装置ＷＴ−Ａ）にトラヒックレートフィードバックを提供することができ、第１の送信装置（第１の装置ＷＴ−Ａ）はこのフィードバックをこれの実際のトラヒック伝送レートを決定するのに使用することができる。
【０１２３】
後続のトラフィックチャネルにおいて、第１の送信装置（第１の装置ＷＴ−Ａ）からの第１のトラヒック信号Ｓ１と、第２の送信装置（第３の装置ＷＴ−Ｃ）によって送信された、伝送レート上限Ｒｃ以下の第２のトラヒック伝送レートを有する第２のトラヒック信号Ｓ２を含むトラヒック信号ＳＴＲＡＦＦＩＣ−ＲＸが、第１の受信装置（第２の装置ＷＴ−Ｂ）によって無線で受信され得る（１５１２）。第１のトラヒック信号Ｓ１及び第２のトラヒック信号Ｓ２は、オーバーラップする時間間隔において受信されてもよく、同じ周波数スペクトルにおいて送信されてもよい。第１の受信装置（第２の装置ＷＴ−Ｂ）は、第２の送信装置（第３の装置ＷＴ−Ｃ）から送信された第２のトラヒック信号Ｓ２を復号することができるかどうかを判定しようとし得る（１５１４）。第２のトラヒック信号Ｓ２の復号に成功した場合、復号された第２のトラヒック信号Ｓ２は、後続のトラフィックチャネルにおいて受信されたトラヒック信号ＳＴＲＡＦＦＩＣ−ＲＸから差し引かれる（１５１６）。次いで、復号された第２のトラヒック信号Ｓ２が差し引かれた後の受信トラヒック信号ＳＴＲＡＦＦＩＣ−ＲＸの残りの部分から、第１のトラヒック信号Ｓ１が復号され得る（１５１８）。すなわち、他の同時の、及び／又はオーバーラップする信号の中から、第１の受信装置（第２の装置ＷＴ−Ｂ）によって第２のトラヒック信号Ｓ２が識別され得る場合には、第１の受信装置（第２の装置ＷＴ−Ｂ）は、第２のトラヒック信号Ｓ２を差し引き、または除去して、これの所望の第１のトラヒック信号Ｓ１を抽出することができる。そうではなく、第２のトラヒック信号Ｓ２が第１の受信装置（第２の装置ＷＴ−Ｂ）によって復号され得ない場合には、第１の受信装置（第２の装置ＷＴ−Ｂ）は、（任意選択で）伝送レート上限Ｒｃを調整してもよい（１５２０）。
【０１２４】
図１６に、ピア間ネットワーク内で逐次型干渉除去を円滑化する干渉無線送信側端末上で動作する方法の一例を示す。すなわち、この方法は、干渉送信側端末に、ピア間ネットワーク内の意図されない受信側端末による逐次型干渉除去（ＳＩＣ）を円滑に行わせることができる。この例では、「第３の装置」（図３のＷＴ−Ｃ３０６など）を干渉の第１の送信装置と呼び、「第４の装置」（図３のＷＴ−Ｄ３０８など）を目標の第１の受信装置と呼ぶ。「第１の装置」（図３のＷＴ−Ａ３０２など）は第２の送信装置と呼び、「第２の装置」（図３のＷＴ−Ｂ３０４など）は第２の受信装置と呼び得る。この例では、干渉の第１の送信装置（第３の装置ＷＴ−Ｃ）から第１の受信装置（第４の装置ＷＴ−Ｄ）へのトラヒック伝送が、第２の送信装置（第１の装置ＷＴ−Ａ）から第２の受信装置（第２の装置ＷＴ−Ｂ）へのトラヒック伝送より（共用周波数スペクトル上で）低い通信優先度を有し得る。
【０１２５】
第１の送信装置（第３の装置ＷＴ−Ｃ）は、第１の送信装置（第３の装置ＷＴ−Ｃ）によって送信されるべきトラヒック信号の目標受信機である第１の受信装置（第４の装置ＷＴ−Ｄ）に送信要求を放送し得る（１６０２）。目標の第１の受信装置（第４の装置ＷＴ−Ｄ）にトラヒック信号を送信する前に、第１の送信装置（第３の装置ＷＴ−Ｃ）は、第１の受信装置（第４の装置ＷＴ−Ｄ）から、第１の受信装置（第４の装置ＷＴ−Ｄ）が第１の送信装置（第３の装置ＷＴ−Ｃ）からのトラヒックを受信する用意ができていることを指示する第１の要求応答信号を受信し得る（１６０４）。同様に、第２の要求応答信号が第１の送信装置（第３の装置ＷＴ−Ｃ）によって受信され、第２の要求応答信号は、第２の受信装置（第２の装置ＷＴ−Ｂ）によって第２の送信装置（第１の装置ＷＴ−Ａ）に送信され、第２の受信装置（第２の装置ＷＴ−Ｂ）が第２の送信装置（第１の装置ＷＴ−Ａ）からのトラヒックを受信する用意ができていることを指示し得る（１６０６）。
【０１２６】
次いで、第１の送信装置（第３の装置ＷＴ−Ｃ）は、第１の受信装置（第４の装置ＷＴ−Ｄ）にトラヒック信号を送信または放送すべきかどうかを判定し得る。一例では、第１の送信装置（第３の装置ＷＴ−Ｃ）は、これの意図するトラヒック伝送が、第２の送信装置（第１の装置ＷＴ−Ａ）からのトラヒック伝送を受信しようとしている第２の受信装置（第２の装置ＷＴ−Ｂ）への過剰な干渉を引き起こすことになるかどうかを、第２の受信装置（第２の装置ＷＴ−Ｂ）への予測干渉コストを計算することによって判定し得る（１６０８）。予測干渉コストは、第２の要求応答信号の受信電力と、第１の送信装置（第３の装置ＷＴ−Ｃ）がこれのトラヒック伝送のために使用しようとしている意図する送信電力との関数として計算され得る。例えば、送信装置（第３の装置ＷＴ−Ｃ）は、これの意図するトラヒック伝送が、第２の送信装置（第１の装置ＷＴ−Ａ）からのトラヒック伝送を受信しようとしている第２の受信装置（第２の装置ＷＴ−Ｂ）への過剰な干渉を引き起こすことになるかどうかを判定し得る。
【０１２７】
次いで、第１の送信装置（第３の装置ＷＴ−Ｃ）は、意図するトラヒック伝送が、第２の受信装置（第２の装置ＷＴ−Ｂ）への過剰な干渉を引き起こすことになるかどうかを判定し得る（１６１０）。第１の送信装置（第３の装置ＷＴ−Ｃ）がトラヒック信号の送信に移るべきかどうかの判断は、予測干渉コストをある閾値と比較することによって行われ得る。予測干渉コストが閾値を越える場合、第１の送信装置（第３の装置ＷＴ−Ｃ）は、ドロップアウトし、これのトラヒックの伝送を抑制しようと判断し得る（１６２０）。閾値の値は、第２の受信装置（第２の装置ＷＴ−Ｂ）が第１の送信装置（第３の装置ＷＴ−Ｃ）からのトラヒック信号を正常に復号し、除去することができるものと第１の送信装置（第３の装置ＷＴ−Ｃ）が期待するかどうかに依存し得る。例えば、第１の送信装置（第３の装置ＷＴ−Ｃ）が、第２の受信装置（第２の装置ＷＴ−Ｂ）からの以前の制御メッセージなどから、第２の受信装置（第２の装置ＷＴ−Ｂ）がＳＩＣを行い得ることを知っている場合には、閾値の値がより高いものになるため、第２の受信装置（第２の装置ＷＴ−Ｂ）は第１の送信装置（第３の装置ＷＴ−Ｃ）からのより多くの干渉を許容することが期待される。一実施形態では、第１の送信装置（第３の装置ＷＴ−Ｃ）は、第２の受信装置（第２の装置ＷＴ−Ｂ）において第１の送信装置のトラヒック信号の全量を除去することができるため、閾値の値は事実上無限であると期待し得る（例えば、第１の送信装置は、第２の受信装置への予測干渉コストの如何にかかわらず、これのトラヒックを送信しようとする）。
【０１２８】
第１の送信装置（第３の装置ＷＴ−Ｃ）が、これの意図するトラヒック伝送を第１の受信装置（第２の装置ＷＴ−Ｂ）に送信しようと決定する場合、第１の送信装置（第３の装置ＷＴ−Ｃ）は、第１の受信装置（第４の装置ＷＴ−Ｄ）にパイロット信号を放送し得る（１６１２）。
【０１２９】
次いで、伝送レート上限Ｒｃが意図しない第２の受信装置（第２の装置ＷＴ−Ｂ）から受信され得る（１６１４）。次いで、トラヒック伝送レートＲＴＲＡＦＦＩＣ−ＴＸが、受信された伝送レート上限Ｒｃに従い、第１の送信装置（第３の装置ＷＴ−Ｃ）によって決定される（１６１６）。トラヒック伝送レートＲＴＲＡＦＦＩＣ−ＴＸは、第１の送信装置（第３の装置ＷＴ−Ｃ）が、目標の第１の受信装置（第４の装置ＷＴ−Ｄ）によっても、意図しない第２の受信装置（第２の装置ＷＴ−Ｂ）によっても確実に復号されるように送信し得る最大レートとすることができる。トラヒック伝送レートは、第２の受信装置（第２の装置ＷＴ−Ｂ）から受信された伝送レート上限Ｒｃ以下とすることができる。次いで、トラヒック信号は、決定されたトラヒック伝送レート以下の伝送レートＲＴＲＡＦＦＩＣ−ＴＸで、第１の受信装置（第４の装置ＷＴ−Ｄ）に送信される（１６１８）。
【０１３０】
任意選択の特徴によれば、第１の送信装置（第３の装置ＷＴ−Ｃ）は、第２の受信装置（第２の装置ＷＴ−Ｂ）が、第１の受信装置（第４の装置ＷＴ−Ｄ）に送信要求を放送する前に、逐次型干渉除去を行うことができるかどうかを判定し得る。
【０１３１】
図１７は、ピア間無線ネットワーク内で受動的逐次型干渉除去（ＳＩＣ）を行い、またはこれを円滑化するように構成されている無線端末を示すブロック図である。無線端末１７０２は、ピア間通信を可能にするためのアンテナ１７０８に結合されている送受信機１７０６（送信側モジュール及び／又は受信側モジュールなど）に結合された処理回路１７０４（１つまたは複数のプロセッサ、電気部品、及び／又は回路モジュールなど）を含み得る。また、処理回路１７０４は、ピア間通信を円滑化し得るピア間通信制御装置１７１０、及び（任意選択で）ＷＡＮを介した通信を円滑化し得るＷＡＮ通信制御装置１７１２にも結合され得る。また、無線端末１７０２は、処理回路１７０４に結合された受動的逐次型干渉除去モジュール１７１４及び伝送レートセレクタ１７１６も含み得る。
【０１３２】
一例では、無線端末１７０２は、受信信号から干渉信号を差し引いて、無線端末１７０２がピア間通信接続を有する相手先の別の装置からの所望の信号を獲得するための受動ＳＩＣを実行するように構成されている第１の受信装置（第４の装置ＷＴ−Ｄ）として動作し得る。この構成では、無線端末は、第１の受信装置（第２の装置ＷＴ−Ｂ）とすることができ、図１５に示す操作を行うように構成され得る。例えば、処理回路１７０４及び／又は送受信機１７０６は、（ａ）第１の送信装置（第１の装置ＷＴ−Ａ）から、第１の送信装置（第１の装置ＷＴ−Ａ）が第１の受信装置（第２の装置ＷＴ−Ｂ）にトラヒックを送信しようとしていることを指示する第１の送信要求を無線で受信し、（ｂ）干渉の第２の送信装置（第３の装置ＷＴ−Ｃ）から第２の送信要求を無線で受信するように動作し得る。処理回路１７０４、伝送レートセレクタ１７１６、及び／又はピア間通信制御装置１７１０は、第１の送信要求及び第２の送信要求の信号強度に基づいて、干渉の第２の送信装置（第３の装置ＷＴ−Ｃ）の伝送レート上限を決定し得る。次いで、処理回路１７０４、ピア間通信制御装置１７１０、及び／又は送受信機１７０６は、干渉の第２の送信装置（第３の装置ＷＴ−Ｃ）に伝送レート上限を含む制御メッセージを送信し得る。続いて、処理回路１７０４、ピア間通信制御装置１７１０、及び／又は送受信機１７０６は、後続のトラフィックチャネルにおいて、第１の送信装置（第１の装置ＷＴ−Ａ）からの第１のトラヒック信号と、第２の送信装置（第３の装置ＷＴ−Ｃ）によって送信された、伝送レート上限以下のトラヒック伝送レートを有する第２のトラヒック信号を含むトラヒック信号を無線で受信し得る。次いで、処理回路１７０４、ピア間通信制御装置１７１０、及び／又は受動ＳＩＣモジュール１７１４は、第２のトラヒック信号を復号し、受信トラヒック信号から差し引くことによって第１のトラヒック信号を獲得し得る。
【０１３３】
したがって、移動無線端末または第１の受信装置内の回路は、第１の送信装置（第１の装置ＷＴ−Ａ）から、第１の送信装置（第１の装置ＷＴ−Ａ）が第１の受信装置（第２の装置ＷＴ−Ｂ）にトラヒックを送信しようとしていることを指示する第１の送信要求を無線で受信するように適合され得る。同じ回路、別の回路、または同じもしくは別の回路の第２の区間は、干渉の第２の送信装置（第３の装置ＷＴ−Ｃ）から第２の送信要求を無線で受信するように適合され得る。同じ回路、別の回路、または同じもしくは別の回路の第３の区間は、第１及び第２の送信要求の信号強度に基づいて干渉の第２の送信装置（第３の装置ＷＴ−Ｃ）の伝送レート上限を決定するように適合され得る。同じ回路、別の回路、または同じもしくは別の回路の第４の区間は、干渉の第２の送信装置（第３の装置ＷＴ−Ｃ）に伝送レート上限を含む制御メッセージを送信するように適合され得る。同じ回路、別の回路、または同じもしくは別の回路の第５の区間は、後続のトラフィックチャネルにおいて、第１の送信装置（第１の装置ＷＴ−Ａ）からの第１のトラヒック信号と、第２の送信装置（第３の装置ＷＴ−Ｃ）によって送信された、伝送レート上限以下のトラヒック伝送レートを有する第２のトラヒック信号を含むトラヒック信号を無線で受信するように適合され得る。同じ回路、別の回路、または同じもしくは別の回路の第６の区間は、第２のトラヒック信号を復号し、受信トラヒック信号から差し引くことによって、第１のトラヒック信号を獲得するように適合され得る。
【０１３４】
別の例では、無線端末１７０２は、無線端末１７０２がピア間ネットワーク内で周波数スペクトルを共用する相手先の第２の受信装置（第２の装置ＷＴ−Ｂ）による受動ＳＩＣを円滑化するように構成されている、干渉の第１の送信装置（第３の装置ＷＴ−Ｃ）として動作し得る。この構成では、無線端末（第１の送信装置）は、図１６に示す動作を行うように構成され得る。例えば、送受信機１７０６、処理回路１７０４、及び／又はピア間通信制御装置１７１０は、第１の送信装置（第３の装置ＷＴ−Ｃ）によって送信されるべきトラヒック信号の目標受信機である第１の受信装置（第４の装置ＷＴ−Ｄ）に、送信要求を放送し得る。これに応答して、送受信機１７０６、処理回路１７０４、及び／又はピア間通信制御装置１７１０は、意図しない第２の受信装置（第２の装置ＷＴ−Ｂ）から伝送レート上限を受信し得る。次いで、処理回路１７０４及び／又は伝送レートセレクタ１７１６は、受信された伝送レート上限に従ってトラヒック伝送レートを決定し得る。次いで、処理回路１７０４、送受信機１７０６及び／又はピア間通信制御装置１７１０は、決定されたトラヒック伝送レート以下の伝送レートで、第１の受信装置（第４の装置ＷＴ−Ｄ）にトラヒック信号を無線で送信し得る。
【０１３５】
したがって、移動無線端末または第１の送信装置（第３の装置ＷＴ−Ｃ）内の回路は、第１の送信装置（第３の装置ＷＴ−Ｃ）によって送信されるべきトラヒック信号の目標受信機である第１の受信装置（ＷＴ−Ｄ）に送信要求を放送するように適合され得る。同じ回路、別の回路、または同じもしくは別の回路の第２の区間は、意図しない第２の受信装置（第２の装置ＷＴ−Ｂ）から伝送レート上限を受信するように適合され得る。同じ回路、別の回路、または同じもしくは別の回路の第３の区間は、受信された伝送レート上限に従ってトラヒック伝送レートを決定するように適合され得る。同じ回路、別の回路、または同じもしくは別の回路の第４の区間は、決定したトラヒック伝送レート以下の伝送レートで第１の受信装置（第４の装置ＷＴ−Ｄ）にトラヒック信号を無線で送信するように適合され得る。
【０１３６】
受動的逐次型干渉除去／２つのレートフィードバック
図１８（図１８Ａ、１８Ｂ及び１８Ｃを備える）は、端末が周波数スペクトルを共用するアドホックピア間ネットワークにおける干渉管理の別の例を示す流れ図である。この実施方法では、受信側端末ＷＴ−Ｂ１８０４は、干渉を考慮する第１のレートと、第３の端末ＷＴ−Ｃ１８０６からの干渉を考慮しない第２のレートという２つの伝送レートのレポートを送信側端末ＷＴ−Ａ１８０２に返す。次いで、送信側端末ＷＴ−Ａ１８０２は、優勢な干渉ありまたはなしでも復号され得る２つの符号語を作成することができ、２つの符号語を重ね合わせたものを第２の端末ＷＴ−Ｂ１８０４に送信する。この選択肢では、受信側端末ＷＴ−Ｂ１８０４は、干渉の第３の端末ＷＴ−Ｃ１８０６からの伝送レートを制御しなくてもよい。
【０１３７】
接続スケジューリング段１８０８では、干渉の第３の端末ＷＴ−Ｃ１８０６にレート上限が提供され得る接続スケジューリング段１４０８（図１４）と同様のプロトコルが行われ得る。
【０１３８】
レートスケジューリング段１８１６において、第１の端末ＷＴ−Ａ１８０２は、第１のパイロット信号Ｐ１１８２０を送信する。また、第３の端末ＷＴ−Ｃ１８０６も第２のパイロット信号Ｐ２１８２２を送信する。第２の端末ＷＴ−Ｂ１８０４は、第２の端末ＷＴ−Ｂ１８０４が第１の装置からのトラヒック伝送をサポートし得る第１の伝送レートＲ１を、第１の端末ＷＴ−Ａ１８０２からの第１のパイロットＰ１１８２０の受信信号強度の関数として決定し得る。一例では、第１の伝送レートＲ１は、第３の端末ＷＴ−Ｃ１８０６からの干渉信号エネルギーを除去することができないものと仮定し得る（１８２４）。加えて、第２の端末ＷＴ−Ｂ１８０４は、第２の端末ＷＴ−Ｂ１８０４がサポートし得る第１の端末ＷＴ−Ａ１８０２からのトラヒック伝送の第２の伝送レートＲ２も、第１の端末ＷＴ−Ａ１８０２からの第１のパイロットＰ１１８２０及び第３の端末ＷＴ−Ｃ１８０６からの第２のパイロットＰ２の受信信号強度の関数として決定し得る。一例では、第２の伝送レートＲ２は、第３の端末ＷＴ−Ｃ１８０６からの干渉信号エネルギーの全量または少なくとも若干部分を除去することができるものと仮定し得る（１８２６）。加えて、第２の伝送レートＲ２は、伝送レートＲ１での、第１の端末ＷＴ−Ａ１８０２から第２の端末ＷＴ−Ｂ１８０４への第１のトラヒック伝送Ｓ１の全量または少なくとも若干部分も除去することができるものと仮定して獲得され、または選択され得る。しかし、第１の伝送レートＲ１は、第２の伝送レートＲ２での、第１の端末ＷＴ−Ａ１８０２から第２の端末ＷＴ−Ｂ１８０４への第２のトラヒック伝送Ｓ２は除去することができないものと仮定し得る。
【０１３９】
一実施形態では、第１のトラヒック伝送Ｓ１と第２のトラヒック伝送Ｓ２の送信電力の比が、第１の端末ＷＴ−Ａ１８０２と第２の端末ＷＴ−Ｂ１８０４の両方に知られている。例えば、第１の端末ＷＴ−Ａ１８０２が第２の端末ＷＴ−Ｂ１８０４にこの電力比を知らせてもよい。第１の端末ＷＴ−Ａ１８０２は、電力比の値を変更し、次いで、第２の端末ＷＴ−Ｂ１８０４にこの変更を知らせてもよい。第１の伝送レートＲ１が決定されると、第２のトラヒック伝送Ｓ２の信号エネルギーも、第３の端末ＷＴ−Ｃ１８０６からの干渉信号エネルギーＳＩＮＴの信号エネルギーも、干渉とみなされる。第２の伝送レートＲ２が決定されると、第１のトラヒック伝送の信号エネルギーと第３の端末ＷＴ−Ｃ１８０６からの干渉信号エネルギーの信号エネルギーはＳＩＣにおいて除去されると期待されるため、どちらも除外される。第２の伝送レートＲ２は、第１の伝送レートＲ１より大きいものとすることができる。
【０１４０】
次いで、第２の端末ＷＴ−Ｂ１８０４は、第１の端末ＷＴ−Ａ１８０２に、第１の伝送レートＲ１及び第２の伝送レートＲ２の両方を送信する。トラヒック送信段１８３０において、第１の端末ＷＴ−Ａ１８０２は、第１の符号語及び第２の符号語を決定し得る（１８３１）。第１の符号語及び第２の符号語は、ＷＴ−Ａ１８０２からＷＴ−Ｂ１８０４への第１及び第２のトラヒック伝送または信号成分Ｓ１及びＳ２を識別するマーカ（marker）として機能し得る。
【０１４１】
第１の信号成分は、第１の伝送レートの関数としての第１の符号語を使用して生成され、第１の信号成分の第１のデータレートは、第１の伝送レート以下である（１８３２）。すなわち、第１の符号語は、第１の伝送レート以下の第１のデータレートに従って符号化され得る。同様に、第２の信号成分は、第２の伝送レートの関数として第２の符号語を使用して生成され、第２の信号成分の第２のデータレートは、受信した第２の伝送レート以下である（１８３３）。すなわち、第２の符号語は、第２の伝送レート以下の第２のデータレートに従って符号化され得る。したがって、第１の信号成分及び第２の信号成分は、異なるデータレートに従って符号化され得る。
【０１４２】
第２の信号成分は第１の信号成分に重ね合わされて第１のトラヒック信号が形成され得る（１８３４）。例えば、２つの符号語を重ね合わせて送信することができる。すなわち、第１の符号語は大きいＱＰＳＫコンステレーション（constellation）を使用して送信され、第２の符号語は、大きいＱＰＳＫコンステレーション上に重ね合わされた小さいＱＡＭコンステレーションを使用して送信される。一例では、第１の無線端末ＷＴ−Ａ１８０２は、第２の無線端末ＷＴ−Ｂ１８０４に送信されるべき第１の情報データブロック及び第２の情報データブロックを含み得る。２つのデータブロックは、第２の端末ＷＴ−Ｂ１８０４に送信されるべき異なるデータを表わす異なるデータブロックとすることができる。第１のデータブロックは、第１の符号語に符号化され、ＱＰＳＫコンステレーションにマップされて、ＱＰＳＫシンボルのブロックを出力し得る。第２のデータブロックは、第２の符号語に符号化され、ＱＡＭコンステレーションにマップされて、ＱＡＭシンボルのブロックを出力し得る。一実施形態では、１ＱＰＳＫシンボル当たりの電力を１ＱＡＭシンボル当たりの電力より大きいものとすることができ、「大きい」ＱＰＳＫコンステレーション及び「小さい」ＱＡＭコンステレーションという呼び方をするのはこのためである。第１の無線端末ＷＴ−Ａ１８０２が第２の無線端末ＷＴ−Ｂ１８０４に送信する実際の第１のトラヒック信号は、いくつかの複素シンボルを含むことができ、各シンボルは、ＱＰＳＫシンボルのブロックからの１ＱＰＳＫシンボルとＱＡＭシンボルのブロックからの１ＱＡＭシンボルの和とすることができ、２つの信号が相互に重ね合わされているというのはこのためである。すなわち、第１のトラヒック信号全体は、第１の符号語と第２の符号語とからそれぞれ生成された２つの信号成分が合成されたものとみなすことができる。
【０１４３】
次いで、第１の端末ＷＴ−Ａ１８０２は、第２の端末ＷＴ−Ｂ１８０４に第１のトラヒック信号１８３６を送信する。同様に、第３の端末ＷＴ−Ｃ１８０６も、第４の端末ＷＴ−Ｄに同時に第２のトラヒック信号送信１８３８を送信し得る。無線放送の特性により、第２のトラヒック信号送信１８３８は、第２の端末ＷＴ−Ｂ１８０４によっても受信され得る。任意選択の特徴によれば、第３の端末ＷＴ−Ｃ１８０６は、第２の実際のトラヒック伝送データレートを、第２の端末ＷＴ−Ｂ１８０４から受信した第２のレートフィードバック及び／又は第４の装置ＷＴ−Ｄから受信した第３のデータレートフィードバックの関数として決定し得る。
【０１４４】
総受信信号（１つまたは複数の端末または装置からの１つまたは複数の信号送信の組み合わせなど）を受信すると、第２の端末ＷＴ−Ｂ１８０４は、第１のトラヒック信号の第１の符号語を復号しようと試みることができ、復号に成功した場合、復号された第１の信号成分を総受信信号から差し引く（１８４０）。第１の信号成分を差し引いた後に、第２の端末ＷＴ−Ｂ１８０４は、干渉の第２のトラヒック信号を復号することができ、復号に成功した場合、復号された第２のトラヒック信号を、総受信信号の残りの部分から差し引く（１８４２）。最後に、第１のトラヒック信号の第２の符号語を復号することができ、復号に成功した場合、復号された第２の信号成分を、総受信信号の残りの部分から差し引く（１８４４）。
【０１４５】
図１９に、ピア間ネットワーク内で逐次型干渉除去を行う無線受信側端末上で動作する方法の一例を示す。この例では、「第２の装置」（図３のＷＴ−Ｂ３０４など）を第１の受信側端末と呼び、「第１の装置」（図３のＷＴ−Ａ３０２など）を第１の送信装置と呼び、「第３の装置」（図３のＷＴ−Ｃ３０６など）を干渉の第２の送信側端末と呼ぶ。この例では、第１の送信装置（第１の装置ＷＴ−Ａ）から第１の受信装置（第２の装置ＷＴ−Ｂ）へのトラヒック伝送が、干渉の第１の送信装置（第３の装置ＷＴ−Ｃ）から第２の受信装置（第４の装置ＷＴ−Ｄ）へのトラヒック伝送より（共用周波数スペクトル上で）高い通信優先度を有し得る。
【０１４６】
第１の受信装置（第２の装置ＷＴ−Ｂ）は、第１の送信装置（第１の装置ＷＴ−Ａ）から第１のパイロット信号Ｐ１を受信することができ（１９０２）、第１の受信装置（第２の装置ＷＴ−Ｂ）は、第１の送信装置（第１の装置ＷＴ−Ａ）から送信されるべき第１のトラヒック信号Ｓ１の目標受信機とすることができる。第２の送信装置（第３の装置ＷＴ−Ｃ）から、第２の送信装置（第３の装置ＷＴ−Ｃ）が、第１のトラヒック信号と干渉し合う、または干渉し合う可能性のある第２のトラヒック信号Ｓ２を送信しようとしていることを指示する第２のパイロット信号Ｐ２が受信され得る（１９０４）。このような第２のトラヒック信号Ｓ２は、共用周波数スペクトル（同じ、またはオーバーラップするタイムスロット、通信路及び／又は周波数など）内で、第１のトラヒック信号Ｓ１と干渉し合うように送信され得る。次いで、第１の送信装置（第１の装置ＷＴ−Ａ）からのトラヒック伝送のために、第１の伝送レートＲ１及び第２の伝送レートＲ２が決定され得る（１９０６）。第１の送信装置（第１の装置ＷＴ−Ａ）に、第１の伝送レートＲ１及び第２の伝送レートＲ２を含む制御メッセージが送信され得る（１９０８）。第１の送信装置（第１の装置ＷＴ−Ａ）から、第１の符号語Ｗ１及び第２の符号語Ｗ２からそれぞれ生成される第１の信号成分Ｃ１及び第２の信号成分Ｃ２を含み得る第１のトラヒック信号Ｓ１を含むトラヒック信号ＳＴＲＡＦＦＩＣ−ＲＸが受信され得る（１９１０）。一例では、符号語は、符号化ビットのブロックである。符号化ビットは、ＱＰＳＫやＱＡＭなどのコンステレーションにマップされて、複素シンボルのブロックになる。これらの複素シンボルは信号成分と呼ばれ得る。例えば、ｘ（ｎ）が送信されるべき第ｎのシンボルである場合、ｘ（ｎ）＝ｘ１（ｎ）＋ｘ２（ｎ）であり、式中、ｘ１（ｎ）及びｘ２（ｎ）は、それぞれ、２つの符号語から生成される信号成分である。一例では、第２の信号成分Ｃ２を第１の信号成分Ｃ１上に重ね合わせて、第１のトラヒック信号Ｓ１が形成され得る。例えば、第１の信号成分Ｃ１は、ＱＰＳＫ（quadrature phase-shift keying、直交位相偏移キーイング）コンステレーションを使用することができ、第２の信号成分Ｃ２は、ＱＡＭ（quadrature amplitude modulation、直交振幅変調）コンステレーション（ＱＡＭ１６、ＱＡＭ６４、ＱＡＭ２５６の各コンステレーションなど）を使用することができる。
【０１４７】
この方法は、受信トラヒック信号ＳＴＲＡＦＦＩＣ−ＲＸから、第１の送信装置（第１の装置ＷＴ−Ａ）によって送信された第１のトラヒック信号Ｓ１の第１の信号成分Ｃ１の第１の符号語Ｗ１を復号すること（１９１２）をさらに含み得る。第１の符号語が正常に復号された場合（１９１４）、復号された第１の信号成分Ｃ１が受信トラヒック信号Ｃ１から差し引かれる（１９１６）。次いで、第２の送信装置（第３の装置ＷＴ−Ｃ）によって送信された干渉の第２の信号Ｓ２が、受信トラヒック信号ＳＴＲＡＦＦＩＣ−ＲＸの残りの部分を使用して復号される（１９１８）。干渉の第２の信号Ｓ２が正常に復号された場合（１９２０）、この方法は、受信トラヒック信号ＳＴＲＡＦＦＩＣ−ＲＸの残りの部分から復号された干渉の第２のトラヒック信号Ｓ２を差し引くこと（１９２２）をさらに含み得る。次いで、復号された第１の信号成分Ｃ１及び復号された干渉の第２の信号Ｓ２が差し引かれた後の受信トラヒック信号ＳＴＲＡＦＦＩＣ−ＲＸの残りの部分から、第１の送信装置（第１の装置ＷＴ−Ａ）によって送信された第１のトラヒック信号Ｓ１の第２の信号成分Ｃ２の第２の符号語Ｗ２が復号され得る（１９２４）。第１の符号語の復号１９１４及び／又は干渉の第２のトラヒック信号の復号１９２０に失敗した場合には、第１の伝送レート及び第２の伝送レートの少なくとも１つが調整され得る。
【０１４８】
実施方法によっては、第１のパイロット信号Ｐ１の第１の信号電力ＰＷＲＰ１は、第１の送信装置（第１の装置ＷＴ−Ａ）によって送信されるべき第１のトラヒック信号Ｓ１の信号電力を指示し得る。同様に、第２のパイロット信号Ｐ２の第２の信号電力ＰＷＲＰ２は、第２の送信装置（第３の装置ＷＴ−Ｃ）によって送信されるべき干渉の第２のトラヒック信号Ｓ２の信号電力を指示し得る。一例では、これらの信号電力は、第１の受信装置（第２の装置ＷＴ−Ｂ）によって受信される信号電力とすることができる。
【０１４９】
実施方法によっては、第１の信号成分Ｃ１の第１の送信電力ＰＷＲＣ１−ＴＸと第２の信号成分Ｃ２の第２の送信電力ＰＷＲＣ２−ＴＸの比ＲＴＣ１２が、第１の受信装置（第２の装置ＷＴ−Ｂ）に知られていてもよい。一例では、この送信電力比ＲＴＣ１２は、第１の送信装置（第１の装置ＷＴ−Ａ）と第１の受信装置（第２の装置ＷＴ−Ｂ）の両方に知られている固定定数とすることができる。例えば、第１の受信装置（第２の装置ＷＴ−Ｂ）は、第１の送信装置（第１の装置ＷＴ−Ａ）から第１のパイロット信号Ｐ１を受信する前に、第１の送信装置（第１の装置ＷＴ−Ａ）とやりとりしてこの送信電力比ＲＴＣ１２を決定し得る。
【０１５０】
一例では、第１の伝送レートＲ１は、それぞれ、第１のパイロット信号Ｐ１及び第２のパイロット信号Ｐ２の第１の信号電力及び第２の信号電力と、送信電力比ＲＴＣ１２の関数として決定され得る。例えば、第１の送信装置（第１の装置ＷＴ−Ａ）からのトラヒック伝送のための第１の伝送レートＲ１を決定することは、（ａ）第１の送信装置（第１の装置ＷＴ−Ａ）によって送信されるべき第１のトラヒック信号Ｓ１の第１の信号成分Ｃ１及び第２の信号成分Ｃ２の受信信号電力ＰＷＲＣ１−ＲＸ及び受信信号電力ＰＷＲＣ２−ＲＸを、第１のパイロット信号Ｐ１の第１の信号電力ＰＷＲＰ１と送信電力比ＲＴＣ１２の関数として予測すること、（ｂ）第２の送信装置（第３の装置ＷＴ−Ｃ）によって送信されるべき干渉の第２の信号Ｓ２の受信信号電力ＰＷＲＳ２−ＲＸを、第２のパイロット信号Ｐ２の第２の信号電力ＰＷＲＰ２の関数として予測すること、及び／又は、（ｃ）第１の伝送レートＲ１が、予測信号電力ＰＷＲＳ−ＰＲＥＤＩＣＴＥＤと予測雑音電力ＰＷＲＮＯＩＳＥの比ＲＴＰＲＥＤＩＣＴＥＤの関数として決定されることを含み得る。予測信号電力ＰＷＲＳ−ＰＲＥＤＩＣＴＥＤは、第１の送信装置（第１の装置ＷＴ−Ａ）によって送信されるべき第１のトラヒック信号Ｓ１の第１の信号成分Ｃ１の決定された受信信号電力ＰＷＲＣ１−ＲＸと、第１の送信装置（第１の装置ＷＴ−Ａ）によって送信されるべき第１のトラヒック信号Ｓ１の第２の信号成分Ｃ２の決定された受信信号電力ＰＷＲＣ２−ＲＸ、及び第２の送信装置（第３の装置ＷＴ−Ｃ）によって送信されるべき干渉の第２のトラヒック信号Ｓ２の決定された受信信号電力ＰＷＲＳ２−ＲＸを含む予測雑音電力ＰＷＲＮＯＩＳＥとを含み得る。
【０１５１】
同様に、第２の伝送レートＲ２も、第１のパイロット信号Ｐ１の信号電力ＰＷＲＰ１と送信電力比ＲＴＣ１２の関数として決定され得る。例えば、第１の送信装置（第１の装置ＷＴ−Ａ）からのトラヒック伝送のための第１の伝送レートを決定することは、第１の送信装置（第１の装置ＷＴ−Ａ）によって送信されるべき第１のトラヒック信号の第２の信号成分の受信信号電力を、第１のパイロット信号の信号電力と送信電力比ＲＴＣ１２の関数として予測することを含み得る。第２の伝送レートＲ２は、予測信号電力ＰＷＲＳ−ＰＲＥＤＩＣＴＥＤと予測雑音電力ＰＷＲＮＯＩＳＥの比ＲＴＰＲＥＤＩＣＴＥＤの関数として決定され得る。予測信号電力ＰＷＲＳ−ＰＲＥＤＩＣＴＥＤは、第１の送信装置（第１の装置ＷＴ−Ａ）によって送信されるべき第１のトラヒック信号Ｓ１の第２の信号成分Ｃ２の決定された受信信号電力ＰＷＲＣ２−ＲＸと、第１の送信装置（第１の装置ＷＴ−Ａ）によって送信されるべき目標の第１のトラヒック信号Ｓ１の第１の信号成分Ｃ１の決定された受信信号電力ＰＷＲＣ１−ＲＸ、及び第２の送信装置（第３の装置ＷＴ−Ｃ）によって送信されるべき干渉の第２のトラヒック信号Ｓ２の決定された電力ＰＷＲＳ２−ＴＸを除く予測雑音電力ＰＷＲＮＯＩＳＥとを含み得る。一例では、第１の送信装置（第１の装置ＷＴ−Ａ）によって送信されるべき第１のトラヒック信号Ｓ１の第１の信号成分Ｃ１の第１のデータレートＲＤａｔａ−１を、決定された第１の伝送レートＲ１以下とすることができる。同様に、第１の送信装置（第１の装置ＷＴ−Ａ）によって送信される第１のトラヒック信号Ｓ１の第２の信号成分Ｃ２の第２のデータレートＲＤａｔａ−２も、決定された第２の伝送レートＲ２以下のものとすることができる。
【０１５２】
図２０に、ピア間ネットワークにおいて動作する無線の第１の受信装置における逐次型干渉除去（ＳＩＣ）を円滑化するために第１の送信装置で動作する方法の一例を示す。この例では、「第１の装置」（図３のＷＴ−Ａ３０２など）を第１の送信装置と呼び、「第２の装置」（図３のＷＴ−Ｂ３０４など）を第１の受信装置と呼ぶ。第１の受信装置は、第１の送信装置から送信されるべき意図される第１のトラヒック信号の目標受信機とすることができる。
【０１５３】
第１の送信装置は第１のパイロット信号を放送し得る（２００４）。これに応答して、第１の送信装置（第１の装置ＷＴ−Ａ）は、第１の受信装置（第２の装置ＷＴ−Ｂ）から、第１の伝送レート及び第２の伝送レートを受信し得る（２００６）。次いで、第１の送信装置（第１の装置ＷＴ−Ａ）は、第１の符号語を決定することができ、受信した第１の伝送レートの関数として第１の符号語を使用して、受信した第１の伝送レート以下のデータレートを有する第１の信号成分を生成する（２００８）。同様に、第１の送信装置（第１の装置ＷＴ−Ａ）は、第２の符号語も決定することができ、受信した第２の伝送レートの関数として第２の符号語を使用して、受信した第２の伝送レート以下のデータレートを有する第２の信号成分を生成する（２０１０）。次いで、第１の送信装置（第１の装置ＷＴ−Ａ）は、第２の信号成分を第１の信号成分に重ね合わせてトラヒック信号を形成することができ（２０１２）、このトラヒック信号を第１の受信装置（第２の装置ＷＴ−Ｂ）に送信する（２０１４）。一例では、第１の信号成分はＱＰＳＫコンステレーションを使用することができ、第２の信号成分は、ＱＡＭ−１６、ＱＡＭ−６４、及びＱＡＭ−２５６の各コンステレーションのうちの１つを含むＱＡＭコンステレーションを使用することができる。
【０１５４】
一特徴によれば、第１の送信装置（第１の装置ＷＴ−Ａ）は、第１の受信装置（第２の装置ＷＴ−Ｂ）とやりとりして、第１の信号成分の送信電力と第２の信号成分の送信電力の比を決定し得る（２００２）。この送信電力比は、第１のパイロット信号を放送する前に決定され得る。別の特徴によれば、第１の装置は、第１の受信装置（第２の装置ＷＴ−Ｂ）から受信した第１の伝送レート及び第２の伝送レートの関数として送信電力比を変更することができ（２０１６）、次いで、この送信電力比の変更を第１の受信装置（第２の装置ＷＴ−Ｂ）に知らせる（２０１８）。送信電力比の変更は、トラヒック伝送の時間尺度の少なくとも５倍の大きさの時間尺度で行われ得る。第１の信号成分の送信電力と第２の信号成分の送信電力の比は、第１の送信装置（第１の装置ＷＴ−Ａ）と第１の受信装置（第２の装置ＷＴ−Ｂ）の両方に知られている固定定数とすることができる。意図するトラヒック信号は、共用周波数スペクトル上で、第２の送信装置（第３の装置ＷＴ−Ｃ）によって第２の受信装置（第４の装置ＷＴ−Ｄ）に送信される第２のトラヒック信号とオーバーラップする時間間隔において送信され得る。
【０１５５】
図２１は、二重伝送レートを用いて、ピア間無線ネットワーク内で受動的逐次型干渉除去（ＳＩＣ）を行い、またはこれを円滑化するように構成されている無線端末を示すブロック図である。無線端末２１０２は、ピア間通信を可能にするためのアンテナ２１０８に結合されている送受信機２１０６（送信側モジュール及び／又は受信側モジュールなど）に結合された処理回路２１０４（１つまたは複数のプロセッサ、電気部品、及び／又は回路モジュールなど）を含み得る。また、処理回路２１０４は、ピア間通信を円滑化し得るピア間通信制御装置２１１０、及び（任意選択で）ＷＡＮを介した通信を円滑化し得るＷＡＮ通信制御装置２１１２にも結合され得る。また、無線端末２１０２は、処理回路２１０４に結合された受動的逐次型干渉除去モジュール２１１４及び二重伝送レートモジュール２１１６も含み得る。
【０１５６】
一例では、無線端末２１０２は、第１の受信装置として動作し、無線端末２１０２がピア間通信接続を有する相手先である第１の送信装置に二重伝送レートを提供するように、受動ＳＩＣを行うことができる。この構成において、無線端末２１０２は、図１４に示す動作を行うように構成され得る。例えば、処理回路２１０４及び／又は送受信機２１０６は、（ａ）第１の送信装置（第１の装置ＷＴ−Ａ）から第１のパイロット信号を受信し、及び／又は（ｂ）第２の送信装置（第３の装置ＷＴ−Ｃ）から、第２の送信装置（第３の装置ＷＴ−Ｃ）が第２のトラヒック信号を送信しようとしていることを指示する第２のパイロット信号を受信するように動作し得る。処理回路２１０４、二重伝送レートセレクタ２１１６、及び／又はピア間通信制御装置２１１０は、第１の送信装置（第１の装置ＷＴ−Ａ）からのトラヒック伝送のための第１の伝送レート及び第２の伝送レートを決定し得る。次いで、処理回路２１０４及び／又は送受信機２１０６は、第１の送信装置（第１の装置ＷＴ−Ａ）に、第１の伝送レート及び第２の伝送レートを含む制御メッセージを送信し得る。次いで、処理回路２１０４及び／又は送受信機２１０６は、第１の送信装置（第１の装置ＷＴ−Ａ）から、第１の符号語及び第２の符号語からそれぞれ生成される第１の信号成分及び第２の信号成分を含む第１のトラヒック信号を含む、トラヒック信号を受信し得る。第２の信号成分は第１の信号成分に重ね合わされて第１のトラヒック信号が形成され得る。第１の信号成分の第１の送信電力と第２の信号成分の第２の送信電力の送信電力比は、おそらく、無線端末２１０２に知られている。処理回路２１０４、ピア間通信制御装置２１１４、及び／又は受動ＳＩＣモジュールはさらに、（ａ）受信トラヒック信号から、第１の送信装置（第１の装置ＷＴ−Ａ）によって送信された第１のトラヒック信号の第１の信号成分の第１の符号語を復号し、（ｂ）第１の符号語の復号に成功した場合に、復号された第１の信号成分を受信トラヒック信号から差し引き、（ｃ）復号された第１の信号成分が差し引かれた後の受信トラヒック信号の残りを使用して、第２の送信装置（第３の装置ＷＴ−Ｃ）によって送信された干渉の第２のトラヒック信号を復号し、（ｄ）干渉の第２のトラヒック信号の復号に成功した場合に、復号された干渉の第２のトラヒック信号を受信トラヒック信号の残りから差し引き、及び／又は（ｅ）復号された第１の信号成分と復号された干渉の第２のトラヒック信号の両方が差し引かれた後の受信トラヒック信号の残りから、第１の送信装置（第１の装置ＷＴ−Ａ）によって送信された第１のトラヒック信号の第２の信号成分の第２の符号語を復号し得る。
【０１５７】
したがって、移動無線端末または第１の受信装置（第２の装置ＷＴ−Ｂ）内の回路は、第１の送信装置（第１の装置ＷＴ−Ａ）からの第１のパイロット信号を無線で受信するように適合され得る。同じ回路、別の回路、または同じもしくは別の回路の第２の区間は、第２の送信装置（第３の装置ＷＴ−Ｃ）から、第２の送信装置（第３の装置ＷＴ−Ｃ）が第２のトラヒック信号を送信しようとしていることを指示する第２のパイロット信号を無線で受信するように適合され得る。同じ回路、別の回路、または同じもしくは別の回路の第３の区間は、第１の送信装置（第１の装置ＷＴ−Ａ）からのトラヒック伝送のための第１の伝送レート及び第２の伝送レートを決定するように適合され得る。同じ回路、別の回路、または同じもしくは別の回路の第４の区間は、第１の送信装置（第１の装置ＷＴ−Ａ）に、第１の伝送レート及び第２の伝送レートを含む制御メッセージを送信するように適合され得る。同じ回路、別の回路、または同じもしくは別の回路の第５の区間は、第１の送信装置（第１の装置ＷＴ−Ａ）から、第１の符号語及び第２の符号語からそれぞれ生成される第１の信号成分及び第２の信号成分を含む第１のトラヒック信号を含むトラヒック信号を受信するように適合され得る。同じ回路、別の回路、または同じもしくは別の回路の第６の区間は、第１の信号成分の第１の送信電力と第２の信号成分の第２の送信電力の送信電力比を獲得するように適合させることができ、第１の伝送レートは、第１のパイロット信号及び第２のパイロット信号の信号電力と送信電力比の関数として決定される。
【０１５８】
別の例では、無線端末２１０２または第１の送信装置（第１の装置ＷＴ−Ａ）は、第１の受信装置（第２の装置ＷＴ−Ｂ）から獲得される二重伝送レートの受信に基づいて第２の受信装置（第４の装置ＷＴ−Ｄ）による受動ＳＩＣを円滑化するように構成され得る。この構成において、無線端末２１０２は、図２０に示す動作を行うように構成され得る。例えば、送受信機２１０６、処理回路２１０４、及び／又はピア間通信制御装置２１１０は、第１のパイロット信号を放送し得る。これに応答して、送受信機２１０６、処理回路２１０４、及び／又はピア間通信制御装置２１１０は、第１の受信装置（第２の装置ＷＴ−Ｂ）から第１の伝送レート及び第２の伝送レートを受信し得る。次いで、処理回路２１０４、ピア間通信制御装置２１１０、受動ＳＩＣモジュール２１１４及び／又は二重伝送レートモジュール２１１６は、（ａ）第１の符号語を決定し、受信した第１の伝送レートの関数として第１の符号語を使用して、受信した第１の伝送レート以下の第１のデータレートを有する第１の信号成分を生成し、及び／又は（ｂ）第２の符号語を決定し、受信した第２の伝送レートの関数として第２の符号語を使用して、受信した第２の伝送レート以下の第２のデータレートを有する第２の信号成分を生成し得る。次いで、処理回路２１０４、送受信機２１０６、受動ＳＩＣモジュール２１１４、及び／又はピア間通信制御装置２１１０は、第２の信号成分を第１の信号成分に重ね合わせて第１のトラヒック信号を形成し得る。次いで、処理回路２１０４及び／又は送受信機２１０６は、第１の受信装置（第２の装置ＷＴ−Ｂ）に第１のトラヒック信号を送信し得る。
【０１５９】
したがって、移動無線端末または第１の送信装置（第１の装置ＷＴ−Ａ）内の回路は、第１のパイロット信号を放送するように適合され得る。同じ回路、別の回路、または同じもしくは別の回路の第２の区間は、第１の受信装置（第２の装置ＷＴ−Ｂ）から第１の伝送レート及び第２の伝送レートを受信するように適合され得る。同じ回路、別の回路、または同じもしくは別の回路の第３の区間は、第１の符号語を決定し、受信した第１の伝送レートの関数として第１の符号語を使用して、受信した第１の伝送レート以下の第１のデータレートを有する第１の信号成分を生成するように適合され得る。同じ回路、別の回路、または同じもしくは別の回路の第４の区間は、第２の符号語を決定し、受信した第２の伝送レートの関数として第２の符号語を使用して、受信した第２の伝送レート以下の第２のデータレートを有する第２の信号成分を生成するように適合され得る。同じ回路、別の回路、または同じもしくは別の回路の第５の区間は、第２の信号成分を第１の信号成分に重ね合わせて第１のトラヒック信号を形成するように適合され得る。同じ回路、別の回路、または同じもしくは別の回路の第６の区間は、第１の受信装置（第２の装置ＷＴ−Ｂ）に第１のトラヒック信号を送信するように適合され得る。同じ回路、別の回路、または同じもしくは別の回路の第７の区間は、第１の信号成分の送信電力と第２の信号成分の送信電力の送信電力比を決定するように適合され得る。同じ回路、別の回路、または同じもしくは別の回路の第８の区間は、第１の受信装置（第２の装置ＷＴ−Ｂ）から受信した第１の伝送レート及び第２の伝送レートの関数として送信電力比を変更するように適合され得る。同じ回路、別の回路、または同じもしくは別の回路の第９の区間は、第１の受信装置（第２の装置ＷＴ−Ｂ）に送信電力比の変更を知らせるように適合され得る。
【０１６０】
受動的逐次型干渉除去／１つのレートフィードバック及び確率適合
図２２（図２２Ａ及び図２２Ｂを備える）は、受信側の第２の装置がパイロット信号を使用して干渉の第３の装置からの干渉を予測する干渉管理の別の例を示す流れ図である。この干渉予測に基づき、受信側の第２の装置は、受信側の第２の装置がピア間通信を行う相手先の送信側の第１の装置へのフィードバックとしてどの伝送レートを示すべきか決定し得る。
【０１６１】
リンク（接続）スケジューリング段２２０８では、接続スケジューリング段４０１（図４）と同様のプロトコルが行われ得る。レートスケジューリング段２２１０において、第１の装置ＷＴ−Ａ２２０２は、第１のパイロット信号２２２０を送信する。また、第３の装置ＷＴ−Ｃ２２０６も第２のパイロット信号２２２２を送信し得る。第２の装置ＷＴ−Ｂ２２０４は、第３の装置ＷＴ−Ｃ２２０６からの干渉の第２のトラヒック信号を復号し、除去する（差し引く）ことができるかどうかを、１）ＳＩＣ成功確率及び／又は２）第３の装置ＷＴ−Ｃ２２０６からの受信パイロット２２２２の強度の関数として予測し得る（２２２４）。また、第２の装置ＷＴ−Ｂ２２０４は、第２の装置ＷＴ−Ｂ２２０４がサポートし得る第１の装置ＷＴ−Ａ２２０２からの伝送レートを、第１の装置ＷＴ−Ａ２２０２からの第１のパイロット２２２０の受信信号強度と、第２の装置ＷＴ−Ｂによって感知されるべき総干渉の推定または予測量の関数として決定することもできる（２２２６）。次いで、第２の装置ＷＴ−Ｂ２２０４は、第１の装置ＷＴ−Ａに伝送レートを送信する（２２２８）。
【０１６２】
トラヒック送信段２２３０において、第１の装置ＷＴ−Ａ２２０２は、第２の装置ＷＴ−Ｂ２２０４からの受信された伝送レートの関数としてトラヒックデータレートを決定し得る（２２３２）。次いで、第１の装置ＷＴ−Ａ２２０２は、このトラヒックデータレートを使用して、第２の装置ＷＴ−Ｂ２２０４に第１のトラヒック信号を送信する（２２３６）。また、干渉の第３の装置ＷＴ−Ｃ２２０６も、これの第４の装置ＷＴ−Ｄへの第２のトラヒック伝送を、第１のトラヒック信号と同時に、またはこれとオーバーラップするタイムスロット／通信路において送信し得る。第２の装置ＷＴ−Ｂ２２０４は、後続のトラフィックチャネルにおいて、第１の装置ＷＴ−Ａ２２０２からの第１のトラヒック信号及び第３の装置ＷＴ−Ｂ２２０６からの第２のトラヒック信号２２３８を含むトラヒック信号を受信する。第１のトラヒック信号は、第２の装置ＷＴ−Ｂによって第１の装置ＷＴ−Ａにレポートされた伝送レートを超えないデータレートを有し得る（２２４０）。
【０１６３】
第２の装置ＷＴ−Ｂ２２０４は、まず、第３の装置ＷＴ−Ｃ２２０６からの干渉の第２のトラヒック信号を復号２２４０しようとし得る（２２４２）。復号に成功した場合、第２の装置ＷＴ−Ｂ２２０４は、第２のトラヒック信号２２３８を受信トラヒック信号２２４４から除去し、または差し引く（２２４４）。最後に、第２の装置ＷＴ−Ｂ２２０４は、第１の装置ＷＴ−Ａ２２０２からの所望のトラヒック伝送を復号する（２２４６）。第２の装置２２０４は、ＳＩＣ成功確率の値を、第３の装置からのトラヒック伝送の復号が成功するかどうかの関数として調整し得る（２２４８）。例えば、第２の装置が干渉を正常に除去した場合、第２の装置は、これ以後、第２の装置が第３の装置からの干渉の第２のトラヒック信号を復号し、除去する（差し引く）ことができると予測する確率がより高くなるように、ＳＩＣ成功確率の値を増やすことができる。第２の装置は、第３の装置以外の別の装置については異なるＳＩＣ成功確率の値を維持し得る。
【０１６４】
図２３（図２３Ａ及び２３Ｂを備える）に、干渉の第２の送信装置からの干渉を予測することに基づいてピア間ネットワーク内で逐次型干渉除去を行う無線の第１の受信装置上で動作する方法の一例を示す。この例では、「第２の装置」（図３のＷＴ−Ｂ３０４など）を第１の受信装置と呼び、「第１の装置」（図３のＷＴ−Ａ３０２など）を第１の送信装置と呼び、「第３の装置」（図３のＷＴ−Ｃ３０６など）を干渉の第２の送信側端末と呼び得る。この例では、第１の送信装置（第１の装置ＷＴ−Ａ）から第１の受信装置（第２の装置ＷＴ−Ｂ）へのトラヒック伝送が、第２の送信装置（第３の装置ＷＴ−Ｃ）から第２の受信装置（第４の装置ＷＴ−Ｄ）へのトラヒック伝送より高い（共用周波数スペクトル上での）通信優先度を有し得る。
【０１６５】
第１の受信装置（第２の装置ＷＴ−Ｂ）は、第１の送信装置（第１の装置ＷＴ−Ａ）から第１のパイロット信号を受信することができ（２３０２）、第２の送信装置（第３の装置ＷＴ−Ｃ）から、第２の送信装置（第３の装置ＷＴ−Ｃ）が第２のトラヒック信号を送信しようとしていることを指示する第２のパイロット信号を受信することもできる（２３０４）。第１のトラヒック信号は、第１の送信装置（第１の装置ＷＴ−Ａ）によって、共用周波数スペクトルを介して、第２の送信装置（第３の装置ＷＴ−Ｃ）によって第２の受信装置（第４の装置ＷＴ−Ｄ）に送信される第２のトラヒック信号とオーバーラップする、または同時の時間間隔において送信され得る。したがって、第２のトラヒック信号は、第１の受信装置（第２の装置ＷＴ−Ｂ）による第１のトラヒック信号の受信と干渉し合う可能性がある。
【０１６６】
第１の受信装置（第２の装置ＷＴ−Ｂ）は、第１の受信装置（第２の装置ＷＴ−Ｂ）が第１の送信装置（第１の装置ＷＴ−Ａ）によって送信されるべき第１のトラヒック信号を復号する前に、第２の送信装置（第３の装置ＷＴ−Ｃ）によって送信されるべき干渉の第２のトラヒック信号を復号し、差し引くことができるかどうかを、ＳＩＣ成功確率の関数として予測し得る（２３０６）。
【０１６７】
また、第１の受信装置（第２の装置ＷＴ−Ｂ）は、第２の送信装置（第３の装置ＷＴ−Ｃ）によって送信されるべき干渉の第２のトラヒック信号によって引き起こされるべき干渉の量を、第２のパイロット信号の受信信号強度の関数として予測することもできる（２３０８）。一例では、第１の受信装置（第２の装置ＷＴ−Ｂ）は、第２の送信装置（第３の装置ＷＴ−Ｃ）によって送信されるべき干渉の第２のトラヒック信号によって引き起こされるべき予測干渉量を、０と１の間の、ＳＩＣ成功確率の関数としての割引係数によって割り引くことができる。第２の送信装置（第３の装置ＷＴ−Ｃ）によって送信されるべき干渉の第２のトラヒック信号によって引き起こされるべき割引予測干渉量は、第１の受信装置（第２の装置ＷＴ−Ｂ）によって感知されるべき総干渉の予測量の計算に含まれ得る。
【０１６８】
次いで、第１の受信装置（第２の装置ＷＴ−Ｂ）は、第１の送信装置（第１の装置ＷＴ−Ａ）のための伝送レートを、第１のパイロットの受信信号強度と、ＳＩＣ成功確率の関数として決定される、第１の受信装置（第２の装置ＷＴ−Ｂ）によって感知されるべき総干渉の予測量の関数として決定し得る（２３１０）。
【０１６９】
別の例では、第２の送信装置（第３の装置ＷＴ−Ｃ）によって送信されるべき干渉の第２のトラヒック信号を復号し、差し引くことができないと予測される場合に、第１の受信装置（第２の装置ＷＴ−Ｂ）は、第２の送信装置（第３の装置ＷＴ−Ｃ）によって送信されるべき干渉の第２のトラヒック信号によって引き起こされるべき干渉量を、第２のパイロットの受信信号強度の関数として、第２の送信装置（第３の装置ＷＴ−Ｃ）によって送信されるべき干渉の第２のトラヒック信号の予測量を、第１の受信装置（第２の装置ＷＴ−Ｂ）によって感知されるべき総干渉の予測量の計算に含めて予測することもできる。第２の送信装置（第３の装置ＷＴ−Ｃ）によって送信されるべき干渉の第２のトラヒック信号は、第２の送信装置（第３の装置ＷＴ−Ｃ）によって送信されるべき干渉の第２のトラヒック信号を復号し、差し引くことができると予測される場合には、第１の受信装置（第２の装置ＷＴ−Ｂ）によって感知されるべき総干渉の予測量の計算において除外され得る。
【０１７０】
次いで、第１の受信装置（第２の装置ＷＴ−Ｂ）は、第１の送信装置（第１の装置ＷＴ−Ａ）に、伝送レートを含むレートレポート信号を送信し得る（２３１２）。これに応答して、第１の受信装置（第２の装置ＷＴ−Ｂ）は、後続のトラフィックチャネルにおいて、第１の受信装置（第２の装置ＷＴ−Ｂ）によって第１の送信装置（第１の装置ＷＴ−Ａ）にレポートされた伝送レートを超えないデータレートを有する第１の送信装置（第１の装置ＷＴ−Ａ）からの第１のトラヒック信号を含むトラヒック信号を受信し得る（２３１４）。干渉の第２のトラヒック信号が受信トラヒック信号から復号され得る（２３１６）。干渉の第２のトラヒック信号を正常に復号することができた場合（２３１８）、復号された干渉の第２のトラヒック信号が受信トラヒック信号から差し引かれる（２３２０）。次いで、第１のトラヒック信号が受信トラヒック信号の残りの部分から復号され得る（２３２２）。
【０１７１】
一特徴によれば、ＳＩＣ成功確率の値は、干渉の第２のトラヒック信号の復号に成功するかどうかの関数として調整され得る（２３２４）。例えば、干渉の第２のトラヒック信号の復号に成功した場合には、ＳＩＣ成功確率の値が増やされ、干渉の第２のトラヒック信号の復号に失敗した場合には、ＳＩＣ成功確率の値が減らされる。
【０１７２】
図２４は、ピア間無線ネットワーク内で受動的逐次型干渉除去（ＳＩＣ）を行い、またはこれを円滑化するように構成されている無線端末を示すブロック図である。無線端末２４０２は、ピア間通信を可能にするためのアンテナ２４０８に結合されている送受信機２４０６（送信側モジュール及び／又は受信側モジュールなど）に結合された処理回路２４０４（１つまたは複数のプロセッサ、電気部品、及び／又は回路モジュールなど）を含み得る。また、処理回路２４０４は、ピア間通信を円滑化し得るピア間通信制御装置２４１０、及び（任意選択で）ＷＡＮを介した通信を円滑化し得るＷＡＮ通信制御装置２４１２にも結合され得る。また、無線端末２４０２は、処理回路２４０４に結合された受動的逐次型干渉除去モジュール２４１４、及び伝送レート計算モジュール２４１６及び干渉予測モジュール２４１８も含み得る。
【０１７３】
一例では、無線端末２４０２は、第１の受信装置（第２の装置ＷＴ−Ｂ）として動作し、受信信号から干渉信号を差し引いて、無線端末２４０２がピア間通信接続を有する相手先の別の装置からの所望の信号を獲得するために、干渉予測を使用して受動ＳＩＣを行うように構成され得る。この構成において、無線端末は、図２３に示す動作を行うように構成され得る。例えば、処理回路２４０４及び／又は送受信機２４０６は、（ａ）第１の送信装置（第１の装置ＷＴ−Ａ）から第１のパイロット信号を無線で受信し、（ｂ）第２の送信装置（第３の装置ＷＴ−Ｃ）から、第２の送信装置（第３の装置ＷＴ−Ｃ）が第２のトラヒック信号を送信しようとしていることを指示する第２のパイロット信号を無線で受信するように動作し得る。処理回路２４０４、伝送レート計算モジュール２４１６、干渉予測モジュール２４１８及び／又はピア間通信制御装置２４１０は、第１の送信装置（第１の装置ＷＴ−Ａ）のための伝送レートを、第１のパイロット信号の受信信号強度と、ＳＩＣ成功確率の関数として決定される、第１の受信装置（第２の装置ＷＴ−Ｂ）によって感知されるべき総干渉の予測量の関数として決定し得る。次いで、処理回路２４０４、ピア間通信制御装置２４１０、及び／又は送受信機２４０６は、第１の送信装置（第１の装置ＷＴ−Ａ）に、伝送レートを含むレートレポート信号を送信し得る。
【０１７４】
処理回路２４０４、伝送レート計算モジュール２４１６、干渉予測モジュール２４１８及び／又はピア間通信制御装置２４１０は、（ａ）第２の送信装置（第３の装置ＷＴ−Ｃ）によって送信されるべき干渉の第２のトラヒック信号によって引き起こされるべき干渉量を、第２のパイロット信号の受信信号強度の関数として予測し、及び／又は（ｂ）第１の受信装置（第２の装置ＷＴ−Ｂ）が第１の送信装置（第１の装置ＷＴ−Ａ）によって送信されるべき第１のトラヒック信号を復号する前に、第２の送信装置（第３の装置ＷＴ−Ｃ）によって送信されるべき干渉の第２のトラヒック信号を復号し、差し引くことができるかどうかを、ＳＩＣ成功確率の関数として予測し得る。
【０１７５】
処理回路２４０４、ピア間通信制御装置２４１０、及び／又は送受信機２４０６は、後続のトラフィックチャネルにおいて、第１の受信装置（第２の装置ＷＴ−Ｂ）によって第１の送信装置（第１の装置ＷＴ−Ａ）にレポートされた伝送レートを超えないデータレートを有する第１の送信装置（第１の装置ＷＴ−Ａ）からの第１のトラヒック信号を含むトラヒック信号を無線で受信し得る。次いで、処理回路２４０４、ピア間通信制御装置２４１０、及び／又は受動ＳＩＣモジュール２４１４は、（ａ）受信トラヒック信号から干渉の第２のトラヒック信号を復号し、（ｂ）復号した干渉の第２のトラヒック信号を受信トラヒック信号から差し引き、（ｃ）復号した干渉の第２のトラヒック信号が差し引かれた後の受信トラヒック信号の残りの部分から第１のトラヒック信号を復号し、及び／又は（ｄ）ＳＩＣ成功確率の値を、干渉トラヒック信号の復号に成功したかどうかの関数として調整し得る。
【０１７６】
したがって、移動無線端末または第１の受信装置内の回路は、（ａ）第１の送信装置（第１の装置ＷＴ−Ａ）から第１のパイロット信号を受信し、（ｂ）第２の送信装置（第３の装置ＷＴ−Ｃ）から、第２の送信装置（第３の装置ＷＴ−Ｃ）が第２のトラヒック信号を送信しようとしていることを指示する第２のパイロット信号を受信するように適合され得る。同じ回路、別の回路、または同じもしくは別の回路の第２の区間は、第１の受信装置（第２の装置ＷＴ−Ｂ）が第１の送信装置（第１の装置ＷＴ−Ａ）によって送信されるべき第１のトラヒック信号を復号する前に、第３の装置によって送信されるべき干渉の第２のトラヒック信号を復号し、差し引くことができるかどうかを、ＳＩＣ成功確率の関数として予測するように適合され得る。同じ回路、別の回路、または同じもしくは別の回路の第３の区間は、第１の送信装置（第１の装置ＷＴ−Ａ）のための伝送レートを、第１のパイロット信号の受信信号強度と、ＳＩＣ成功確率の関数として決定される、第１の受信装置（第２の装置ＷＴ−Ｂ）によって感知されるべき総干渉の予測量の関数として決定するように適合され得る。同じ回路、別の回路、または同じもしくは別の回路の第４の区間は、第１の送信装置（第１の装置ＷＴ−Ａ）に、伝送レートを含むレートレポート信号を送信するように適合され得る。同じ回路、別の回路、または同じもしくは別の回路の第５の区間は、後続のトラフィックチャネルにおいて、第１の受信装置（第２の装置ＷＴ−Ｂ）によって第１の送信装置（第１の装置ＷＴ−Ａ）にレポートされた伝送レートを超えないデータレートを有する、第１の送信装置（第１の装置ＷＴ−Ａ）からの第１のトラヒック信号と、第２の送信装置（第３の装置ＷＴ−Ｃ）からの干渉の第２のトラヒック信号を含むトラヒック信号を受信するように適合され得る。
【０１７７】
受動的逐次型干渉除去／成功確率適合を用いた干渉装置による送信電力制御
図２５（図２５Ａ、図２５Ｂ、及び図２５Ｃを備える）に、干渉除去を円滑化するアドホック通信網のためのプロトコルの別の例を示す。この例では、プロトコルは、接続スケジューリング段２５０８、レートスケジューリング段２５２２、及び送信段２５５０を含み得る。この例では、干渉送信装置によって、より低い優先度の受信装置からのレート制御を用いてさらなる送信電力制御が行われる。
【０１７８】
リンク（接続）スケジューリング段２５０８において、第１の装置ＷＴ−Ａ２５０２（送信側）が第１の送信要求２５１０を送信し、これが第２の装置ＷＴ−Ｂ２５０４（受信機）によって聞き取られる。近隣の第３の装置ＷＴ−Ｃ２５０６（干渉）は、第４の装置ＷＴ−Ｄ２５０９（受信機）に第２の送信要求２５１２を送信し得る。また、第２の送信要求２５１２は、第２の装置ＷＴ−Ｂ２５０４によっても受信され、または感知され得る。一特徴によれば、次いで、第２の装置ＷＴ−Ｂ２５０４は、第１の装置ＷＴ−Ａ２５０２からの送信要求がより高い優先度の通信に対して許容できないほどの干渉を引き起こすことになる場合に、第２の装置ＷＴ−Ｂ２５０４がドロップアウト（第１の装置ＷＴ−Ａ２５０２からの送信要求を無視または拒否するなど）しようとする受信譲歩を行い得る。例えば、第２の装置ＷＴ−Ｂ２５０４は、第１の送信要求２５１０及び第２の送信要求２５１２の受信信号強度の関数として、第２の装置ＷＴ−Ｂ２５０４が第３の装置ＷＴ−Ｃ２５０６からの干渉を除去することができるかどうかを判定し得る。そうである場合、第２の装置ＷＴ−Ｂ２５０４は、第１の装置ＷＴ−Ａ２５０２に、第２の装置ＷＴ−Ｂ２５０４が他の近隣装置に許容できないほどの干渉を引き起こさずに第１の装置ＷＴ−Ａ２５０２との接続を確立することができることを指示する送信要求応答２５１６を送信し得る。
【０１７９】
第３の装置ＷＴ−Ｃ２５０６は、第３の装置ＷＴ−Ｃ２５０６において送信側譲歩を実施するのではなく、代わりに、第３の装置ＷＴ−Ｃ２５０６が第２の装置ＷＴ−Ｂ２５０４にとっての過剰な干渉を生成しないように、プロトコルの後段（すなわち、レートスケジューリング段及び／又はトラヒック送信段）において電力制御を行うこともできる。同様に、第３の装置ＷＴ−Ｃ２５０６からの送信の目標受信機である第４の装置ＷＴ−Ｄ２５０９も、受信譲歩を行わなくてもよい。すなわち、第４の装置ＷＴ−Ｄ２５０９は、第１の装置ＷＴ−Ａ２５０２からの信号電力が受信譲歩閾値より大きいことを検出した場合には、ドロップアウトしない。代わりに、第４の装置ＷＴ−Ｄ２５０９は、第３の装置ＷＴ−Ｃ２５０６からの信号を復号する前に、第１の装置ＷＴ−Ａ２５０２からのトラヒック信号を復号し、差し引こうとし得る。
【０１８０】
レートスケジューリング段２５２２において、第１の装置ＷＴ−Ａ２５０２は、第１のパイロット信号Ｐ１を送信し得る（２５２４）。また、第３の装置ＷＴ−Ｃ２５０６も、第２のパイロット信号Ｐ２を送信し得る（２５２８）。しかし、第３の装置ＷＴ−Ｃ２５０６は、接続スケジューリング段２５０８において、干渉コスト２５１８が所与の閾値より大きいと判定される場合には、低減された送信電力を決定し得る（２５２６）。次いで、第３の装置ＷＴ−Ｃ２５０６は、低減された送信電力で第２のパイロット信号Ｐ２を送信する（２５２６）。
【０１８１】
第２の装置ＷＴ−Ｂ２５０４は、第２の装置ＷＴ−Ｂ２５０４が第１の装置ＷＴ−Ａ２５０２からの第１のトラヒック伝送Ｓ１を復号することのできる第１の伝送レートＲＢ１を、第３の装置ＷＴ−Ｃ２５０６からの信号エネルギーの少なくとも若干部分を除去することができるものと仮定して、第１の装置ＷＴ−Ａ２５０２からの第１のパイロット信号Ｐ１２５２４の受信信号強度ＰＷＲＰ１の関数として決定し得る（２５２９）。第２の装置ＷＴ−Ｂ２５０４は、第１の装置ＷＴ−Ａ２５０２に、第１の伝送レートＲＢ１を含む第１のレートレポート信号（フィードバック）を送信し得る（２５３１）。第１の装置ＷＴ−Ａ２５０２は、第１の実際のトラヒック伝送レートＲＡＣＴＵＡＬ−１を、第２の装置ＷＴ−Ｂ２５０４から受信した第１の伝送レートＲＢ１の関数として決定し得る（２５３７）。すなわち、第１の実際の伝送レートＲＡＣＴＵＡＬ−１は、第１の伝送レートＲＢ１以下である。
【０１８２】
加えて、第２の装置ＷＴ−Ｂ２５０４は、第２の装置ＷＴ−Ｂ２５０４が第３の装置ＷＴ−Ｃ２５０６からの第２のトラヒック伝送Ｓ２を復号することのできる第２の伝送レートＲＢ２を、第３の装置ＷＴ−Ｃ２５０６からの第２のパイロット信号Ｐ２２５２８の受信信号強度ＰＷＲＰ２の関数として決定することもできる（２５３３）。また、第２の伝送レートＲＢ２２５３３は、第１の装置ＷＴ−Ａ２５０２からの第１のパイロットＰ１の受信信号強度ＰＷＲＰ１の関数としても決定され得る。これは、第２の装置ＷＴ−Ｂ２５０４が、第１の装置ＷＴ−Ａ２５０２からの意図されるトラヒック信号を復号する前に、ＳＩＣを実行して第３の装置ＷＴ−Ｃ２５０６からのトラヒック信号を除去しようとするときに、第１の装置ＷＴ−Ａ２５０２からのトラヒック信号は、最初に第３の装置ＷＴ−Ｃ２５０６からのトラヒック信号を復号するプロセスにおいて、干渉とみなされるからである。したがって、第２の伝送レートＲＢ２は、第２の装置ＷＴ−Ｂ２５０４が、第１のレートＲＢ１で送信される第１の装置ＷＴ−Ａ２５０２からの所望のトラヒック伝送を復号することができるようにするために、第３の装置ＷＴ−Ｃ２５０６からのトラヒック伝送を復号し、除去し得る最大レートとすることができる。第２の装置ＷＴ−Ｂ２５０４は、第３の装置ＷＴ−Ｃ２５０６に、第２の伝送レートＲＢ２を含む第２のレートレポート信号を送信し得る（２５３５）。
【０１８３】
第４の装置ＷＴ−Ｄ２５０９は、第３の装置ＷＴ−Ｃ２５０６から送信された第２のパイロット信号Ｐ２におけるエネルギーを測定し、このエネルギーを総受信エネルギーと比較し得る（２５３０）。また、第４の装置ＷＴ−Ｄ２５０９は、第１の装置ＷＴ−Ａ２５０２から送信された第１のパイロット信号Ｐ１におけるエネルギーも測定し、このエネルギーを総受信エネルギーと比較し得る（２５３２）。第１のパイロット信号強度及び第２のパイロット信号強度に基づいて、ＳＩＣ成功確率推定値ＰＳＩＣが獲得される（２５３９）。例えば、ＳＩＣ確率推定値ＰＳＩＣは、第２のパイロット信号Ｐ２強度と第１のパイロット信号Ｐ１強度の比ＲＴＰ２／Ｐ１とすることができる。
【０１８４】
これらのパイロット信号Ｐ１及びＰ２のエネルギー比較に基づいて、第４の装置ＷＴ−Ｄ２５０９は２つの伝送レートを計算し得る。第１のレートＲＤ１２５３４は、第４の装置ＷＴ−Ｄ２５０９が、第１の装置ＷＴ−Ａ２５０２からの伝送を復号し、第１の装置の送信の寄与部分を総受信信号から差し引くことができるものと仮定して、第４の装置ＷＴ−Ｄ２５０９が第３の装置ＷＴ−Ｃ２５０６からの伝送を復号し得る（第３の装置の）伝送レートとすることができる。第２のレートＲＤ２２５３６は、第４の装置ＷＴ−Ｄ２５０９が、（第１の装置ＷＴ−Ａ２５０２からの伝送を含む）他のあらゆる伝送を干渉とみなして、第３の装置ＷＴ−Ｃ２５０６からの伝送を復号し得る第２の伝送レートとすることができる。
【０１８５】
ＳＩＣ成功確率推定値ＰＳＩＣがある一定の閾値を上回る場合、第４の装置ＷＴ−Ｄ２５０９は、第１のレートＲＤ１を選択する（２５３８）。そうではなく、ＳＩＣ成功確率推定値ＰＳＩＣがこの閾値を下回る場合、第４の装置ＷＴ−Ｄ２５０９は第２のレートＲＤ２を選択する（２５４０）。第４の装置ＷＴ−Ｄ２５０９は、第３の装置ＷＴ−Ｃに選択レートＲＳを送信する（２５４２）。第４の装置ＷＴ−Ｄ２５０９は、第４の装置ＷＴ−Ｄ２５０９の通信する相手先である別の装置には別のＳＩＣ成功確率推定値を維持し得る。
【０１８６】
第３の装置ＷＴ−Ｃ２５０６は、第４の装置ＷＴ−Ｄ２５０９によって送信された選択伝送レートＲＳと、第２の装置ＷＴ−Ｂ２５０４によって送信された伝送レートＲＢ２を受信する。伝送レートＲＢ２は、第２の装置ＷＴ−Ｂ２５０４が第３の装置ＷＴ−Ｃ２５０６からの伝送を除去して、第１の装置ＷＴ−Ａ２５０２からの所望のトラヒック信号または伝送を復号し、獲得することのできる伝送レートである。
【０１８７】
トラヒック送信段２５５０において、第１の装置ＷＴ−Ａ２５０２は、第１の実際のトラヒック伝送レートＲＡＣＴＵＡＬ−１で第２の装置ＷＴ−Ｂ２５０４に第１のトラヒック信号Ｓ１を送信する（２５５２）。第１のトラヒック信号Ｓ１と同時に、またはオーバーラップして、第３の装置ＷＴ−Ｃ２５０６も、選択レートＲＳで第４の装置ＷＴ−Ｄ２５０９にこれの第２のトラヒック信号Ｓ２を送信し得る（２５５４）。
【０１８８】
第２の装置ＷＴ−Ｂ２５０４は、第１のトラヒック信号Ｓ１及び第２のトラヒック信号Ｓ２の一部または全部を含む合成信号を受信し得る。第２の装置ＷＴ−Ｂ２５０４は、第３の装置ＷＴ−Ｃ２５０６からの第２のトラヒック信号Ｓ２を復号し（２５４６）、次いで、この信号を総受信信号から除去し（差し引き）（２５５８）、最後に、第１の装置ＷＴ−Ａ２５０２からの所望の第１のトラヒック信号Ｓ２を復号し得る（２５６０）。
【０１８９】
同様に、第４の装置ＷＴ−Ｄ２５０９も、第１のトラヒック信号Ｓ１及び第２のトラヒック信号Ｓ２の一部または全部を含む合成信号を受信し得る。選択レートＲＳが第１のレートＲＤ１である場合、第４の装置ＷＴ−Ｄ２５０９は、第３の装置ＷＴ−Ｃ２５０６からの第２のトラヒック信号Ｓ２を復号する前に、まず、第１の装置ＷＴ−Ａ２５０２によって送信された第１のトラヒック信号Ｓ１を復号し、対応する信号を再構築し、これの寄与部分を総受信信号から差し引く。選択レートＲＳが第２のレートＲＤ２である場合、第４の装置ＷＴ−Ｄ２５０９は、受信信号から、第３の装置ＷＴ−Ｃ２５０６からの第２のトラヒック信号Ｓ２を復号し、（第１の装置ＷＴ−Ａ２５０２からの信号を含む）他のすべての信号を干渉とみなす（２５６４）。
【０１９０】
第２のトラヒック信号Ｓ２のＳＩＣ復号に成功した場合、第４の装置ＷＴ−Ｄ２５０９はＳＩＣ成功確率推定値ＰＳＩＣを増やし得る。他方、ＳＩＣ復号に失敗した場合、第４の装置は、ＳＩＣ成功確率推定値ＰＳＩＣを減らし得る。
【０１９１】
図２６に、ピア間ネットワーク内でアクティブ逐次型干渉除去を円滑化する干渉の第１の送信装置上で動作する方法の一例を示す。この例では、「第３の装置」（図３のＷＴ−Ｃ３０６など）を「第１の送信装置」と呼び、「第４の装置」（図３のＷＴ−Ｄ３０８など）を第１の受信装置と呼ぶ。「第１の装置」（図３のＷＴ−Ａ３０２など）は第２の送信装置と呼び、第２の装置（図３のＷＴ−Ｃ３０４など）は第２の受信装置と呼ぶ。この例では、第３の装置（ＷＴ−Ｃ）から第４の装置（ＷＴ−Ｄ）へのトラヒック伝送が第１の装置（ＷＴ−Ａ）から第２の装置（ＷＴ−Ｂ）へのトラフィック送信より低い通信優先度を有し得る。
【０１９２】
第１の送信装置（第３の装置ＷＴ−Ｃ）は、第１の送信装置（第３の装置ＷＴ−Ｃ）によって送信されるべき第１のトラヒック信号の目標受信機である第１の受信装置（第４の装置ＷＴ−Ｄ）に第１の送信要求を放送し得る（２６０２）。
【０１９３】
目標の第４の装置に第１のトラヒック信号を送信する前に、第２の送信装置（第１の装置ＷＴ−Ａ）からの第２の送信要求に応答して第２の受信装置（第２の装置ＷＴ−Ｂ）によって送信され得る第１の送信要求応答が、第１の送信装置（第３の装置ＷＴ−Ａ）によって受信され得る（２６０４）。第１の要求応答は、第２の受信装置（第２の装置ＷＴ−Ｂ）が第２の送信装置（第１の装置ＷＴ−Ａ）からのトラヒック伝送を受信する用意ができていることを指示し得る。同様に、第１の送信装置（第３の装置ＷＴ−Ｃ）も、第１の受信装置（第４の装置ＷＴ−Ｄ）から、第１の受信装置（第４の装置ＷＴ−Ｄ）が第１の送信装置（第３の装置ＷＴ−Ｃ）からのトラヒックを受信する用意ができていることを指示する第２の送信要求応答を受信し得る（２６０６）。
【０１９４】
次いで、第１の送信装置（第３の装置ＷＴ−Ｃ）は、第１の受信装置（第４の装置ＷＴ−Ｄ）に第１のトラヒック信号を送信し、または放送すべきかどうかを判定し得る。一例では、第１の送信装置（第３の装置ＷＴ−Ｃ）は、第２の受信装置（第２の装置ＷＴ−Ｂ）への干渉コストを、第１の要求応答の受信電力の関数として計算し得る（２６０８）。すなわち、第１の送信装置（第３の装置ＷＴ−Ｃ）は、これの意図するトラヒック伝送が、第２の送信装置（第１の装置ＷＴ−Ａ）からトラヒック伝送を受信しようとしている第２の受信装置（第２の装置ＷＴ−Ｂ）への過剰な干渉を引き起こすことになるかどうかを判定し得る。予測干渉コストは、第２の送信要求応答信号の受信電力と、おそらくは、第１の送信装置（第３の装置ＷＴ−Ｃ）がこれのトラヒック伝送に使用しようとしている送信電力の関数として計算され得る。次いで、第１の送信装置（第３の装置ＷＴ−Ｃ）は、パイロット信号のための送信電力を、計算された干渉コストと第１の送信要求の送信電力の関数として決定し得る（２６１０）。すなわち、決定される送信電力は、他の近隣装置（特により高い通信優先度を有する装置）への許容できないほどの干渉を引き起こさないように選択され得る。第１の送信装置（第３の装置ＷＴ−Ｃ）は、決定された送信電力でパイロット信号を放送し得る（２６１２）。一実施方法では、ピア間ネットワーク内のパイロット信号の送信電力は、送信装置のためのトラヒック送信電力に比例し得ることに留意されたい。次いで、第１の送信装置（第３の装置ＷＴ−Ｃ）は、第１の受信装置（第４の装置ＷＴ−Ｄ）から、第１の受信装置（第４の装置ＷＴ−Ｄ）によって第１の送信装置（第３の装置ＷＴ−Ｃ）からの通信を受信するために選択された最大伝送レートを含む第１のレートレポートを受信し得る（２６１４）。例えば、第１の伝送レートは、第１の受信装置（第４の装置ＷＴ−Ｄ）が、第２の送信装置（第１の装置ＷＴ−Ａ）からの、第２の受信装置（第２の装置ＷＴ−Ｂ）を目的とする第２のトラヒック信号を確実に復号し得る最大レートとすることができる。
【０１９５】
次いで、第１の送信装置（第３の装置ＷＴ−Ｃ）は、最大伝送レート以下の伝送レートを使用して、第１の受信装置（第４の装置ＷＴ−Ｄ）に第１のトラヒック信号を送信または伝送し得る（２６１６）。一例では、第２の送信装置（第１の装置ＷＴ−Ａ）から第２の受信装置（第２の装置ＷＴ−Ｂ）へのトラヒック伝送は、第１の送信装置（第３の装置ＷＴ−Ｃ）から第１の受信装置（第４の装置ＷＴ−Ｄ）へのトラヒック伝送より高い優先度のものであることに留意されたい。一特徴によれば、第１のトラヒック信号の送信電力は、パイロット信号の送信電力に比例し得る。第１のトラヒック信号は、第２の送信装置（第１の装置ＷＴ−Ａ）から第２の受信装置（第２の装置ＷＴ−Ｂ）に送信される第２のトラヒック信号と共用される周波数スペクトルを介して送信され得る。
【０１９６】
図２７に、ピア間ネットワーク内でアクティブ逐次型干渉除去を円滑化する第１の受信装置上で動作する方法の一例を示す。この例では、「第４の装置」（図３のＷＴ−Ｄ３０８）を第１の受信装置と呼び、「第３の装置」（図３のＷＴ−Ｃ３０６）を第１の送信装置と呼ぶ。「第１の装置」（図３のＷＴ−Ａ３０２など）を第２の送信装置と呼び、第２の装置（図３のＷＴ−Ｃ３０４など）を第２の受信装置と呼ぶ。この例では、第１の送信装置（第３の装置ＷＴ−Ｃ）から第１の受信装置（第４の装置ＷＴ−Ｄ）へのトラヒック伝送が、第２の送信装置（第１の装置ＷＴ−Ａ）から第２の受信装置（第２の装置ＷＴ−Ｂ）へのトラヒック伝送より低い（共用周波数スペクトル上での）通信優先度を有し得る。
【０１９７】
第１の受信装置（第４の装置ＷＴ−Ｄ）は、第１の送信装置（第３の装置ＷＴ−Ｃ）から第１のパイロット信号を無線で受信し得る（２７０２）。加えて、第１の受信装置（第４の装置ＷＴ−Ｄ）は、第２の送信装置（第３の装置ＷＴ−Ｃ）から、第２の送信装置（第３の装置ＷＴ−Ｃ）が、第１のトラヒック信号と干渉し合うことになる第２のトラヒック信号を送信しようとしていることを指示する第２のパイロット信号も無線で受信し得る（２７０４）。次いで、第１の受信装置（第４の装置ＷＴ−Ｄ）は、第１の伝送レートを、第１のパイロット信号の受信信号強度の関数として決定し得る（２７０６）。一例では、第１の伝送レートは、第１の受信装置（第４の装置ＷＴ−Ｄ）が、まず、第２の送信装置（第１の装置ＷＴ−Ａ）からの伝送を復号し、これらの伝送を総受信信号から差し引くことができるものと仮定して、第１の送信装置（第３の装置ＷＴ−Ｃ）からの伝送を復号し得るレートとすることができる。同様に、第１の受信装置（第４の装置ＷＴ−Ｄ）も、第２の伝送レートを、第１のパイロット信号及び第２のパイロット信号の受信信号強度の関数として決定し得る（２７０８）。一例では、第２の伝送レートは、第１の受信装置（第４の装置ＷＴ−Ｄ）が、他のあらゆる信号が干渉とみなされるものと仮定して、干渉の第１の送信装置（第３の装置ＷＴ−Ｃ）からのトラヒック伝送を復号し得るレートとすることができる。
【０１９８】
次いで、第１のパイロット信号強度及び第２のパイロット信号強度に基づいて、ＳＩＣ成功確率推定値が獲得され、または計算され得る（２７１０）。ＳＩＣ成功確率推定値が閾値より大きい場合、受信装置は第１の伝送レートを選択する（２７１２）。そうではなく、成功確率推定値が閾値以下である場合、第１の受信装置（第４の装置ＷＴ−Ｄ）は、第２の伝送を選択する（２７１４）。次いで、第１の受信装置（第４の装置ＷＴ−Ｄ）は、干渉の第１の送信装置（第３の装置ＷＴ−Ｃ）に選択伝送レートを無線で送信する（２７１６）。これに応答して、第１の受信装置（第４の装置ＷＴ−Ｄ）は、選択伝送レート以下の伝送レートで第１のトラヒック信号を受信し得る（２７１８）。
【０１９９】
図２８は、ピア間無線ネットワーク内でアクティブ逐次型干渉除去（ＳＩＣ）を行い、またはこれを円滑化するように構成されている無線端末を示すブロック図である。無線端末２８０２は、ピア間通信を可能にするためのアンテナ２８０８に結合されている送受信機２８０６（送信側モジュール及び／又は受信側モジュールなど）に結合された処理回路２８０４（１つまたは複数のプロセッサ、電気部品、及び／又は回路モジュールなど）を含み得る。また、処理回路２８０４は、ピア間通信を円滑化し得るピア間通信制御装置２８１０、及び（任意選択で）ＷＡＮを介した通信を円滑化し得るＷＡＮ通信制御装置２８１２にも結合され得る。また、無線端末２８０２は、処理回路２８０４に結合されたアクティブ逐次型干渉除去モジュール２８１４、伝送レートセレクタ２８１６及び干渉コスト計算器２８１８も含み得る。
【０２００】
一例では、無線端末２８０２は、他の近隣装置への干渉を低減するようにこれの送信電力を調整すると同時に、無線端末２８０２の伝送レートを、これの目標の第１の受信装置（第４の装置ＷＴ−Ｃ）の指図に従って調整する第１の送信装置（第３の装置ＷＴ−Ｃ）として動作するように構成され得る。この構成では、この無線端末（第１の送信装置）は、図２５及び図２６に示す動作を行うように構成され得る。
【０２０１】
したがって、第１の送信装置内の回路は、第１の受信装置に第１の送信要求を放送するように適合され得る。同じ回路、別の回路、または同じもしくは別の回路の第２の区間は、第２の受信装置から、第２の送信装置からの第２の送信要求に応答して第２の受信装置によって送信された第１の送信要求応答を受信するように適合され得る。同じ回路、別の回路、または同じもしくは別の回路の第３の区間は、第２の受信装置への干渉コストを、第１の送信要求応答の受信電力の関数として計算するように適合され得る。同じ回路、別の回路、または同じもしくは別の回路の第４の区間は、パイロット信号のための送信電力を、計算された干渉コストと第１の送信要求の送信電力の関数として決定するように適合され得る。同じ回路、別の回路、または同じもしくは別の回路の第５の区間は、計算された干渉コストを閾値と比較するように適合され得る。計算された干渉コストが閾値を超える場合、決定されるパイロット信号の送信電力は、第１の送信要求の送信電力より小さい。同じ回路、別の回路、または同じもしくは別の回路の第６の区間は、パイロット信号のための送信電力を、計算された干渉コストと第１の送信要求の送信電力の関数として決定するように適合され得る。同じ回路、別の回路、または同じもしくは別の回路の第７の区間は、決定された送信電力を使用してパイロット信号を送信するように適合され得る。同じ回路、別の回路、または同じもしくは別の回路の第８の区間は、第１の受信装置から、第１の受信装置によって第１の送信装置からの通信を受信するために選択された最大伝送レートを含む第１のレートレポートを受信するように適合され得る。同じ回路、別の回路、または同じもしくは別の回路の第９の区間は、最大伝送レート以下の伝送レートを使用して第１の受信装置に第１のトラヒック信号を送信するように適合され得る。
【０２０２】
一例では、無線端末２８０２は、第１の送信装置（第３の装置ＷＴ−Ｃ）がＳＩＣを円滑化するために第１の受信装置と通信する際に使用すべき最大伝送レートを決定する第１の受信装置（第４の装置ＷＴ−Ｄ）として動作するように構成され得る。この構成において、この無線端末（第１の受信装置）は、図２５及び図２７に示す動作を行うように構成され得る。
【０２０３】
したがって、移動無線端末内の回路は、干渉の第１の送信装置から第１のパイロット信号を受信するように適合され得る。同じ回路、別の回路、または同じもしくは別の回路の第２の区間は、第２の送信装置から、第２の送信装置が、第１のトラヒック信号と干渉し合うことになる第２のトラヒック信号を送信しようとしていることを指示する第２のパイロット信号を受信するように適合され得る。同じ回路、別の回路、または同じもしくは別の回路の第３の区間は、第１の伝送レートを、第１のパイロット信号の受信信号強度の関数として決定するように適合され得る。同じ回路、別の回路、または同じもしくは別の回路の第４の区間は、第２の伝送レートを、第１のパイロット信号及び第２のパイロット信号の受信信号強度の関数として決定するように適合され得る。同じ回路、別の回路、または同じもしくは別の回路の第５の区間は、第１のパイロット信号強度及び第２のパイロット信号強度に基づいてＳＩＣ成功確率推定値を獲得するように適合され得る。同じ回路、別の回路、または同じもしくは別の回路の第６の区間は、ＳＩＣ成功確率推定値が閾値より大きい場合に、第１の伝送レートを選択するように適合され得る。同じ回路、別の回路、または同じもしくは別の回路の第７の区間は、成功確率推定値が閾値以下である場合に、第２の伝送レートを選択するように適合され得る。同じ回路、別の回路、または同じもしくは別の回路の第８の区間は、干渉の第１の送信装置に選択伝送レートを送信するように適合され得る。
【０２０４】
本明細書に示す例の中には、ＯＦＤＭ  ＴＤＤシステムの状況に置いて実施され得るものもあるが、様々な実施形態の方法及び装置は、多くの非ＯＦＤＭ、多くの非ＴＤＤシステム、及び／又は多くの非セルラシステムを含む幅広い通信システムに適用可能である。
【０２０５】
様々な実施形態において、本明細書で示す端末及び／又は装置は、１つまたは複数の方法に対応するステップを実行する１つまたは複数のモジュールを使用して実施され得る。このようなモジュールは、ソフトウェア、ハードウェア、またはソフトウェアとハードウェアの組み合わせを使用して実施され得る。１つまたは複数の例及び／又は構成において、前述の関数は、ハードウェア、ソフトウェア、ファームウェア、またはこれらの任意の組み合わせにおいて実施され得る。ソフトウェアにおいて実施される場合、関数は、コンピュータ可読媒体上で１つまたは複数の命令またはコードとして記憶され、または伝送され得る。コンピュータ可読媒体には、コンピュータ記憶媒体と、ある場所から別の場所へのコンピュータプログラムの転送を円滑化する任意の媒体を含む通信媒体の両方が含まれる。記憶媒体は、汎用または専用コンピュータによってアクセスされ得る任意の利用可能な媒体とすることができる。例えば、これらに限られるわけではないが、このようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶装置、あるいは所望のプログラムコード手段を、命令もしくはデータ構造として搬送もしくは記憶するために使用することができ、汎用もしくは専用コンピュータ、または汎用もしくは専用プロセッサによってアクセスすることができる他の任意の媒体を備えることができる。また、任意の接続も当然ながらコンピュータ可読媒体と呼ばれる。例えば、ソフトウェアが、ウェブサイト、サーバ、もしくは他のリモートソースから、同軸ケーブル、光ファイバケーブル、対より線、ＤＳＬ（digital subscriber line、デジタル加入者回線）、または赤外線、電波、マイクロ波といった無線技術を使用して送信される場合、同軸ケーブル、光ファイバケーブル、対より線、ＤＳＬ、または赤外線、電波、マイクロ波といった無線技術は、媒体の定義に含まれる。ディスク（ｄｉｓｋ及びｄｉｓｃ）には、本明細書で使用する場合、ＣＤ（コンパクトディスク）、レーザディスク、光ディスク、ＤＶＤ（デジタルバーサタイルディスク）、フロッピー（登録商標）ディスク及びブルーレイディスクが含まれ、この場合、ｄｉｓｋは、普通、データを磁気的に再生し、ｄｉｓｃは、レーザを用いてデータを光学的に再生する。また、上記の組み合わせもコンピュータ可読媒体の範囲内に含まれる。
【０２０６】
さらに、記憶媒体は、ＲＯＭ（読出し専用メモリ）、ＲＡＭ（ランダム・アクセス・メモリ）、磁気ディスク記憶媒体、光記憶媒体、フラッシュ・メモリ・デバイス、及び／又は情報を記憶するための他の機械可読媒体を含む、データを記憶するための１つまたは複数のデバイスを表わしていてもよい。
【０２０７】
さらに、各構成は、ハードウェア、ソフトウェア、ファームウェア、ミドルウェア、マイクロコードまたはこれらの任意の組み合わせによって実施されてもよい。ソフトウェア、ファームウェア、ミドルウェアまたはマイクロコードとして実施されるとき、必要なタスクを実行すべきプログラムコードまたはコードセグメントは、記憶媒体や他の記憶装置といったコンピュータ可読媒体に記憶されていてもよい。プロセッサは必要なタスクを実行し得る。コードセグメントは、手順、関数、サブプログラム、プログラム、ルーチン、サブルーチン、モジュール、ソフトウェアパッケージ、クラス、または命令、データ構造、もしくはプログラム文の任意の組み合わせを表わし得る。コードセグメントは、情報、データ、引数、パラメータ、またはメモリ内容を受け渡し及び／又は受信することによって、別のコードセグメントまたはハードウェア回路に結合されてもよい。情報、引数、パラメータ、データなどは、メモリ共用、メッセージ受渡し、トークン受渡し、ネットワーク伝送などを含む任意の適切な手段によって受け渡され、転送され、または伝送され得る。
【０２０８】
当業者は、一般に、本開示に示す処理の大部分が類似のやり方で実施され得ることを理解するであろう。（１つまたは複数の）回路または回路部分はいずれも、単独で、または１つまたは複数のプロセッサを備える集積回路の一部として組み合わせて実施され得る。これらの回路の１つまたは複数は、集積回路、ＡＲＭ（Advance RISC Machine）プロセッサ、ＤＳＰ（digital signal processor、デジタル信号プロセッサ）、汎用プロセッサなどで実施され得る。
【０２０９】
以上の説明を考慮すれば、当業者には、前述の方法及び装置に関する多数のさらなる変形が明らかになるであろう。このような変形は、特許請求の範囲によってカバーされる主題の範囲内とみなされるべきである。様々な実施形態の方法及び装置は、ＣＤＭＡ、ＯＦＤＭ（orthogonal frequency division multiplexing、直交周波数分割多重）、及び／又はアクセスノードと移動端末／装置の間の無線通信接続を提供するのに使用され得る様々な別種の通信技術と共に使用されてもよく、様々な実施形態において使用される。実施形態によっては、アクセスノードは、ＯＦＤＭ及び／又はＣＤＭＡを使用して移動端末／装置との通信接続を確立する基地局として実施され得る。様々な実施形態において、移動端末及び／又は装置は、ノート型コンピュータ、携帯情報端末（ＰＤＡ）、または様々な実施形態の方法を実施するための受信側／送信側回路ならびに論理及び／又はルーチンを含む他の携帯式装置として実施され得る。
【０２１０】
図１〜図２８に示す構成要素、ステップ、及び／又は関数の１つまたは複数は、単一の構成要素、ステップ、または関数として再構成され、及び／又は組み合わされてもよく、複数の構成要素、ステップ、または関数として実施されてもよい。また、別の要素、構成要素、ステップ、及び／又は関数が追加されてもよい。図１、図３、図８、図１１、図１３、図１７、図２１、図２４及び／又は図２８に示す装置、装置及び／又は構成要素は、図２、図４〜図７、図９〜図１０、図１２、図１４〜図１６、図１８〜図２０、図２２〜図２３、及び／又は図２５〜図２７に示す方法、機構、またはステップの１つまたは複数を実行するように構成され、または適合され得る。本明細書に示すアルゴリズムは、ソフトウェア及び／又は埋込み式ハードウェアにおいて効率よく実施され得る。
【０２１１】
当業者はさらに、本明細書で開示する構成との関連で示される様々な例示的論理ブロック、モジュール、回路、及びアルゴリズムステップが、電子ハードウェア、コンピュータソフトウェア、または両者の組み合わせとして実施され得ることも理解するはずである。このハードウェアとソフトウェアとの互換性を明確に示すために、以上においては、様々な例示的構成要素、ブロック、モジュール、回路、及びステップを、これらの機能の観点から説明している。このような機能がハードウェアとして実施されるか、それともソフトウェアとして実施されるかは、システム全体に課される個々の適用設計制約条件に依存する。
【０２１２】
本明細書で示す様々な特徴は様々なシステムにおいて実施することができる。例えば、２次マイクロホンカバー検出器（secondary microphone cover detector）が、単一の回路またはモジュールにおいて実施されてもよく、別々の回路またはモジュール上で実施されてもよく、１つまたは複数のプロセッサによって実行されてもよく、機械可読もしくはコンピュータ可読媒体に組み込まれたコンピュータ可読命令によって実行されてもよく、及び／又は、ハンドヘルド装置、モバイルコンピュータ、及び／もしくは携帯電話において実施されてもよい。
【０２１３】
以上の構成は単なる例にすぎず、特許請求の範囲を限定するものと解釈すべきではないことに留意すべきである。各構成の説明は、例示のためのものであり、特許請求の範囲を限定するためのものではない。したがって、本発明の教示は別種の装置に容易に適用することができ、当業者には、多くの代替形態、変更形態、及び変形形態が明らかであろう。
【図１】
2010533448.tif 000003
【図２】
2010533448.tif 000004
【図３】
2010533448.tif 000005
【図４】
2010533448.tif 000006
【図５Ａ】
2010533448.tif 000007
【図５Ｂ】
2010533448.tif 000008
【図５Ｃ】
2010533448.tif 000009
【図６】
2010533448.tif 000010
【図７】
2010533448.tif 000011
【図８】
2010533448.tif 000012
【図９Ａ】
2010533448.tif 000013
【図９Ｂ】
2010533448.tif 000014
【図９Ｃ】
2010533448.tif 000015
【図１０Ａ】
2010533448.tif 000016
【図１０Ｂ】
2010533448.tif 000017
【図１１】
2010533448.tif 000018
【図１２Ａ】
2010533448.tif 000019
【図１２Ｂ】
2010533448.tif 000020
【図１３】
2010533448.tif 000021
【図１４Ａ】
2010533448.tif 000022
【図１４Ｂ】
2010533448.tif 000023
【図１５】
2010533448.tif 000024
【図１６】
2010533448.tif 000025
【図１７】
2010533448.tif 000026
【図１８Ａ】
2010533448.tif 000027
【図１８Ｂ】
2010533448.tif 000028
【図１８Ｃ】
2010533448.tif 000029
【図１９】
2010533448.tif 000030
【図２０】
2010533448.tif 000031
【図２１】
2010533448.tif 000032
【図２２Ａ】
2010533448.tif 000033
【図２２Ｂ】
2010533448.tif 000034
【図２３Ａ】
2010533448.tif 000035
【図２３Ｂ】
2010533448.tif 000036
【図２４】
2010533448.tif 000037
【図２５Ａ】
2010533448.tif 000038
【図２５Ｂ】
2010533448.tif 000039
【図２５Ｃ】
2010533448.tif 000040
【図２６】
2010533448.tif 000041
【図２７】
2010533448.tif 000042
【図２８】
2010533448.tif 000043
【国際調査報告】
2010533448.tif 000044
2010533448.tif 000045
2010533448.tif 000046